(57)【要約】  本開示は、消費者の口に直接などの、消費者への直接施与などによる消費のための発泡可能および／または流動可能な材料の製造および／または送達のための装置、システム、および方法を説明する。材料を第１の非発泡状態から第２の発泡状態に変換するための装置および／またはシステムが提供され、材料を第１の流動不能、または半流動可能な状態から第２の流動可能な状態に変換するための装置および／システムが、提供される。
2018525289.tif 000002
【特許請求の範囲】
【請求項１】
製品であって、
摂取可能な物質を保持するようにサイズ設定された第１の空洞を有する容器と、
前記容器からの経路を形成する送達ノズルであって、近位部分および遠位部分を含み、前記近位部分は、消費者の口に受け入れられるようにサイズ設定され適合され、前記近位部分は、さらに、前記摂取可能な物質を前記消費者の前記口に送達するように適合された前記経路からの出口開口を有する、送達ノズルと、
前記送達ノズルに関連付けられ、内部の前記摂取可能な物質にアクセスするために前記容器の前記第１の空洞に関連付けられた供給機構を有する弁機構であって、前記摂取可能な材料の、前記第１の空洞内の前記供給機構の入口開口から、前記送達ノズルによって形成された前記経路を通り、前記送達ノズルの前記出口開口までの流れを調節するように構成された弁を有する、弁機構と、
消費者操作可能な流れ制御装置であって、前記消費者が前記消費者操作可能な流量制御装置に加えた物理力に基づいて、流れ無しと最大流量の間で前記流れを変化させるように前記弁を制御する、消費者操作可能な流れ制御装置と、
推進機構であって、前記弁が前記消費者操作可能な流れ制御装置によって制御されたとき、前記摂取可能な物質を前記消費者の前記口に送達するために、前記摂取可能な物質を、前記供給機構を通り、前記送達ノズルの前記遠位部分から出るように推進するのに十分な正圧を前記第１の空洞内に生成するように構成される、推進機構とを備え、
それにより、前記摂取可能な材料が送達される間、前記入口開口は、地心に向かって最も近くにある前記容器の一部分の近位にあり、前記供給機構の前記入口開口から前記送達ノズルの前記出口開口までのベクトルと、前記供給機構の前記入口開口から前記地心までのベクトルとの間の角度は、９０度を上回るようになる、製品。
【請求項２】
前記弁機構が、前記送達ノズルの前記遠位部分に関連付けられる、請求項１に記載の製品。
【請求項３】
前記送達ノズルの前記近位部分を通る前記経路が、前記経路から前記遠位部分を通って角度付けされる、請求項１に記載の製品。
【請求項４】
前記容器の前記第１の空洞に連結された発泡機構であって、発泡剤を用いて、前記摂取可能な物質を非発泡状態から発泡状態に変換し、前記送達ノズルの前記出口開口から退出させるように適合された発泡機構をさらに備える、請求項１に記載の製品。
【請求項５】
前記発泡機構が、前記消費者操作可能な流れ制御装置の作動に基づいて制御される、請求項４に記載の製品。
【請求項６】
前記摂取可能な物質が飲料を含む、請求項１に記載の製品。
【請求項７】
前記摂取可能物質が、流動可能な食品材料を含む、請求項１に記載の製品。
【請求項８】
前記送達ノズルの前記近位部分が、前記出口開口に可撓性部材を少なくとも部分的に含む、請求項１に記載の製品。
【請求項９】
前記弁と前記送達ノズルの前記出口開口との間の前記経路が、可撓性である、請求項１に記載の製品。
【請求項１０】
前記推進機構が、前記第１の空洞への消費者操作可能な導管の作動時に前記第１の空洞に導入される推進剤を含む、請求項１に記載の製品。
【請求項１１】
前記容器が、前記消費者操作可能な導管によって前記第１の空洞に結合された第２の空洞を含み、前記第２の空洞は、前記第１の空洞内に前記正圧を作り出す推進剤を含む、請求項１に記載の製品。
【請求項１２】
前記推進剤が気体である、請求項１０に記載の製品。
【請求項１３】
前記推進機構が、前記弁の前記消費者操作可能な流れ制御装置の作動時に前記第１の空洞から混合チャンバに導入される気体推進剤を含み、前記気体推進剤は、前記摂取可能な物質を非発泡状態から発泡状態に変換して前記送達ノズルの出口開口を退出させる発泡剤である、請求項４に記載の製品。
【請求項１４】
前記摂取可能な物質を前記発泡状態に変換する前記気体割合の量が、前記消費者操作可能な流れ制御装置によって制御可能である、請求項１３に記載の製品。
【請求項１５】
製品であって、
摂取可能な物質を非発泡状態で保持するための第１の空洞を有する容器と、
前記容器の前記第１の空洞からの経路を形成する送達ノズルであって、前記容器から延びる遠位部分と、消費者の口に受け入れられるようにサイズ設定され適合された近位部分であって、前記摂取可能な物質を前記消費者の前記口に直接送達するように適合された前記経路からの出口開口を有する、近位部分とを備える、送達ノズルと、
前記送達ノズルの前記経路を通る前記摂取可能な物質の通過を制御する弁であって、前記送達ノズルに結合された近位部分と、前記容器の前記第１の空洞に関連付けられた遠位部分とを有する、弁と、
前記弁に連結された消費者操作可能な流れ制御装置であって、前記摂取可能な物質の、前記第１の空洞から、前記送達ノズルの前記経路を通り、前記出口開口から出る流れを制御し、調節する、消費者操作可能な流れ制御装置と、
前記弁の前記遠位部分に結合された近位端部と、前記第１の空洞内に配置された第１の遠位端部であって、入口開口を有する、遠位端部とを有する供給機構と、
前記第１の空洞に連結された推進機構であって、前記弁の前記消費者可能な流れ制御装置の作動に基づいて、前記摂取可能な物質を前記消費者の前記口に送達するために、前記摂取可能な物質を、前記入口開口に入り、前記供給機構を通り、前記送達ノズルの前記遠位部分の前記出口開口から出るように推進する、推進機構とを備え、
それにより、前記摂取可能な材料が送達される間、前記入口開口は、地心に向かって最も近くにある前記容器の一部分の近位にあり、前記供給機構の前記入口開口から前記送達ノズルの前記出口開口までのベクトルと、前記供給機構の前記入口開口から地心までのベクトルとの間の角度は、９０度を上回る、製品。
【請求項１６】
製品であって、
摂取可能な物質を非発泡状態で保持するための第１の空洞を有する容器と、
前記容器の前記第１の空洞からの経路を形成する送達ノズルであって、前記容器から延びる遠位部分と、消費者の口に受け入れられるようにサイズ設定され適合された近位部分であって、前記摂取可能な物質を前記消費者の前記口に直接送達するように適合された前記経路からの出口開口を有する、近位部分とを備える、送達ノズルと、
前記送達ノズルの前記経路を通る前記摂取可能な物質の流れを制御する弁であって、前記送達ノズルに結合された近位部分と、前記容器の前記第１の空洞内の供給機構に関連付けられた遠位部分とを有し、前記供給機構は入口開口を有する、弁と、
前記弁に連結された消費者操作可能な流れ制御装置であって、前記弁を制御し、前記摂取可能な物質の、前記第１の空洞から、前記送達ノズルの前記経路を通り、前記出口開口から出る流れを調節する流れ制御装置と、
前記第１の空洞に関連付けられた推進機構であって、前記摂取可能な物質を前記送達ノズルの前記出口開口に送達するために、前記弁の前記消費者操作可能な流れ制御装置の作動に基づいて、装置前記摂取可能な物質を、前記供給機構を通るように推進する、推進機構と、
前記摂取可能な物質を前記非発泡状態から発泡状態に変換して前記送達ノズルの前記出口開口から前記発泡状態で退出させる発泡剤を有する発泡機構とを備え、
それにより、前記摂取可能な材料が送達される間、前記入口開口は、地心に向かって最も近くにある容器の一部分の近位にあり、前記供給機構の前記入口開口から前記送達ノズルの前記出口開口までのベクトルと、前記供給機構の前記入口開口から前記地心までのベクトルとの間の角度は、９０度を上回るようになる、製品。
【請求項１７】
摂取可能な物質を含む容器用の送達キャップであって、
前記容器の内側空洞への開口部を有する前記容器の部分にわたってシールするキャップと、
消費者の口に受け入れられるようにサイズ設定され適合された近位部分と、前記キャップに結合された遠位部分とを有する送達ノズルであって、前記近位部分は、前記摂取可能な物質を前記消費者の前記口に直接送達するように適合された経路からの出口開口を有する、送達ノズルと、
前記送達ノズルの前記経路を通る前記摂取可能な物質の通過を制御する弁であって、前記送達ノズルに結合された近位部分と、前記容器の前記部分の前記開口部を通って前記容器の前記内側空洞に関連付けられた遠位部分であって、入口開口を有する遠位部分、とを有する、弁と、
前記弁に連結された消費者操作可能な流れ制御装置であって、前記摂取可能な物質の、前記内側空洞から、前記送達ノズルの前記経路を通り、前記出口開口から出る流れを制御し、調節する、消費者操作可能な流れ制御装置とを備え、
それにより、前記摂取可能な材料が送達される間、前記入口開口は、地心に向かって最も近くにある前記容器の一部分の近位にあり、前記供給機構の前記入口開口から前記送達ノズルの前記出口開口までのベクトルと、前記供給機構の前記入口開口から前記地心までのベクトルとの間の角度は、９０度を上回るようになる、送達キャップ。
【請求項１８】
摂取可能な物質を保持するようにサイズ設定された空洞を有する容器用の装置であって、
前記容器からの経路を形成する送達ノズルであって、消費者の口に受け入れられるようにサイズ設定され適合された近位部分と、キャップに結合された遠位部分とを有し、前記近位部分は、前記摂取可能な物質を前記消費者の前記口に直接送達するように適合された経路からの出口開口を有する、送達ノズルと、
前記送達ノズルに結合され、内部の前記摂取可能な物質にアクセスするために前記容器の前記空洞と界接するように構成された供給機構を有する弁機構であって、前記摂取可能な材料の、前記第１の空洞から、前記送達ノズルによって形成された前記経路を通る流れを調節するように構成された弁を有する、弁機構と、
前記供給機構に関連付けられたキャップであって、前記キャップを前記容器で保持するための保持機構と、前記キャップと前記容器の間の界接面をシールして前記容器の前記空洞をシールするためのシーリング機構とを有する、キャップと、
消費者操作可能な流れ制御装置であって、前記消費者が前記消費者操作可能な流れ制御装置に加えた物理力に基づいて、流れ無しと最大流量の間で前記流れを変化させるように前記弁を制御する、消費者操作可能な流れ制御装置とを備え、
それにより、前記摂取可能な材料が送達される間、前記入口開口は、地心に向かって最も近くにある前記容器の一部分の近位にあり、前記供給機構の前記入口開口から前記送達ノズルの前記出口開口までのベクトルと、前記供給機構の前記入口開口から前記地心までのベクトルとの間の角度は、９０度を上回るようになる、装置。
【請求項１９】
推進機構であって、前記弁が前記消費者操作可能な流れ制御装置によって制御されたとき、前記摂取可能な物質を前記消費者の前記口に送達するために、前記摂取可能な物質を、前記供給機構を通り、前記送達ノズルの前記遠位部分から出るように推進するのに十分な圧力を前記第１の空洞内に生成するように構成される、推進機構をさらに備える、請求項１８に記載の装置。
【請求項２０】
摂取可能な物質を提供するための装置であって、
摂取可能な物質を保持するための第１の空洞を有する容器であって、前記第１の空洞は、可動部分を有する、容器と、
前記容器からの経路を形成する送達ノズルであって、前記容器から延びる遠位部分と、前記摂取可能な物質を外部の食品に送達するように適合された前記経路からの出口開口を有する近位部分とを備える、送達ノズルと、
前記送達ノズルに結合され、内部の前記摂取可能な物質にアクセスするために前記容器の前記第１の空洞に関連付けられた供給機構を有する弁機構であって、前記摂取可能な材料の、前記第１の空洞から、前記送達ノズルによって形成された前記経路を通る流れを調節するように構成された弁を有する、弁機構と、
前記弁に機械的に結合された消費者操作可能な流れ制御装置であって、前記消費者が前記消費者操作可能な流量制御装置に加えた物理力の程度に比例して、流れ無しと最大流量の間で前記流れを変化させるように前記弁を制御する、消費者操作可能な流れ制御装置と、
前記第１の空洞に結合された推進機構であって、前記弁が前記消費者操作可能な流れ制御装置によって制御されたとき、前記摂取可能な物質を外部のものに送達するために、前記摂取可能な物質を、前記第１の空洞から、前記供給機構を通り、前記送達ノズルの前記遠位部分から出るように推進するのに十分な圧力を前記第１の空洞の前記可動部分に対して生成する、推進機構とを備える、装置。
【請求項２１】
前記第１の空洞の前記可動部分が、変形可能なブラダを含む、請求項２０に記載の装置。
【請求項２２】
前記推進機構が、前記第１の空洞の少なくとも前記可動部分を包囲する第２の空洞を含む、請求項２０に記載の装置。
【請求項２３】
前記第２の空洞が、前記第１の空洞の前記可動部分に対して空気圧を及ぼす、請求項２２に記載の装置。
【請求項２４】
前記第２の空洞が、前記第１の空洞に対して圧力を及ぼすように動くピストンに関連付けられる、請求項２１に記載の装置。
【請求項２５】
前記可動部分が、ピストンを含む、請求項２０に記載の装置。
【請求項２６】
前記推進機構が、前記第１の空洞の前記可動部分に対して圧力を及ぼす弾性部材を含む、請求項２０に記載の装置。
【請求項２７】
前記推進機構が、前記第１の空洞の前記可動部分に対して圧力を及ぼすばね部材を含む、請求項２０に記載の装置。
【請求項２８】
前記容器に剛性に取り付けられた消費者操作式空気ポンプであって、前記消費者操作式空気ポンプに力が及ぼされたとき、前記第１の空洞の前記可動部分に対して圧力を及ぼすための消費者操作式空気ポンプをさらに備える、請求項２０に記載の装置。
【請求項２９】
前記推進機構が、気体を保持する第２の空洞を含む、請求項２０に記載の装置。
【請求項３０】
複数の第１の空洞であって、その各々が、異なる摂取可能な物質を保持するように適合され、可動部分を有する、複数の第１の空洞をさらに含み、
前記推進機構は、前記複数の第１の空洞の各々に結合されて、前記弁が前記消費者操作可能な流れ制御装置によって制御されたとき、前記摂取可能な物質を前記外部食品に送達するために、前記摂取可能な物質を、前記複数の第１の空洞の１つまたは複数の各々から、前記供給機構を通り、前記送達ノズルの前記遠位部分から出るように推進するのに十分な圧力を、前記複数の第１の空洞の前記１つまたは複数の前記可動部分に対して生成する、請求項２０に記載の装置。
【請求項３１】
前記消費者操作可能な流れ制御装置が、前記複数の第１の空洞の前記１つまたは複数の各々からの各摂取可能な物質の送達の割合を変えるように適合される、請求項３０に記載の装置。
【請求項３２】
前記送達ノズルに結合された混合チャンバであって、前記複数の第１の空洞の前記１つまたは複数の各々からの各摂取可能な物質を混合するための混合チャンバをさらに備える、請求項３０に記載の装置。
【請求項３３】
前記ノズルが、前記複数の第１の空洞のうちの１つから前記複数の第１の空洞のうちの別の空洞に回転する、請求項３０に記載の装置。
【請求項３４】
前記推進機構によって生成された圧力が、前記複数の第１の空洞の１つまたは複数に選択的に加えられる、請求項３０に記載の装置。
【請求項３５】
加圧気体を前記摂取可能な物質と混合して、前記摂取可能な物質を非発泡状態から発泡状態に変換し、前記送達ノズルの前記出口開口を前記発泡状態で退出させるための発泡チャンバを有する発泡機構をさらに備える、請求項２０に記載の装置。
【請求項３６】
前記推進機構が、前記加圧気体を含む第２の空洞を含み、前記発泡機構が、前記加圧気体を前記発泡チャンバに送達するための前記第２の空洞から前記発泡チャンバまでの導管を含み、前記発泡機構は、さらに、前記発泡チャンバへの前記加圧気体の流れを調節するための第２の弁を備える、請求項３５に記載の装置。
【請求項３７】
前記導管が、前記第１の空洞の前記可動部分を通過する、請求項３６に記載の装置。
【請求項３８】
前記第２の空洞が、前記第１の空洞に対して圧力を及ぼすように動くピストンに関連付けられ、前記導管は、前記ピストンの開口を通過する、請求項３６に記載の装置。
【請求項３９】
前記第２の空洞が、圧力下で剛性である容器本体によって境界付けられる、請求項２２に記載の装置。
【請求項４０】
摂取可能な物質を提供するための装置であって、
摂取可能な物質を保持するための第１の空洞を有する容器であって、前記第１の空洞は、可動部分を有する、容器と、
前記容器からの経路を形成する送達ノズルであって、前記容器から延びる遠位部分と、前記摂取可能な物質を消費者の口に直接送達するように適合された前記経路からの出口開口を有する近位部分とを備える、送達ノズルと、
前記送達ノズルに結合され、内部の前記摂取可能な物質にアクセスするために前記容器の前記第１の空洞に関連付けられた供給機構を有する弁機構であって、前記摂取可能な材料の、前記第１の空洞から、前記送達ノズルによって形成された前記経路を通る流れを調節するように構成された弁を有する、弁機構と、
前記弁に機械的に結合された消費者操作可能な流れ制御装置であって、前記消費者が前記消費者操作可能な流量制御装置に加えた物理力の程度に比例して、流れ無しと最大流量の間で前記流れを変化させるように前記弁を制御する、消費者操作可能な流れ制御装置と、
前記第１の空洞に結合された推進機構であって、前記弁が前記消費者操作可能な流れ制御装置によって制御されたとき、前記摂取可能な物質を外部のものに送達するために、前記摂取可能な物質を、前記第１の空洞から、前記供給機構を通り、前記送達ノズルの前記遠位部分から出るように推進するのに十分な圧力を前記第１の空洞の前記可動部分に対して生成する、推進機構とを備える、装置。
【請求項４１】
前記第１の空洞の前記可動部分が、変形可能なブラダを含む、請求項４０に記載の装置。
【請求項４２】
前記推進機構が、前記第１の空洞の少なくとも前記可動部分を包囲する第２の空洞を含む、請求項４０に記載の装置。
【請求項４３】
前記第２の空洞が、前記第１の空洞の前記可動部分に対して空気圧を及ぼす、請求項４２に記載の装置。
【請求項４４】
前記第２の空洞が、前記第１の空洞に対して圧力を及ぼすように動くピストンに関連付けられる、請求項４１に記載の装置。
【請求項４５】
前記可動部分が、ピストンを含む、請求項４０に記載の装置。
【請求項４６】
前記推進機構が、前記第１の空洞の前記可動部分に圧力を及ぼす弾性部材を含む、請求項４０に記載の装置。
【請求項４７】
前記推進機構が、前記第１の空洞の前記可動部分に対して圧力を及ぼすばね部材を含む、請求項４０に記載の装置。
【請求項４８】
前記容器に剛性に取り付けられた消費者操作式空気ポンプであって、前記消費者操作式空気ポンプに力が及ぼされたとき、前記第１の空洞の前記可動部分に対して圧力を及ぼすための消費者操作式空気ポンプをさらに備える、請求項４０に記載の装置。
【請求項４９】
前記推進機構が、気体を保持する第２の空洞を含む、請求項４０に記載の装置。
【請求項５０】
複数の第１の空洞であって、その各々が、異なる摂取可能な物質を保持するように適合され、可動部分を有する、複数の第１の空洞をさらに含み、
前記推進機構は、前記複数の第１の空洞の各々に結合されて、前記弁が前記消費者操作可能な流れ制御装置によって制御されたとき、前記摂取可能な物質を前記外部食品に送達するために、前記摂取可能な物質を、前記複数の第１の空洞の１つまたは複数の各々から、前記供給機構を通り、前記送達ノズルの前記遠位部分から出るように推進するのに十分な圧力を、前記複数の第１の空洞の前記１つまたは複数の前記可動部分に対して生成する、請求項４０に記載の装置。
【請求項５１】
前記消費者操作可能な流れ制御装置が、前記複数の第１の空洞のうちの前記１つまたは複数の各々からの各摂取可能な物質の送達の割合を変えるように適合される、請求項５０に記載の装置。
【請求項５２】
前記送達ノズルに結合された混合チャンバであって、前記複数の第１の空洞の１つまたは複数の各々からの各摂取可能な物質を混合するための混合チャンバをさらに備える、請求項５０に記載の装置。
【請求項５３】
前記ノズルが、前記複数の第１の空洞のうちの１つから前記複数の第１の空洞のうちの別の空洞に回転する、請求項５０に記載の装置。
【請求項５４】
前記推進機構によって生成された前記圧力が、前記複数の第１の空洞の前記１つまたは複数に選択的に加えられる、請求項５０に記載の装置。
【請求項５５】
加圧気体を前記摂取可能な物質と混合して、前記摂取可能な物質を非発泡状態から発泡状態に変換し、前記送達ノズルの前記出口開口を前記発泡状態で退出させるための発泡チャンバを有する発泡機構をさらに備える、請求項４０に記載の装置。
【請求項５６】
前記推進機構が、前記加圧気体を含む第２の空洞を含み、前記発泡機構が、前記加圧気体を前記発泡チャンバに送達するための前記第２の空洞から前記発泡チャンバまでの導管を含み、前記発泡機構は、さらに、前記発泡チャンバへの前記加圧気体の流れを調節するための第２の弁を備える、請求項５５に記載の装置。
【請求項５７】
前記導管が、前記第１の空洞の前記可動部分を通過する、請求項５６に記載の装置。
【請求項５８】
前記第２の空洞が、前記第１の空洞に対して圧力を及ぼすように動くピストンに関連付けられ、前記導管は、前記ピストンの開口を通過する、請求項５６に記載の装置。
【請求項５９】
前記第２の空洞が、加圧下で剛性の容器本体によって境界付けられる、請求項４２に記載の装置。
【発明の詳細な説明】
【関連出願の相互参照】
【０００１】
本出願は、２０１５年７月１５日出願の同時係属中の米国仮特許出願第６２／１９２，９９１号明細書に対する優先権を主張する。前述の出願日の優先権が主張され、この仮特許出願は、その全体が参照により本明細書に組み込まれる。
【技術分野】
【０００２】
以下の開示は、消費のための発泡可能および／または流動可能な材料の製造および送達ならびにその製造方法、およびこの材料を保存しおよび／または吐出するための器に関する。
【背景技術】
【０００３】
発泡可能な材料は当該技術分野において公知である。たとえば、ホイップクリームは、加圧下でキャニスタ内に保存されることが知られており、それにより、たとえばデザートなどの食品に施与されているとき、ホイップクリームは、振とうされ圧力から解放されたとき、キャニスタから排出される。このホイップクリームを食品に添加することにより、これが施与される土台となる食品の風味を高めるような経験が与えられ、それによって全体的な消費経験をより楽しくする。このように、ホイップクリームは、食品添加剤として当該技術分野で使用されており、直接的消費のために調合されていない。すなわち、ホイップクリームは、それ自体がキャニスタから直接消費されることを意図しない。
【０００４】
ホイップクリームは、手作業で調製することができ、便利な大量消費向けに、たとえばすぐに使用できる調合物として製造されるなどの場合、しばしば柔軟な菓子の装飾用ペストリーバッグなどのいずれの適切な方法でも保存することができるが、ホイップクリームは、圧力下で、その内容物をそのような圧力下で維持することができる剛性キャニスタ内に保存されることもある。たとえば、吐出容器内に配置する前に、クリームは、気泡がクリームのマトリックス内に混合されてコロイド材料を生み出すようにしてホイップされ、このコロイド材料は、一部の事例ではホイップされるおよび／または吐出される前、その体積の２倍または３倍となり得る。通常、このようなコロイド濃度を有する材料を形成するために、材料は、キャニスタ内に保存するか、またはキャニスタから吐出する前などに、材料がホイップされるときに泡を閉じ込めることができるマトリックスを形成することができなければならない。したがって、従来、発泡可能な材料と見なすために、材料は、吐出の前などに、コロイドを形成するために気泡を捕捉することができる脂肪滴のネットワークを有する、バター脂肪などの少なくとも３０％の脂肪などの脂肪から構成される必要があると仮定されていた。
【０００５】
さらに、ホイップクリームのような発泡可能な材料は、エアロゾルなどの推進剤と組み合わせて圧力下で、その内容物をそのような圧力下で維持することができるように適合され、最小構成の放出弁を有するキャニスタ内に保存する必要があり、それにより、吐出されるためには、放出弁を作動させる前にキャニスタ内の材料を反転させなければならない。したがって、適切に使用されるとき、キャニスタは反転され、弁が押し下げられ、その後加圧された内容物が放出される。そのような最小構成の放出弁は、反転を伴わずに作動された場合に推進剤が急速に枯渇し、内容物にアクセスできなくなり、これを使用できなくするような間違った作動を許すため、問題となる。
【０００６】
これらの推進剤は、キャニスタ内に圧力下で保存され、２つの機能を果たす。まず、これは、コロイド状のクリーム調合物内に気体を懸濁させた状態に保つ。第２に、放出弁が始動したときにホイップクリームをキャニスタから出るように強制する推進剤としての役割を果たす。通常、キャニスタと放出弁との間には、保存されたホイップクリームを圧力下で維持するのを助ける気密シールがある。しかし、使用によりおよび／またはキャニスタのシールが何らかの方法で損なわれた場合（これはしばしば使用によりおよび／または時間に伴って生じる）、圧縮気体はクリーム調合物を離れることがあり、また、推進剤、たとえば亜酸化窒素と共にキャニスタから漏出するか、または別の形で放出され、その結果、発泡した材料は、容器から放出することができても、消泡されて不快なものになり、食品添加剤として意図された使用に不適切になる。
【０００７】
推進剤はまた、発泡不能な材料を流動可能にするために、発泡不能な材料の送達と併せて使用されている。たとえば、チーズウィズは、加圧下で保存され、二次食品のためのトッピングとして流動可能に送達されるように構成された二次食品である。たとえば、チーズウィズは、チーズ風味材料を含み、この材料は、適切に構成された送達キャニスタ内で、チーズ様材料を流動可能な形態で、クラッカー、野菜、パンなどの二次的食品基材に送達することができるようにして調合されたチーズ味材料を含む。そのような事例では、キャニスタは、２つの区画を有する空洞を含むことができる。チーズ材料を含む第１の区画、および気体を含む第２の区画があり、この２つの区画は、ピストン様の構成を形成するために、可動プラットフォームによって互いに分離されている。この場合、気体はプラットフォームに正圧を及ぼし、それにより、送達ノズルが傾けられたとき、通路が開かれ、ピストンがチーズ様材料を移動させ、ノズルから食品基材上に押し出すことを可能にする。
【０００８】
これらの事例の多くにおいて、クリーム、チーズ、および他のそのような流動可能かつ吐出可能な材料は、消費者による二次食品の消費前などに、その二次食品に食品トッピングを送達するように調合されている。したがって、現在知られている吐出機構は、二次的食品への送達に適合され、ユーザの口への直接的送達に合わせて構成されていない。しかし、そのような既存の吐出機構を使用して食品トッピングを口に直接送達しようとする人が存在するが、満足できる結果には及ばない。特に、たとえば、送達機構の構成および機構ならびにそれらの意図された用途を考慮する場合、結果として生じる問題が多数ある。
【０００９】
たとえば、付随するノズルは、口への送達に合わせて成形されておらず、角度が付けられておらず、キャニスタ自体は、そのような送達に合わせて人間工学的に設計されておらず、機能的操作は、そのような用途を考慮するように適合されていない。より具体的には、そのような二次食品のトッピングを口に直接送達することを主張するユーザは、容器の底部およびその内容物がノズルの上方にくるように、キャニスタを頭の上方で反転位置に保持する必要がある。さもなければ、推進剤が逃げ、および／または送達を開始することができない。しかし、これには、使用前に、腕を持ち上げ、首を後ろに傾け、および／または押しつける必要がある。そのような体のゆがみは不快であり、運動するときなどの動いている間、動かすことができず、視界を妨げ、あらゆる点で心地よくない。さらに、そのような場合では、キャニスタ自体扱いにくくなり、グリップがなくなり、操作が難しくなる。さらに、操作角度がキャニスタの設計寸法内に適切に整合しない場合、飛散および／またはその結果としての気体漏れが、フラストレーション、困惑を引き起こし、および／または結果として身体的損傷の原因となる可能性がある。
【００１０】
したがって、これらの結果により、そのような使用は危険になり、社会的に容認できず、からかわれやすくなる。特に、ファストフードの消費は、運転中にしばしば行われる。しかし、運転中に先行技術のそのような流動可能な材料を消費するには、可能であったとしても、達成することが困難な傾斜した頭部位置を必要とし、さらに、道路から目を離すこと、たとえば前を見ずに上を見ることを必要とし、一般的にそのような使用との両立はできない。さらに、キャニスタ自体ならびにユーザの手も、ユーザの視界を遮る。さらに、既存の吐出機構の操作は、運転に必要な集中を妨げるアクチュエータの器用な操作を必要とし、反転された吐出位置では、キャニスタは、車両のヘッドライナおよび／または他の構造と衝突して、運転を危険にさらす可能性がある。歩いたり、走ったり、サイクリングしたり、または他の形の運動に参加する間、ならびにテレビを見たりおよび／または会話に参加するときにも、同様の問題が発生する可能性がある。たとえば、頭の傾きは、多くの場合、テレビ画面上などでペースが速い動作を追うスポーツイベントに参加することと両立できず、効果的なコミュニケーションにしばしば必要とされるアイコンタクトを妨げ、さらに、無礼でありおよび／または社会的に容認できないと考えられ得るようにして他の人の視野を妨げるなどによって他の人に悪影響を及ぼし得る、気が散るジェスチャーとなる。
【００１１】
上記に見られるように、ホイップクリーム、チーズウィズおよび他のそのような流動可能な食品トッピング機構は、二次食品への材料の施与に焦点を合わせている。現在、吸収可能な食品基材として最適な味と質感を得るために正確に調合されている食品および飲料を、消費者の口に直接送達するように特別に開発され、適切に適合されたシステムは、存在していない。したがって、発泡した流動可能な液体、飲料、および他の食品材料は、味がおいしいことが経験されているので、消費者の口への直接的な送達および消費のために調合することができる、より広範囲のそのような材料の保存、製造、および送達が、当技術において必要である。現在、多種多様な直接消費可能な材料を、発泡される材料の脂肪含有量によって過度に制限されることなく、消費に安全である多種多様な発泡剤によって発泡させることができることが、現在判明している。
【００１２】
さらに、広範囲の液体、飲料、および他の食品材料が、ユーザに自動的に送達するために特別に設計された容器内に流動可能に含まれるように調製され得ることも判明している。したがって、このような発泡可能および／または流動可能な材料のすべてをより高い密度で、たとえば予備発泡状態で保存し、発泡した組成物が送達と実質的に同時に最適に発泡されることを確実にするようにして消費者に直接送達することを可能にする装置、システムおよび／または送達方法が、必要とされている。これは、所与の送達装置内に大量の物質を保存することを可能にするだけでなく、送達時、その結果ユーザによる消費時に、最適な味の経験を喚起するために、正しい量の発泡剤を正しい量の発泡可能な材料と混合することも確実にする。さらに、摂取可能な材料を、消費者に自動的に直接送達することを可能にするようにして、たとえば流動可能な組成物が最適に送達されることを確実にするようにして保存することを可能にする装置、システム、および／または送達方法が必要とされている。本開示の装置、方法およびシステムは、消費可能な製品における個人の選択および楽しみを最大にしつつ、これらおよび他の関連するニーズの１つまたは複数を満たすことを目的とする。
【発明の概要】
【００１３】
本開示は、その多くの態様において、消費者の口に直接施与するなどの消費者への直接施与などによる消費のための発泡可能および／または流動可能な材料の製造および／または送達のための装置、システム、および方法を説明する。したがって、１つの態様では、材料を第１の非発泡状態から第２の発泡状態に変換するための装置および／またはシステムが提供される。別の態様では、材料を第１の流動不能な状態または半流動可能な状態から第２の流動可能な状態に変換するための装置および／またはシステムが提供される。一部の事例では、装置および／またはシステムは、発泡可能および／または流動可能な材料のユーザへの送達を助けるように構成され得る。別の態様では、方法が提供され、この方法は、発泡可能および／または流動可能な材料を第１の非発泡および／または半流動可能または流動不能な状態から第２の発泡したおよび／または流動可能な状態に変換すること、および／または発泡可能かつ流動可能な材料を容器内からユーザの口に直接送達することを目的とする。さらなる態様では、発泡したおよび／または流動可能な消耗可能な製品が提供され、その発泡したおよび／または流動可能な材料は、本明細書に提示する方法で、発泡可能であるおよび／または流動可能であるとこれまで知られていなかった材料から導出され、および／またはプロセスによって製造される。したがって、追加の態様では、新規の装置、これらを製造し、および／またはこれらを使用して、消費などのための発泡したおよび／または流動可能な材料を製造するための方法が、提供される。そのような材料、装置、および方法を含むシステムもまた提供される。
【００１４】
たとえば、第１の態様では、発泡したおよび／または流動可能な材料を発泡させ、流動させ、および／または含むための装置が提供される。さまざまな事例では、装置は容器を含む。消耗可能なまたは別の形で摂取可能な材料などの材料を保持することができる限り、いずれの適切な容器も使用することができ、この材料は、加圧下で保持されてよく、たとえばこの場合、圧力は、材料または材料を保持する容器に加えられ、それによって材料を、非発泡から発泡状態、および／または流動不能なまたは半流動可能な状態から流動可能な状態のように１つの状態から別の状態に変換する。容器は、円形、三角形、正方形、長方形、丸形、球形、円筒形、立方体、管状、および／または上記の混合体などのいずれかの適切な形状およびいずれかの適切なサイズのものとすることができる。たとえば、１つの特定の事例では、容器は、細長い本体部分によって互いに分離された近位部分および遠位部分を有する拡張したおよび／または管状の本体などの本体を有することができ、その拡張したおよび管状の本体は、発泡したおよび／または流動可能な材料、または発泡され流動可能にされる材料、および／または１つまたは複数の発泡剤および／または推進剤を含むように構成された空洞などの、１つまたは複数の空洞を封入するか、または別の形で境界付けすることができる。
【００１５】
したがって、特定の事例では、拡張したおよび／または管状の本体は、非発泡のおよび／または流動不能な状態から発泡したおよび／または流動可能な状態までの１つまたは複数の状態で材料を保持するように適合された空洞などの空洞を少なくとも部分的に境界付けるように構成される。そのような事例では、空洞は、近位端部分および／または遠位端部分の１つまたは複数によって境界付けられてよい。特に、一部の事例では、容器は箱様であり、対向する前面および背面、ならびに左右の側面などの複数の対向する表面から形成された細長い本体を含み、たとえばこの場合、前面および背面は、対向する側面によって互いに分離されている。同様に、箱様容器は、さらに、対向する上面および底面を含むことができる。したがって、そのような事例では、細長い本体は、細長い本体の上部分および／または底部分を閉じ、それによって空洞を封入するための、たとえば、対向する境界面を横切る上部材および／または底部材の一方または両方を含むことができる。
【００１６】
さまざまな他の事例では、拡張本体は、管状形状に構成された１つまたは複数の壁を含むことができ、たとえばこの場合、拡張本体は、空洞を境界付けるように湾曲した単一の壁を含み、たとえばこの場合、壁は、空洞に面した内面、および内面に対向する外面などの複数の表面を含む。そのような事例では、壁は空洞のための境界部材を形成し、さまざまな実施形態では、細長い本体の上部分および／または底部分を閉じ、それによって空洞を封入するための、たとえば境界壁を横切る上部材および／または底部材の一方または両方を含むことができる。一部の事例では、上部材および／または底部材は、取り外し可能および／または交換可能とすることができる。さまざまな事例では、境界面および／または壁は、拡張本体に角度の付いたまたは湾曲した形状を与えるように１つまたは複数の角度または曲線を含み、それによって、容器の発泡および／または流動する作用をよりよく調整するために内部表面積を増減することができる。
【００１７】
構成にかかわらず、拡張本体部材は、１つまたは複数の内部分、たとえば管腔または区画を含む空洞のように空洞を境界付けるように構成されてよく、拡張本体の内面は、管腔および／または区画のための境界部材を形成し、この管腔または区画は、たとえば予備発泡状態の発泡される材料、半発泡した材料、または発泡した材料、および／またはたとえば流動可能前状態、半流動可能な状態、または流動可能な状態の流動可能な材料、発泡剤、および／または推進剤の１つまたは複数を保持するように構成され得る。したがって、さまざまな事例では、容器が提供され、この容器は、発泡可能および／または流動可能な材料をその中に保持する空洞を含み、この空洞は、発泡剤および／または推進剤の１つまたは複数をさらに含むことができ、および／または同じものを含む別の空洞に連結されてよい。他の事例では、空洞は、たとえば、１つまたは複数のパーティションまたは仕切りによって、区画または副区画に細分することができ、たとえばこの場合、各副区画は、それ自体の管腔を有する。たとえば、容器は、第１、第２、第３、第４、第５、第６等の管腔にさらに分割される空洞を有することができる。
【００１８】
たとえば、一部の実施形態では、容器が提供され、この容器は、少なくとも第１の管腔および第２の管腔を有する少なくとも空洞を含み、たとえばこの場合、第１の管腔は、発泡可能および／または流動可能な材料を保持するように構成され、第２の管腔は、発泡剤および／または推進剤を保持するように構成され、たとえばこの場合、第１および第２の管腔は互いに分離している。他の実施形態では、第３および／または第４の管腔が設けられてよく、たとえばこの場合、第３および／または第４の管腔は、推進剤および／または混合チャンバを含む。さまざまな事例では、１つまたは複数の管腔は、容器を離れるときに混合および／または送達される１つまたは複数の材料を含むことができ、発泡剤および推進剤の１つまたは複数をさらに含むことができる。
【００１９】
特に、さまざまな実施形態では、容器は、複数の容器部分を含み、たとえばこの場合、容器は、発泡可能な材料を保持するなどのための第１の容器部分と、発泡剤および／または推進剤を保持するなどのための第２の容器部分とを含み、第１および第２の容器部分は、１つまたは複数の仕切り部分によって互いに分離されている。そのようなさまざまな事例では、第１の容器部分は、第２の容器部分と連通していなくてもよく、たとえばこの場合、容器は、管腔を２つのセクション、たとえば、容器から排出される材料を含むセクションと、気体などの発泡剤および／または推進剤を含むセクションとに分割する、非可動壁、伸張可能なブラダ、または可動性および／または可撓性ダイアフラムなどの弾性部材を含む。たとえば、第２の容器部分は、発泡剤および／または推進剤に対して実質的に不浸透性である壁、弾性部材、またはダイアフラムを含むことができ、したがって、たとえば発泡および／または推進剤の気体がブラダおよび／またはダイアフラムに対して及ぼす力によって引き起こされた正圧下にあることができる。
【００２０】
そのような事例では、容器またはそこを通る通路が開放されると、圧力下で含まれた材料のボリュームが、開口部を通って逃げることができる。これに対応して、気体がブラダを押しつけて膨張すると、材料を含む管腔が圧縮され、またはダイアフラムが含まれる場合、ダイアフラムを引っ込め、それによって管腔の容積を低減し、空洞内の内容物を排出することを可能にする。しかし、他のさまざまな事例では、複数の容器部分は、透過性界接面、壁、および／または１つまたは複数の導管などによって、互いに連通していてもよい。たとえば、さまざまな異なる区画および／またはその中に保存された材料の間の連通を可能にするために、壁または仕切りなどの容器部分の境界付け部材内に１つまたは複数の通路および／または弁を設けることができる。さらに、さまざまな実施形態では、１つまたは複数の導管が存在することができ、それにより、複数の区画または区画内の材料は、容器の一部であってもなくてもよい混合チャンバなどの追加の区画に供給され、この追加の区画内では、発泡したおよび／または流動可能な材料をその中に形成するなどのために、２つ以上の材料が相互混合される。
【００２１】
たとえば、１つの実施形態では、容器が提供され、この容器は、発泡可能および／または流動可能な材料などの、送達される材料を含む管腔を有する少なくとも第１の区画と、発泡剤および／または推進剤を含む管腔を有する、第２の区画とを含み、たとえばこの場合、第１の区画は、第２の区画から仕切りによって分離されており、仕切りは、一方の区画から他方の区画への内容物の流れを可能にしおよび／または制御するように構成された導管または通路を含む。そのような事例では、導管は、たとえば制御可能な弁などの弁が取り付けられた開口部のような開口部とすることができ、それによってこの開口部は、第１および第２の区画を連結してその２つの間の流れを可能にし、弁は、その流れの速度を制御するようにさらに構成され得る。
【００２２】
弁は、完全に開いた状態から完全に閉じた状態までおよびその間の変動の可変寸法のオリフィスを有することができ、その開閉はアクチュエータによって制御され得る。より具体的には、アクチュエータは、導管の一部分のオリフィスの開閉を制御し、それによってその通路を通る流れを制御するように構成され得る。たとえば、１つの区画から他の区画へなどの、発泡可能な材料への発泡剤の流れを制御して、発泡可能な材料を非発泡状態から発泡状態に変換し、および／または流動可能な材料を容器の管腔から排出し、ならびに／または１つの区画から他の区画へなどの、流動可能な材料への推進剤の流れを制御して、流動不能なまたは半流動可能な材料を第１の状態から流動可能な状態に変換し、および／または流動可能な材料を容器の管腔から排出する。他の実施形態では、導管は、第１のチャンバと相互連結された第１の導管および第２のチャンバと相互連結された第２の導管などの複数の導管であってよく、この２つの導管自体は、第３のチャンバに相互連結されてよく、この第３のチャンバは、容器内および／またはそれに関連する吐出機構内に存在することができ、それによって、第１および第２の導管は、第３のチャンバ、たとえば混合チャンバに供給し、それによって、第１および第２のチャンバの内容物が、たとえば、第３のチャンバ内で、たとえば第３の導管または他の通路などを通る吐出前などに、相互混合することを可能にする。
【００２３】
これらの事例のうちの特定のものでは、これらのチャンバの１つまたは複数は、カートリッジなどの取り外し可能な保存チャンバユニットを受け入れるように構成されてよく、たとえば、カートリッジは、発泡可能および／または流動可能な材料ならびに／または発泡剤および／または推進剤の１つまたは複数を含む。たとえば、さまざまな事例では、容器は、内部に発泡および／または推進剤を有する補助チャンバユニットまたはカートリッジを含むように構成されてよく、したがって発泡および／または推進部材として構成することができ、たとえばこの場合、発泡／または推進剤は、亜酸化窒素、窒素、酸素、二酸化炭素、希気体、たとえばアルゴン、ブタン、メタンなどの気体である。したがって、発泡および／または推進部材が、容器に結合され、たとえば容器に挿入され、補助チャンバおよび容器の１つまたは複数に関連する弁が開かれると、推進剤として構成され得る発泡剤が、発泡可能な材料を含むチャンバ内に放出され、これと相互混合することにより、材料を非発泡状態から予備発泡または発泡状態および／または流動不能なまたは半流動可能な状態から流動可能状態に変換することができる。したがって、一部の事例では、容器は、発泡されるおよび／または流動可能に送達される材料を保持するための少なくとも第１のチャンバを含むことができ、発泡剤および／または推進剤を含む別個の区画をさらに含むことができ、別個の区画は、発泡剤および／または推進剤を第１のチャンバに放出して、容器内および／または容器からの材料の発泡および／または放出をもたらすように構成された、アクチュエータ機構を含む。
【００２４】
送達される材料は、流動可能および／または発泡可能な、予備発泡のおよび／または発泡した材料などのいずれかの材料であってよい。一部の事例では、材料は、第１の非発泡状態から第２の発泡状態に変換されるように、発泡することができる材料であってよく、一部の事例では、１つまたは複数の追加の発泡状態にさらに変換されてよい。他の事例では、材料は、第１の流動不能な状態または半流動可能な状態から第２の流動可能な状態に変換されるように流動することができる材料であってもよい。たとえば、さまざまな実施形態では、材料は、たとえば、消費者の１つまたは複数の手によるアクチュエータの操作などによって、容器のユーザに制御可能に送達されるように構成された飲料または食品、調味料、トッピング、添加剤などの摂取可能な材料であってよい。さまざまな事例では、送達可能な材料は、薬物、薬剤などの流動可能な材料であってよい。
【００２５】
適切な発泡剤は、非発泡材料に施与するか、または別の形でこれと混合されるなどの場合に、非発泡材料を、予備発泡または発泡した材料、または超発泡した材料に変換することができるいずれかの活性剤であってよい。たとえば、発泡剤は、発泡可能な材料に導入されたときおよび／または発泡可能な材料と混合されたときに、これを、実質的に非発泡である状態から予備発泡または発泡した状態に変換し、および／またはこれを超発泡状態に変換することもできる、気体、液体、固定、粉末、懸濁液および／または触媒であってよく、たとえばこの場合、この溶液は、増大した数、密度、または面積の泡、および／または溶液を飛び出すか、または離れるまでの比較的長い時間マトリックス内で持続する泡を含む。適切な推進剤は、容器および／またはその区画の内部から外部へのような材料の流れを引き起こすことができるいずれの１つまたは複数の活性剤であってもよく、流動不能なまたは半流動可能な材料に施与され、または別の形でこれと混合されるなどの場合、この材料を流動可能な材料に変換することができ得る。たとえば、推進剤は、材料、たとえば発泡可能および／または発泡した材料に添加することができ、それにより容器の管腔からの材料の排出を促進することができるいずれの活性剤であってもよい。特定の事例では、一緒に混合されたときに推進および／または発泡剤を形成する複数の活性剤を使用することができる。
【００２６】
さまざまな事例では、発泡および／または推進部材が含まれてよく、たとえばこの場合、発泡および／または推進部材は、機械的機構として構成されてよく、および／または、気体、液体、懸濁液、ピル、粉末などの化学的触媒であってよく、たとえば制御された方法で、摂取可能な材料の移動および／または発泡および／または消費者への送達を引き起こすようにさらに構成され得る。たとえば、推進部材は、消耗可能な材料内に接触および／または少なくとも部分的に包含されるように発泡および／または推進剤の移動をもたらすように構成されてよく、ならびに／または推進部材は、容器の１つまたは複数の区画からのおよび／または容器自体からの発泡したおよび／または流動可能な材料の移動をもたらすように構成されてよい。特に、発泡および／または推進部材は、摂取可能な材料を含むチャンバ内へのおよび／または別の容器部分、たとえば混合チャンバ内への発泡および／または推進剤の移動をもたらすように構成されてよく、この混合チャンバ内には、発泡および／または流動可能な材料を、発泡および／または推進剤と組み合わせるなどして加えることができる。より具体的な事例では、推進部材は、発泡および／または流動可能な材料ならびに／または発泡剤および／または推進剤の１つまたは複数などに加えて、チャンバの１つまたは複数に加えられる追加の材料であってよい。たとえば、発泡および／または推進部材は、容器の１つまたは複数のチャンバまたは空洞内および／またはその間に１つまたは複数の圧力および／または温度勾配を作り出すことができるいずれの活性剤であってもよく、この圧力勾配は、発泡可能な材料を発泡させ、および／または吐出部材、たとえばアクチュエータが作動されたときなどに、発泡可能および／または流動可能な材料を容器から押し出すことができるように使用され得る。
【００２７】
したがって、さまざまな実施形態では、容器の１つまたは複数のチャンバ、たとえば、２つまたは３つのチャンバは、チャンバ間の連通を制御する１つまたは複数の制御弁と共に、容器の混合領域内などで、発泡可能および／または流動可能な材料と発泡剤および／または推進剤との相互混合を可能にし、および／または相互混合の程度および／または速度を調節するように構成されてよく、それによって、発泡剤／推進剤に対する発泡可能および／または流動可能な材料の最適な割合を有する流動可能な消費可能な最終品を生み出すことを確実にするため、結果として生じる発泡したおよび／または流動可能な材料は、所望の量の泡立ち度および／または流動性を有するようになる。この相互混合は、発泡したおよび／または流動可能な材料を容器内に挿入する前に、挿入後は容器内、たとえば容器内の単一の主チャンバ内および／または容器の外部の容器内または容器に関連する混合チャンバなどの補助チャンバ内、および／または容器の吐出部材内で実行され得る。上記で示したように、発泡および／または流動プロセスが容器内で行われる場合、発泡可能および／または流動可能な材料は、同じチャンバ内にあってよく、または、パーティションなどによって、発泡剤および／推進剤から、ただし、材料が、発泡したおよび／または流動可能な材料を生み出すために、起動時に制御された形などで相互混合することができ、および／または容器から排出することができるようにして分離され得る。
【００２８】
したがって、容器内の材料の１つまたは複数がそこを通って輸送することを可能にするための導管が、提供され得る。したがって、さまざまな事例では、導管は、導管を通る流れを調節するための制御弁などの制御機構を含むことができ、したがって、導管は制御放出導管であってよい。特に、さまざまな事例では、容器内のさまざまな材料の流れおよび／または相互混合の速度および程度を調節するために、制御式放出導管を容器の１つまたは複数の境界部材またはパーティション内に含むことができる。そのような事例では、制御式放出導管および容器自体は、使用される発泡および／または推進剤の物理的特性に適応するように、ならびに発泡および／または推進作用に適応するようにして構成され得る。さまざまな事例では、発泡および／または推進剤の帰属性および／または容器およびその部分の構成に応じて、制御式放出導管などの導管は、容器の内部と容器の外部との間、および／または容器内の、または別の形で容器に関連するさまざまな異なるチャンバ間、たとえば発泡可能および／または流動可能な材料を含むチャンバと、発泡および／または推進剤を含むチャンバとの間に圧力差および／または温度差を作り出すのに適したいずれの構成も有することができる。
【００２９】
たとえば、さまざまな実施形態では、制御式放出導管が含まれてよく、この場合、制御放出導管は、機械的に作動するように機械的構成を有することができる。たとえば、制御式放出導管は、低速または急速放出弁、ハンドまたはスクリューポンプ、スクリューおよびプレート、ばね解放プレート、弾性部材、ダイアフラム、破損可能または突き刺し可能な膜、レバー、モータ、コンプレッサ、花火組成物、ピエゾ電気構成要素、または、少なくとも１つの導管またはチャンバ内の圧力を、たとえばそのチャンバの内容物に力を及ぼすことによって上昇させることができる他の機械的および／または電気的要素を含むものの１つまたは複数などとして構成されてよくおよび／またはこれらに別の形で関連付けられてよい。そのような事例では、特定の実施形態では、発泡および／または推進機構および制御式放出導管は、同じものであってもよい。
【００３０】
さまざまな他の実施形態では、制御式放出導管は、少なくとも部分的に電子的に作動するように、電気的構成および／または電気機械的構成を有することができ、またはこれに別の形で関連付けられてよい。たとえば、制御式放出導管は、電子の低速または急速放出弁、電子ポンプ、電子スクリュープレート、電子的に活性化されるばね解放プレート、電子レバーまたはファンまたはプロペラまたはコンプレッサ、電子ソレノイド、電子ＭＥＭＳデバイス、圧電デバイスなどして構成されてよく、またはこれらを別の形で含むことができる。さまざまな事例では、導管が機械的および／または電子的に制御される場合、導管は、機構を制御するマイクロプロセッサなどの制御回路を有することができ、この機構は、さらに、導管の開口部および／またはチャンバの１つまたは複数のサイズ、たとえば容積を制御し、それによって、チャンバ間の排出および／または連通の程度および速度を制御する。そのような事例では、マイクロプロセッサは、ＣＰＵ、メモリ、送信機、受信機、他の通信モジュール、および／または発泡可能な材料の生成された発泡マトリックスまたはコロイド内に捕捉される空気、気体、または他の発泡および／または推進剤の流量、１つまたは複数の流れ特性、および／または量を決定するなどのための１つまたは複数のセンサまたはゲージの１つまたは複数を含むことができる。
【００３１】
さらなる実施形態では、発泡剤および／または推進剤は化学組成物であってよく、制御式放出導管などの導管は、化学的発泡および／または推進剤と発泡可能および／または流動可能な材料との混合を促進するように構成されてよく、たとえばこの場合、発泡剤および／または推進剤は、気体状、液体、ゲル、粉末、懸濁液、および／または半固体または固体の形態などである。たとえば、発泡および／または推進剤は、互いにおよび／または発泡可能な材料および／または容器から排出される材料と相互混合されたとき、容器の導管および／またはチャンバの１つまたは複数内に圧力上昇を引き起こす１つまたは複数の成分であってよく、この圧力の上昇を、導管、たとえば制御放出導管、または他の弁によって使用して、発泡可能な材料を予備発泡させまたは発泡させ、および／またはアクチュエータまたは他の吐出部材の作動などに応答して、この材料を容器から排出するのを促進することができる。たとえば、発泡および／または推進剤は、混合されたときに、発熱または吸熱、または圧力差、たとえば圧力の上昇または低下などを生じさせるようにしてエネルギーを一方の材料から他方の材料に伝達する他の反応を容器の導管および／チャンバ内などに引き起こす、１つまたは複数の要素を含むことができる。たとえば、固体から、半固体、液体、および／または気体などの物理的変化を受け、その結果、たとえば、形態の変化後にチャンバ内のスペースをより多くまたはより少なく占有することによって圧力の増大または低下などの圧力変化を伴う、いずれの消耗可能な化学剤もこのようにして使用されてよい。
【００３２】
さらに、さまざまな事例では、発泡および／または推進剤は、混合されたときに、発熱または吸熱、または温度の上昇または低下などの、混合前とその後の温度間などの温度差を作り出すようにしてシステム内でエネルギーを伝達する他の反応を容器のチャンバ内などに引き起こす、１つまたは複数の要素を含むことができる。さまざまな実施形態では、圧力変化が存在する場合、結果として生じた圧力変化は、発泡可能なおよび／または推進材料などの温度の上下の変化を伴うことができ、この温度の変化は、吐出前などに、発泡可能なおよび／または推進材料を加熱または冷却する目的のために生み出され得る。特定の事例では、発泡剤および／または推進剤の発泡可能なおよび／または推進材料への添加は、容器内などに圧力および／または温度の変化を伴い得る。特定の事例では、発泡および／または推進剤は、二酸化炭素、亜酸化窒素、水素、ヘリウム、アルゴン、他の希気体、圧縮空気などの気体状形態であってよく、気体は、容器内の挿入可能および／または取り外し可能なチャンバなどのチャンバ内に収容され、制御放出導管は、発泡可能なおよび／または推進材料を含むチャンバへの気体の流れを制御し、それにより、気体を発泡可能なおよび／または推進材料と混合したとき、発泡したおよび／または流動可能な材料が生み出される。
【００３３】
したがって、１つの態様では、本開示は、たとえば、所望の量の泡立ち度を有する消費可能な発泡した材料の最終品を生み出すために、発泡剤を発泡可能な材料に導入するなどによって、発泡可能な材料を第１の非発泡状態から第２の発泡状態に変換することを目的とする。たとえば、発泡可能な材料および発泡剤は、混合されたときに、発泡可能な材料が非発泡状態から発泡状態に変換されるように選択され、発泡状態では、発泡可能な材料は、コロイド内に閉じ込められた発泡剤の量によって特徴付けられるコロイド構造を有する。そのような事例では、発泡可能な材料は、発泡剤によって変更され、たとえば、液体状態から、その組成物が発泡剤を含む状態、たとえば発泡状態または部分的発泡状態などに変換される。
【００３４】
たとえば、さまざまな事例では、発泡可能な材料は、発泡および／または推進剤の少なくとも一部分、または発泡および／または推進剤の反応物質をその調合物内に吸収しおよび／または別の形で保持することができる材料である。たとえば、特定の実施形態では、発泡可能な材料は液体であり、発泡剤は、可溶性気体などの気体、溶解性粉末、懸濁液、溶質、液体などの１つまたは複数である。他の実施形態では、発泡可能な材料は、可溶性気体などの気体、溶解性粉末、懸濁液、溶質、液体などの１つまたは複数であってよく、発泡および／または推進剤は、液体であってよい。したがって、さまざまな実施形態では、組成物が提供され、この組成物は、発泡可能な組成物を生成するなどのために発泡可能な材料に発泡剤を導入することによって生み出された調合物を含み、たとえばこの場合、発泡可能な材料は、発泡剤と混合するなどによって、第１の非発泡状態から第２の発泡状態に進む。より具体的には、特定の実施形態では、提供される組成物は、飲料、たとえば発泡飲料などの消耗可能品、または容器のユーザに送達される他の食品である。
【００３５】
特定の事例では、発泡剤および／または推進剤および／またはその反応物は、発泡可能および／または流動可能な材料内に、たとえば活性化可能な潜在形態ですでに存在してもよく、そのような事例では、発泡剤および／または推進剤は、その活性前、非発泡または部分的のみの発泡、または流動可能な状態であってよい発泡可能な材料内では、不活発な状態であるが、発泡剤および／または推進剤の活性化時、これは、潜在的な形態から活性化形態に変換され、それによって、これはその後、発泡可能な材料を、非発泡または部分的発泡状態から発泡または超発泡および／または流動可能な状態に変化させる。特定の事例では、活性化可能な発泡剤および／または推進剤は、いくつかの異なるレベルの活性化が可能であり、したがって、発泡可能な材料を発泡したおよび／または流動可能な材料に、複数回および／または部分的発泡、発泡、超発泡および／または流動可能な状態などからの複数の程度に変換することができる。
【００３６】
特に、特定の事例では、発泡剤は、発泡可能な材料内に、活性化可能な潜在的な形態などですでに存在していてよく、そのような事例では、発泡剤は、活性化前、非発泡または部分的のみの発泡の状態であってよい発泡可能な材料内では、不活発な状態であるが、活性化時、発泡剤は、その潜在的な形態から活性化形態に変換され、それによって、これはその後、発泡可能な材料を、非発泡または部分的発泡状態から発泡または超発泡状態に変化させる。諸例では、活性化可能な発泡剤は、いくつかの異なるレベルの活性化が可能であり、したがって、発泡可能な材料を、発泡した材料に、複数回および／または部分的発泡、発泡、超発泡などからの複数の程度に変換することができる。
【００３７】
より具体的には、特定の事例では、推進剤は、発泡可能および／または流動可能な材料内では不活発な形態にあるが活性化することができる潜在的な形態で存在し、推進剤の活性化時、これは、その潜在的な形態から活性化形態に変換され、それによってこれは、発泡可能な材料を発泡させ、および／または容器から外に、または容器の１つの部分から容器の別の部分に、たとえば流動可能な形態で押し出し、または別の形で推進する。特定の事例では、活性化可能な推進剤は、いくつかの異なるレベルの活性化が可能であり、したがって、発泡した材料を複数回および／または複数の異なる区画などに推進するように作用することができる。
【００３８】
したがって、さまざまな実施形態では、容器が提供され、この容器は、発泡可能および／または流動可能な材料、たとえば発泡しおよび／または流動することができる液体などを含み、少なくとも部分的に可溶性の、たとえば、液体可溶性の発泡および／または流動可能な活性剤などの発泡および／または推進剤をさらに含み、容器は、発泡可能および／または流動可能な材料が、この２つの溶液が生じるように発泡および／または推進剤と相互混合することを可能にするように構成される。さまざまな事例では、発泡可能および／または流動可能な材料と発泡および／または推進剤の相互混合の結果、本明細書に説明するように、圧力および／または温度の上昇または低下などの圧力および／または温度の変化をもたらす。したがって、容器および／またはその構成要素部品は、実質的に変形することなく、ならびに／または、上昇または低下した圧力および／または温度が、活性化されて放出する前にその境界から実質的に逃げることを許さずに、結果として生じるどのような圧力または温度変化にも耐えるように構成され得る。
【００３９】
たとえば、特定の実施形態では、飲料は、上記で説明した容器などの容器内に提供される。そのような事例では、容器は、そこから排出しユーザに送達する前に、非発泡状態などで容器の第１の容器部分内に保持される、発泡可能な材料または他の材料を含むことができる。さまざまな事例では、容器の第２の容器部分内に保持された発泡剤または推進剤などの発泡剤または他の推進剤が含まれてもよい。そのような事例では、第２の容器部分は、二次区画、導管、またはたとえばアクチュエータによって操作可能な他の吐出機構などによって、第１の容器部分に連結され得る。
【００４０】
たとえば、そのような事例では、アクチュエータが作動されるとき、発泡剤および／または推進剤が、含まれた材料に添加されてこれと混合することができ、それによって発泡可能な材料を非発泡状態から発泡状態に変換し、および／または放出弁などを通して容器の外に材料を推進することができる。したがって、さまざまな事例では、容器は、第１および／または第２の容器部分に結合された出口などの出口を含むことができ、それにより、相互混合されたとき、発泡した、流動可能な材料および／または他の材料は、容器の管腔内から容器の外側に、たとえば並進部材などを通って並進し、出口を出て、たとえば消費などのためにユーザに送達することができる。香味剤などの添加剤または甘味料が含まれる場合、香味剤は、発泡した風味のある飲料形態などで材料と共に送達されてよい。
【００４１】
したがって、さまざまな態様では、容器が提供され、さまざまな事例では、容器は、発泡剤および／または推進剤を含むことができるリザーバなどの補助リザーバが結合されるように構成され、このリザーバは、容器内の別個の区画、たとえばその管腔内に含まれてよく、または、容器またはその一部分に、たとえばその中に挿入されることによって別の形で結合されてよく、または容器の境界の外側に、補助リザーバが容器の保持管腔と連通するようにして関連付けられてよい。たとえば、特定の事例では、発泡剤または推進剤を含む発泡部材は、発泡および／または推進部材の収容部を中に有する容器などの容器に結合されるように構成された、挿入可能および／または押し出し可能なリザーバ内などに含められてよい。
【００４２】
したがって、これらのさまざまな実施形態では、容器は、液体形態などの発泡可能および／または流動可能な材料と、発泡剤および／または推進剤、または他の材料との相互混合を促進するように構成されてよく、たとえばこの場合、発泡剤または推進剤は、発泡可能および／または流動可能な材料内に少なくとも部分的に溶解可能であり、少なくとも部分的には、発泡可能な材料の非発泡状態または部分的発泡状態から、発泡または超発泡状態の変換を助けるように機能し、および／または発泡したまたは別の形の材料を容器から排出するように機能する。したがって、さまざまな事例では、発泡可能および／または流動可能な材料は、飲料、またはゲルまたは他の固体または流体マトリックスなどの液体であってよく、発泡剤は、キャニスタ内などで、発泡可能な材料をその現在の状態から発泡状態に変換する。他の事例では、発泡可能な材料は、たとえば容器内では発泡したまたは部分的に発泡した材料であってよく、これに発泡剤を添加した結果、超発泡材料を生み出す。他の事例では、材料は、流されるよう意図された材料であり、推進材料の添加は、その流れを助ける。上記で示したように、発泡および／または推進プロセスは、容器内でまたは容器を通して、たとえば容器内の１つまたは複数の区画または通路内、および／または容器に関連するチャンバまたは通路内、たとえば並進要素の一部であるチャンバ内、および／または放出弁内、および／または導管および／または制御弁などの、容器に関連する出口機構内で行われ得る。
【００４３】
したがって、１つの態様では、システムが提供され、このシステムは、材料、たとえば発泡可能な材料を含むキャニスタなどの、上記で例示した容器と；制御可能な放出弁などの１つまたは複数の弁を含むことができる、１つまたは複数の導管と；材料、たとえば非発泡の、部分的に発泡したまたは発泡した材料を、キャニスタの内側からキャニスタの外側に、たとえば放出弁および／またはノズルを通して並進させるための１つまたは複数の並進部材とのうち１つまたは複数を含むことができ、さらに、発泡剤または推進剤を含むことができ、この発泡剤または推進剤は、容器の別個の部分内および／または容器に関連する発泡および／または推進部材内に含まれてよい。
【００４４】
一部の事例では、たとえば、発泡剤および／または推進剤の、流動可能および／または発泡可能な材料への伝達、またはその逆の形の伝達を調節する制御弁を含む、導管が存在してよい。さまざまな事例では、発泡可能な材料は、これが少なくとも部分的にまたは完全に発泡した後に容器内に配置されてよく、そのような事例では、容器は、発泡した材料を発泡状態に保持するように構成されてよく、発泡剤は、発泡体を超発泡させるために用いてよく、または発泡剤を供給しなくてもよい。したがって、そのような事例では、発泡は、すでに起こっている可能性があり、および／または発泡を助けるか、またはさらに促進するために容器に衝撃および／または振とうをもたらすことによって起こることができる。衝撃および／または振とうはまた、発泡剤および／または推進剤から材料、たとえば発泡可能な材料を分離するシールを破壊するために使用することもできる。
【００４５】
したがって、容器は、液体形態などの発泡可能および／または流動可能な材料と、発泡剤および／または推進剤との相互混合を促進するように構成されてよく、たとえばこの場合、発泡および／または推進剤、またはこれに関連する他の活性剤は、発泡可能な材料内に少なくとも部分的に溶解可能であり、少なくとも部分的には、発泡可能な材料の非発泡または部分的発泡状態から発泡または超発泡状態への変換を助けるように機能する。したがって、さまざまな事例では、発泡可能な材料は、飲料などの液体、またはゲル、または半固体もしくは固体、または気体または他の流体マトリックスであってよく、発泡剤は、発泡可能な材料を、容器内などで、その現在の状態から発泡状態に変換する。他の事例では、発泡可能な材料は、たとえば容器内では発泡したまたは部分的に発泡した材料であってよく、これに発泡剤を添加した結果、超発泡材料を生み出す。上記で示すように、発泡プロセスは、容器内、容器内の１つまたは複数の区画内、および／または並進要素の一部であるチャンバ内などの、容器に関連するチャンバ内、および／または放出弁内および／または制御弁などの容器に関連する出口機構内で行われ得る。さまざまな実施形態では、推進剤は、流動可能な材料を、容器内では静止しているその現在の状態から流動可能な状態に変換する。
【００４６】
これらの実施形態のさまざまなものでは、容器は、発泡可能および／または推進材料が、予備流動可能状態、予備発泡状態、および／または発泡状態にあるとき、たとえば、発泡可能および／または流動可能な材料と発泡剤および／または推進剤との相互混合に先立って、またはその後に、発泡可能な材料と発泡剤の混合を促進するだけでなく、代替的には、発泡可能な材料と推進剤の相互混合も促進することもできる。したがって、さまざまな事例では、推進剤またはそれに関連する活性剤は、流動可能な、発泡可能なおよび／または発泡した材料内に少なくとも部分的に溶解可能であり、発泡可能な材料の非発泡または部分的発泡状態から発泡または超発泡状態への変換を助けること、および／または１つまたは複数の並進要素および／または吐出機構などを通して材料を容器から推進することのうち１つまたは複数において機能する。したがって、さまざまな事例では、発泡可能および／または流動可能な材料は、飲料などの液体、ゲル、または半固体もしくは固体、または気体または流体マトリックスでよく、発泡剤（および／または推進剤）は、容器内などで、発泡可能な材料をその現在の状態から発泡状態に変換し、および／または推進剤は、流動可能な材料、たとえば少なくとも部分的に発泡した材料を容器の内部から外に排出するように機能する。
【００４７】
他の事例では、発泡可能な材料は、たとえば容器またはキャニスタ内では、発泡した材料または部分的に発泡した材料であってよく、これに発泡剤および／または推進剤を添加した結果、超発泡材料が生み出される。上記で示したように、発泡プロセスは、容器内、容器内の１つまたは複数の区画内、および／または容器内に関連するチャンバ内、たとえば並進要素の一部であるチャンバ内および／または放出弁内および／または制御弁などの容器に関連する出口機構内で行われてよく、容器を通る流動可能、発泡可能なおよび／発泡した材料の移動は、推進剤またはその支持剤を流動可能および／または発泡可能な材料に添加することによって促進される。
【００４８】
示すように、１つの態様では、たとえば本明細書に説明するキャニスタなどの容器と結合するための、および／または容器との使用のための並進要素が、提供され得る。そのような事例では、並進要素は、拡張部材として、たとえば、細長い、中空および／または管状の本体を有する拡張部材として構成されてよい。中空の拡張部材は、内側部分によって分離された近位部分および遠位部分を含む。細長い本体の遠位部分は、その境界内で、発泡可能な、流動可能な、および／または他の材料と界接し、および／またはその材料を受け入れるように構成されてよく、近位部分は、放出弁部材および／またはそれに関連する通路などのキャニスタの出口と界接するように構成されてよい。さらに、細長い本体は、材料、たとえば部分的または完全に発泡したおよび／または流動可能な材料を、その材料をエクステンダー管状部材の遠位部分から近位部分まで並進させるなどによって、空洞の境界内から空洞の外部に伝達するか、または移動させることを可能にするように構成されてよい。
【００４９】
したがって、さまざまな事例では、並進要素または部材が提供され、たとえばこの場合、並進部材は、フィーダ要素、たとえば、材料、たとえば発泡したおよび／または流動可能な飲料を、容器の空洞内から出口に移動させるまたは別の形で移送するように適合されたフィーダチューブとして構成される。そのような事例では、容器の出口は、作動可能な放出弁などの弁として構成されてよく、またはこれに別の形で関連付けられてもよい。たとえば、放出弁は、作動可能な放出弁が、たとえば発泡可能および／または流動可能な材料のユーザによる直接的または間接的な消費または摂取などのために作動されるなどのとき、フィーダチューブなどを通る発泡可能な材料の容器内から容器外への移動を可能にしおよび／またはもたらすように構成される。さまざまな事例では、発泡剤は、含まれる場合、推進剤として機能することもでき、それによって発泡可能および／または流動可能な材料の容器からの、たとえばフィーダチューブおよび／または出口、たとえばこれに関連するノズルなどを通って出る排出も促進する。他の事例では、推進剤が使用されてよく、推進剤は、発泡可能および／または流動可能な材料と実質的に相互混合せず、たとえばこの場合、推進剤は、発泡可能および／または流動可能な材料と実質的に混ざり合わず、および／またはその中では不溶性である。
【００５０】
推進剤が含まれている場合、並進要素などのフィーダ要素は、容器およびそのシステム内に含まれてもいなくてもよい。たとえば、含まれる場合、推進剤を用いて、たとえば、非発泡、部分的発泡、または発泡状態などの発泡可能および／または流動可能な材料の、並進要素を通り、たとえば直接的にまたは制御可能な放出弁および／または関連するノズルを通り、出口から出る移動を促進することができる。しかし、他の事例では、推進剤を使用して、発泡、部分的発泡、または非発泡状態の流動可能および／または発泡可能な材料の、たとえば並進チューブを介せずに出口から直接的に出る、たとえば開口部および／または容器自体の開口部に連結された制御可能な放出弁などを通した移動を促進することができる。
【００５１】
さまざまな異なるタイプの構成を有するさまざまな異なるタイプの推進剤および／または推進部材が、使用されてよい。特定の事例では、推進剤は、発泡剤および／または他の発泡部材と同じであってもよいし、または異なっていてもよい。容器内では発泡可能な材料の形態の容器の外側への移動および／または並進を促進することができる限り、いずれの適切な推進剤も使用されてよく、発泡可能な材料が消費のために提供される場合、発泡可能な材料および／または推進剤は、少なくとも消費に関して不活性でなければならず、たとえば、ＧＲＡＳのように消耗可能でなければならない。
【００５２】
さらに、示すように、発泡剤および／または推進剤は、活性化可能な潜在形態などで発泡可能な材料内にすでに存在していてよく、そのような事例では、活性化の前、発泡剤および／または推進剤は、非発泡または部分的のみの発泡状態でよい発泡可能な材料内では不活発な状態にあるが、発泡剤および／または推進剤の活性化時、これは、その潜在的な形態から活性化形態に変換され、それによって、これはその後、発泡可能な材料を、非発泡または部分的発泡状態から発泡または超発泡状態に、および／または流動不能な状態から流動可能な状態に変化させる。特定の事例では、活性化可能な発泡剤および／または推進剤は、いくつかの異なるレベルの活性化が可能であり、したがって、発泡可能および／または流動可能な材料を、発泡したおよび／または流動可能な材料に複数回および／または部分的発泡、発泡、超発泡状態などからの複数の程度に変換することができる。
【００５３】
したがって、さまざまな実施形態では、容器またはキャニスタが提供され、このキャニスタは、発泡することができる液体などの発泡可能な材料を含み、および／または可溶性の、たとえば液体可溶性の気体推進剤などの推進剤を含み、キャニスタは、発泡可能な材料が発泡剤および／または推進剤と、この２つの溶液が結果として生じるようにして相互混合することを可能にするように構成される。さまざまな事例では、発泡可能な材料および発泡剤および／または推進剤の相互混合の結果、上記で説明したように、圧力および／または温度の上昇または低下などの圧力および／または温度の変化をもたらす。したがって、キャニスタは、実質的に変形することなく、ならびに／または上昇または低下した圧力および／または温度が、活性化されて放出する前にその境界から実質的に逃げることを許さずに、結果として生じるいずれの圧力または温度変化にも耐えるように構成され得る。
【００５４】
たとえば、さまざまな事例では、容器またはキャニスタの材料は、発泡可能な材料を、たとえば発泡した後、圧力下におよび／または暖められたもしくは低温の状態に保持するように適合された非導電性、断熱性、保温性の材料の１つまたは複数であってよい。たとえば、特定の事例では、発泡可能な材料は液体であり、発泡剤および／または推進剤の１つまたは複数は、溶液および／または懸濁液を形成するために、少なくともある程度液体と相互混合し、および／または液体内に少なくとも部分的に溶解可能である、液体可溶性気体または溶質であり、さまざまな事例では、溶液の形成の結果、キャニスタ内などに圧力勾配の上昇、たとえばキャニスタの外側と比べて、またはキャニスタ内の異なる部分間に上昇する圧力勾配などが生成され得る。そのような事例では、溶液内に進む発泡剤および／または推進剤は、キャニスタの一部分内で圧力上昇を引き起こし、それによって発泡可能な材料をさらに発泡させることができる。
【００５５】
他の事例では、発泡剤および／または推進剤はすでに溶液中に存在していてよく、発泡作用は、局所環境において圧力および／または温度を等しくするために、圧力および／または温度勾配を作り出すことによって、または発泡剤および／または推進剤を溶液から取り出す他の機構によって起こり、それによって、発泡剤が溶液から退出することによって、たとえば溶液から泡立たせることによって発泡可能な材料を発泡させ、たとえばこの場合、泡立ちは発泡作用を生み出し、および／または材料を流動可能になるようにする。特定の事例では、発泡可能および／または流動可能な材料、たとえば液体部分、および発泡および／または推進剤、たとえば気体部分は、キャニスタの別個の部分に含まれ、キャニスタから退出するまで相互混合されず、それにより、発泡剤は、退出直前に発泡可能な材料と相互混合され、この相互混合は、発泡剤、たとえば液体可溶性気体が発泡可能な材料、たとえば液体飲料内に気泡を形成することによって、たとえば少なくとも部分的にその中に溶解するなどによって、キャニスタの出口を出る前に発泡材料を発泡させる。
【００５６】
たとえば、容器またはキャニスタは、キャニスタから出る直前に、発泡可能な材料および発泡剤が相互混合するように構成された放出弁部分を含むことができる。より具体的には、キャニスタは、少なくとも２つの別個の部分を含むことができ、一方は発泡可能な材料を含み、他方は発泡剤を含む。そのような事例では、キャニスタは、２つの別個の並進要素部分、たとえば、発泡可能な材料と界接するもの、および発泡剤と界接する別のものをさらに含むことができ、たとえばこの場合、並進要素は２つの別個の並進要素であり、または並進要素はフォーク状であり、たとえばこの場合、並進要素は、発泡可能な材料および発泡剤を、キャニスタから放出される前に相互混合するなどのために、共通の収容部内に並進させるように構成される。さまざまな事例では、キャニスタの出口は、制御放出弁などの弁に供給するように構成されてよく、弁は、チャンバを含み、発泡可能な材料および／または発泡剤の一方または両方は、たとえば弁からの放出の前、たとえば弁の作動時に、相互混合しおよび／または発泡させるなどのためにこのチャンバに送達され、および／または弁は、さらに送達ノズルに供給することができる。
【００５７】
したがって、１つの態様では、弁が提供され、弁は、容器、キャニスタ、および／またはそれに関連する並進部材の一部分と界接するように構成され、それによって、たとえば、流動可能および／または発泡可能な材料を、ユーザ、たとえば並進された流動可能な材料の消費者に送達するなどのために、キャニスタ内からキャニスタの外側に放出するのを促す、たとえば制御する。したがって、弁は、キャニスタの一部分、たとえば、その中に開口部を境界付けるキャニスタの一部分、またはキャニスタに関連する並進要素と界接するなどのための遠位部分を有することができ、これは、キャニスタ内の流体をユーザなどに吐出するなどのために、システムのキャニスタのユーザと界接するためのような近位部分を有することができる。通常、弁は、流動可能および／または発泡可能な材料の流れをキャニスタの空洞から外に吐出するなどのために、流動可能および／または発泡可能な材料を弁を通して並進させるためのオリフィスなどの、弁の長さを延びるオリフィスまたは通路を有する。さまざまな事例では、オリフィスは、半径が増大または低減するものでよく、流動可能および／または発泡可能な材料に対してせん断を生成するなどのための、１つまたは複数の内部構成を有することができる。
【００５８】
さまざまな事例では、弁は、制御放出弁などの制御弁であってよく、制御放出弁は、起動時、キャニスタの出口および／またはこれに関連する１つまたは複数の並進非部材と相互作用するなどによって、たとえば発泡状態の流動可能および／または発泡可能な材料がキャニスタから流出することを可能にし、および／または促進する。弁は、たとえば、容器を出るキャニスタの内容物の移動および／または放出を促進し、および／または流動可能な材料の流量、密度、圧力、温度、通気、泡立ち度、および／または輪郭の１つまたは複数に関して、制御可能な方法などで制御することができる限り、いずれの適切な形状も有することができる。たとえば、１つの特定の事例では、弁は、飲料形態などの流動可能および／または発泡可能な材料を、たとえば気体形態の発泡剤および／または推進剤の１つまたは複数と、圧力勾配の存在下などで、たとえば、弁自体によって作り出された圧力勾配において混合することを可能にするように適合され、圧力勾配の存在下などにある液体飲料と気体の混合により、気泡が液体内に形成され、またはそこから退出して、発泡体を作り出す。さまざまな事例では、流動可能および／または発泡可能な材料と共に相互混合されおよび／またはこれによって吸収される発泡剤／推進剤の量は、流動可能および／または発泡可能な材料の性質を制御するように制御される。上記は、容器またはキャニスタに関連する弁に関して説明してきたことが留意されるが、弁はキャニスタの一部であってよく、またはノズルなどの吐出機構の一部であってもよく、および／またはこれらの機能の１つまたは複数は、弁、ノズル、または他の吐出要素によって実行されてもよいことが理解される。
【００５９】
したがって、示すように、吐出機構、たとえば並進通路、弁および／またはノズルは、たとえば流動可能および／または発泡した材料の流れの圧力を、たとえば、寸法を大きいものから小さいものに、または小さいものから大きいものなどに変化させる通路を有するなどによって上昇または低下させるように適合されてよく、一部の事例では、通路の寸法は変更することができ、たとえばこの場合、弁は関節運動可能であり、それによってオリフィスの１つまたは複数の部分の寸法および／または開口部を変更することができ、それによってオリフィスのその部分を通る流動可能な材料の流れを駆動する圧力を上昇または低下させる。さらに、弁は、発泡可能な材料の発泡性を増大または低減するように構成されてよく、たとえば、通路、弁および／またはノズルは、発泡可能な材料を、これが通路、弁、および／またはノズルを通過するときに、制御可能な形などで通気するなどのための１つまたは複数の追加の開口部を含むように構成されてよく、それによって発泡可能な材料をより大きくまたはより小さく泡状におよび／または流動可能にする。より具体的には、通路、弁および／またはノズルは、空気または発泡剤および／または推進剤などの別の気体が流動可能な材料と相互混合することを可能にするように構成されてよく、それによって材料の泡立ち度および／または流動性を、これが通路、弁、および／またはノズルを通過するなどのときに変調する。したがって、材料の流れは、流動可能な材料および／または容器またはその構成要素自体を厚くし、薄くし、通気し、発泡させ、消泡させ、および／または別の形でその特性を変化させるなどによって、比較的速い、中程度のまたは遅い速度となるように調節され得る。
【００６０】
したがって、特定の事例では、通路、弁、および／またはノズルは、流動性などに関する流動可能および／または発泡可能な材料の特性、たとえば厚さ、粘度、チキソトロープ効果など、流動可能な材料の送達などにおける味、風味、形状、見た目、および／または感触を変更するように構成される。たとえば、通路、弁、および／またはノズルは、流動可能および／または発泡可能な材料の形状を輪郭付けるように構成されてよく、それによって流動可能な材料の流れ、味、風味、形状、見た目および／または感触を向上させ、たとえばユーザによる直接的消費などのためにユーザに直接送達したとき、たとえば使用をより容易にし、および／またはユーザをより楽しませる。たとえば、様々な特定の事例では、様々な異なるタイプの通路、放出弁、および／またはノズルは、単独でまたは組み合わせて、発泡可能および／または流動可能な材料を容器の一部分から並進させおよび／または引き出すこと；発泡剤および推進剤を容器の１つまたは複数の他の部分から並進させおよび／または引き出すこと；および／または発泡剤および／または推進剤を、これらの成分を混合することができる共通のリザーバに導入することのうち１つまたは複数のために使用されてよく、この相互混合は、流動可能な材料の流れ、味、風味、形状、輪郭、見た目および／または感触を変更するような形にされてよく、たとえば、味は、放出時、発泡した材料を混合しおよび／または輪郭付けしたときに香味剤を添加するなどによって変更されてよい。放出速度もまた、風味を増強するために、ならびに／または推進剤および／または発泡剤と並進可能な材料との最適な混合を確実にして発泡および／または流動性の適切な量を確実にするために重要になり得る。
【００６１】
したがって、いくつかの特定の事例では、システムが提供され、摂取可能な、発泡可能および／または流動可能な材料などの材料は、容器またはキャニスタ内に１つの物理的状態で保存され、送達前、たとえばユーザへの直接送達前などに物理的変化を受け、それによって物理的変化により、発泡可能および／または流動可能な材料は、少なくとも部分的に別の物理的状態に変換され、たとえば、非発泡および／または流動不能な状態から少なくとも部分的発泡状態および／または流動可能な状態に変換される。たとえば、さまざまな事例では、発泡可能な材料は、液体形態の飲料であってよく、発泡可能な材料の添加または混合時、液体は、発泡可能な材料を形成するなどのために変更され、たとえば、液体から少なくとも部分的なコロイドまたはマトリックスに変換される。より具体的には、発泡可能な材料は、発泡剤および／または推進剤の１つまたは複数の成分を有するマトリックスを形成することができ、発泡剤および／または推進剤が発泡可能な材料と共に導入されおよび／またはこれと混合されるときなどにコロイドをさらに形成することができるようなものでよく、発泡剤および／または推進剤は、マトリックス内に捕捉されるように発泡可能な材料内に少なくとも部分的に溶解可能とすることができ、それによって発泡可能なコロイドをマトリックスと共に形成することができる。
【００６２】
たとえば、少なくとも第１の空洞および通路、導管および／または弁を有する容器が提供されてよく、空洞内の一部に、液体、たとえば飲料などの発泡可能な材料が保存され、空洞の第２の部分内には、発泡剤および／または推進剤、たとえば液体可溶性気体または気体の混合物のような気体などが保存され、吐出前のある時点で、液体飲料は、液体可溶性気体と、発泡体および／または流動可能な材料を形成できるように相互混合され、発泡体および／または流動可能な材料は、次いで、消費するために、たとえば飲むためにユーザの口に直接送達され得る。したがって、さまざまな事例では、容器は、液体飲料ならびに発泡剤および／または推進剤、たとえば気体または気体の混合物などを含む飲料容器でよく、それにより、弁、たとえば制御弁の作動前、または作動時、たとえば発泡状態または半発泡状態の液体および気体の溶液は、たとえば、送達アクチュエータを片手で起動させることによって、ノズルなどを介して、ユーザが飲料を直接的に飲む、吸収する、または別の形で摂取することを可能にするようにして、たとえば消費者の口に直接放出されるか、または別の形で吐出される。
【００６３】
たとえば、特定の実施形態では、発泡可能および／または流動可能な材料、たとえば液体飲料および／または食品を、たとえば気体状の形態の発泡剤および／または推進剤と組み合わせて有する容器またはキャニスタは、容器内の内容物と容器外の周囲圧力との間などに圧力および／または温度勾配を形成し、それにより、弁が作動されるとき、発泡可能な液体および／または食品材料および気体状発泡剤および／または推進剤は、たとえば弁を通って、圧力および／または温度勾配が気体を溶液に入れおよび／または溶液中にすでにある気体を容器から離れさせるようにして容器から退出し、溶液内へのおよび／または溶液からの気体の流入および／または退出は泡立ちを引き起こし、この泡立ちは、たとえば気泡が、たとえばコロイドを形成するために材料のマトリックス内に作り出され、および／または捕捉されることによって、またはマトリックス内にすでに存在する気泡が溶液を離れることによって、液体飲料または食品を流れさせおよび／または発泡させるような量および速度であり、この発泡した飲料および／または食品材料は、流動可能なおよび／または発泡した溶液を飲む、および／または食べる、または別の形で吸収するためなどの、ユーザの口による直接消費のために、ノズルなどを介してユーザに送達され得る。
【００６４】
したがって、本明細書で詳述するように、飲料または食品、および／またはそのように含まれた飲料または食品を含むための容器が提供されてよく、容器は、上部、底部および上部と底部の間の側壁などの側壁の１つまたは複数を含む。容器は、上部、底部、および側壁内に、またはこれらによって別の形で画定された第１の空洞を含むことができ、第１の空洞は、摂取可能な材料、たとえば、予備発泡状態、発泡中状態、または発泡後状態などの発泡可能な液体などの飲料を保持するようにサイズ設定され、または別の形で構成される。
【００６５】
容器は、近位部分と、遠位部分とを有する弁機構を含むことができ、たとえばこの場合、弁機構の近位部分は、容器の上部から外向きに延び、弁機構の遠位部分は、容器の第１の空洞に向かって内向きに延びる。そのような事例では、弁機構は、弁機構に関連付けられ得る供給機構の入口開口などを通る、容器の内部から容器の外部への摂取可能な材料の流れを調節するように構成された弁などの弁を含むことができる。したがって、弁は、消費者が、消費者操作可能な流れ制御装置などによって制御可能な制御弁であってよく、それによって、たとえば消費者操作可能な流れ制御装置に消費者によって加えられた物理的力に基づいて、流量無し及び最大流量の間で流れを変化させることができるようにして弁を制御する。このようにして、弁の遠位部分に入り、近位部分を通って出る摂取可能な飲料の流れは、たとえば適切に構成された制御機構の作動に応答して調節され得る。
【００６６】
さらに、さまざまな事例では、弁機構は、弁の近位部分と結合されるように構成された遠位部分と、摂取可能な物質を直接ユーザに、たとえばユーザの口に、直接摂取のために、たとえばユーザが飲むおよび／または食べるために送達するように構成された近位部分とを有する送達ノズルなどのノズルに結合され得る。たとえば、送達ノズルは、容器から、たとえば第１の空洞に関連してノズルを通って、摂取可能な物質を消費者の口に送達するように適合された出口開口まで延びる経路を形成するように構成されてよい。そのような事例では、弁と送達ノズルの出口開口との間の経路は、可撓性であってよい。特定の事例では、ノズルの近位部分は、消費者の口内に受け入れられるようにサイズ設定され適合されてよい。したがって、作動において、摂取可能な物質は、空洞の内部から、送達ノズルによって形成された経路を通って、送達ノズルの出口開口まで並進され得る。さまざまな事例では、送達ノズルの近位部分、中間部分、および／または遠位部分を通る経路は、経路から、ノズルの他の部分、たとえば遠位部分および／またはその出口の１つまたは複数を通るように角度が付けられてよい。
【００６７】
容器は、供給機構、たとえば並進部材、たとえば、弁の遠位部分に結合された近位端部と、第１の空洞内に、たとえば容器の底部の近位に配置された遠位端部とを有するフィーダチューブなどを含むことができる。したがって、供給機構は、容器内の摂取可能な物質にアクセスするために、容器の第１の空洞と関連付けられてよい。特に、フィーダ要素は、近位界接面および遠位界接面を有する細長い本体を含むことができ、たとえばこの場合近位界接面は、弁の遠位部分などを介して容器の近位または上部分と連通するように構成され、遠位界接面は、第１の空洞内の摂取可能な飲料、たとえば、発泡可能および／または流動可能な材料と連通するように構成される。さまざまな実施形態では、フィーダおよび／または並進要素は、たとえば、飲料の発泡の前または後に、摂取可能な飲料をユーザに送達するなどのために、摂取可能な物質、たとえば発泡可能および／または流動可能な飲料を第１の空洞の管腔から容器の弁に移送するように構成されるか、または別の形で適合され得る。
【００６８】
容器は、たとえば、第１の空洞、または容器の弁、たとえば吐出弁内の二次または三次空洞などの二次および／または三次空洞の１つまたは複数に連結され得る発泡および／または推進機構の一方または両方を含むことができる。さまざまな事例では、発泡および／または推進機構は、摂取可能な飲料および／または食品および／または薬物を非発泡および／または流動不能な状態から発泡したおよび／または流動可能な状態に変換するように適合されるか、または別の形で構成される。したがって、発泡および／または推進機構は、たとえば、制御可能な吐出弁を消費者が制御したとき、たとえば発泡状態および／または流動可能な状態の摂取可能な飲料および／または食品および／または薬物を供給機構を通して制御可能な吐出弁に流し、そして弁の近位部分の外に、たとえば含まれる場合ノズルを通って出すように構成され得る。
【００６９】
特定の実施形態では、発泡および推進機構は発泡剤を含み、たとえば、発泡および推進機構は発泡剤として同じであってよく、他の実施形態では、これらは、摂取可能な物質、たとえば飲料または他の食品を、容器内および／または容器外などで発泡させおよび／または推進するように一斉に作用する別個の要素である。一部の実施形態では、発泡機構が含まれており、発泡機構は、容器の第１の空洞と結合され、制御装置、たとえば消費者操作可能な流れ制御装置の作動に応答するなどして、摂取可能な物質を、たとえば発泡剤を使用して非発泡状態から発泡状態に変換して、送達ノズルのたとえば出口開口から退出させるように構成される。したがって、特定の実施形態では、容器は、第１の空洞内に正圧を生成するように構成された機構などの推進機構を含むことができ、この推進機構は、たとえば弁が消費者操作可能な流れ制御装置によって制御されたとき、摂取可能な物質を消費者の口に送達するなどのために、摂取可能な物質を、容器、たとえば含まれる場合は供給機構を通り、送達ノズルの近位部分から出るように推進するのに十分なものである。特定の事例では、送達ノズルの近位部分は、出口開口などに可撓性部材を少なくとも部分的に含む。
【００７０】
さまざまな実施形態では、容器は、二次弁、たとえば制御可能な供給弁によって、またはフィーダ要素などによって第１の空洞に動作可能にまたは別の形で連結され得る第２の空洞を含むことができる。そのような事例では、第１の空洞は、流動可能および／または発泡可能な飲料または食品を保持し、保存するように構成されてよく、第２の空洞は、発泡および／または推進機構、たとえば発泡および／または推進剤を、たとえば消費者が吐出弁および／またはフィーダ制御弁の一方または両方を起動するまで保持しおよび／または保存するように構成されてよい。たとえば、特定の実施形態では、発泡および／または推進機構は、消費者操作可能な導管、たとえば第１の空洞に至るフィーダ弁の作動時などに、第１の空洞内に導入され得る発泡剤および／または推進剤を含むことができる。そのような事例では、フィーダ弁は、第１または第２またはさらには第３の空洞内などにおいて、その中に正圧を作り出すために、発泡可能および／または流動可能な材料と接触する発泡および／または推進剤の供給を制御するように構成されてよい。たとえば、発泡および／または推進機構は、第２の空洞から第１の空洞および／または混合チャンバなどの第３の空洞に導入される発泡剤および／または推進剤などの気体を含むことができる。そのような導入は、通路および／またはその弁を制御するための操作可能な、たとえば消費者操作可能な流れ制御装置の作動の結果として行うことができる。さまざまな事例では、気体推進剤は発泡剤であってもよく、したがって、摂取可能な物質を、送達ノズルの出口開口から退出させるために、非発泡状態から発泡状態および／または流動可能な状態に変換するように機能することができる。示すように、弁制御装置は、摂取可能な物質を発泡したおよび／または流動可能な状態に変換するのに十分な、摂取可能な物質との混合物における気体割合の量の流れを制御するように作動することができる。
【００７１】
したがって、特定の実施形態では、第３の空洞、たとえば混合空洞が存在することもでき、たとえばこの場合、第３の空洞は、第１の空洞および／または第２の空洞の一方または両方と動作可能にまたは別の形で結合され、たとえばこの場合、第１の空洞および／または第２の空洞は、たとえば、混合弁などの三次操作流量制御弁を介して、第３の空洞に直接的に供給する。そのような事例では、第１および／または第２の空洞は、フィーダ制御要素の作動によって、発泡可能な材料を発泡剤と混合するなどの目的で、第３の空洞に供給することができる。さらに、さまざまな実施形態では、発泡機構が含まれてもよく、発泡機構は、摂取可能な物質を、発泡状態で送達ノズルの出口開口を退出する前に、たとえば第１、第２および／または第３の空洞内で非発泡状態から発泡状態に変換するように構成された発泡剤を含む。
【００７２】
上記に示したように、さまざまな事例では、そのような第３の空洞は、容器の一部または、たとえばその境界内にあってよく、および／または制御装置、たとえば吐出弁の一部であってよく、および／または吐出ノズルの一部であってよい。本明細に開示する通路、弁および／またはノズルのいずれも、本明細書に開示する流動可能および／または混合可能な材料の流れ、混合、および／または泡立ち度を、たとえば流動可能および／または混合可能な材料の流れ、混合、味、質感および／または泡立ち度の速度、量、品質および／または他の特性の制御または別の形による調節に関して調節するように構成されてよいことを理解されたい。弁は、さまざまな区画の境界間、または並進要素および／またはノズルの１つまたは複数内などの容器またはその構成要素の境界内のいずれの場所にも配置されてよい。
【００７３】
容器および／またはその中の空洞の異なる構成を鑑みて、並進要素、たとえばフィーダチューブのような供給機構は、システムの１つまたは複数の構成要素内に保持されたさまざまな流動可能な材料の流れを方向付ける導管として作用するように構成され得る。たとえば、並進要素は、容器の１つまたは複数の空洞内に保持されるか、または別の形で保存された流動可能な材料、たとえば１つまたは複数の発泡可能な材料および／または１つまたは複数の発泡剤および／または推進剤の１つまたは複数の流れを方向付けるように構成可能であるか、または別の形で適合された１つまたは複数の要素から構成されてよい。１つまたは複数の制御弁が、フィーダ要素の一部として含まれて、フィーダ要素を通る流動可能な材料の流れをさらに制御し、方向付けることができる。したがって、並進要素は、流動可能および／または発泡可能な材料と接触する一部分を含むことができ、および／または流動可能な発泡剤および／または推進剤と接触する一部分を含むことができ、そして容器の上部分と、吐出弁および／または吐出ノズルなどを介して接触する別の部分とを含むことができ、それによって容器内および／または容器外の流動可能および／または発泡可能な材料の流れおよび／または混合を促進する。
【００７４】
たとえば、供給部材が設けられてよく、供給部材は、弁機構の遠位部分と結合され得る近位端部を有し、供給部材は、第１の空洞内に配置され得る遠位端部を有し、たとえばこの場合、遠位端は入口開口を有する。具体的には、容器は、送達ノズルと結合された弁機構を含むことができ、さらに、容器の第１の空洞に関連付けられてその中の摂取可能な物質にアクセスするフィーダ部材などの供給機構を含み、たとえばこの場合、弁機構は、摂取可能な物質の、第１の空洞から、供給機構および供給ノズルによって形成される経路を通る流れを調節するように構成された弁を含む。
【００７５】
さまざまな実施形態では、並進機構は、推進剤の作用によって、本明細書に詳述する消費者操作可能な流れ制御装置などの制御機構の１つまたは複数の作動によって、および／または加圧されたチャンバまたは真空の生成、たとえばユーザが吐出ノズル、吐出弁のユーザ接触可能な部分、および／または並進部材の近位部分に直接吸引または吹き込むことによって作り出されるものなどによって、１つまたは複数の流動可能な材料をその構成要素を介して並進させる部材を含む。たとえば、容器の第１の空洞に連結された推進機構が含まれてよく、推進機構の作動は、容器の供給および／または吐出機構を通る流れを調節する弁を制御するための消費者操作可能な流れ制御装置の操作に基づくものであり、この供給および／または吐出機構は、摂取可能な物質を、たとえば消費者の口に直接的に送達するなどのために、摂取可能な物質を、たとえば送達ノズルの入口開口内に入り、供給機構を通り、ノズルの遠位部分の出口開口から外に出るように推進するように機能する。特定の事例では、推進機構は機械的に動作可能であってもよく、作動可能な流れ制御装置は、たとえばユーザ操作可能な流れ制御装置にユーザによって加えられた物理的力の程度に比例して、たとえば流量無し及び最大流量の間で流れを変化させることができるようにして弁を制御する。そのような事例では、変形可能なブラダおよび／または弾性部材であってよい推進機構は、弁が消費者操作可能な流れ制御装置によって制御されたとき、摂取可能な物質をユーザおよび／または外部のものに送達するために、摂取可能な物質を第１の空洞から、供給機構を通り、送達ノズルの遠位部分から出るように推進するのに十分な圧力を第１の空洞の可動部分に対して生成するようにして第１の空洞に結合され得る。
【００７６】
したがって、本開示の並進部材、たとえばフィーダチューブは、混合し、および／またはユーザに直接吐出する、たとえば飲むなどの摂取のためにユーザの口に直接吐出するなどのために、流動可能な摂取可能な材料をシステムを通して並進させるのに有用になり得るいずれの適した構成も有することができる。さまざまな事例では、並進部材は、キャニスタの配向に関係なく、たとえば装置が、その中に保存された発泡可能な材料を摂取する、たとえば飲むおよび／または食べる際に消費者によってどのように操作されるかおよび／または使用されるかに関係なく機能するように構成される。したがって、本明細書に開示するフィーダチューブは、混合可能な要素の流れを方向付けるのを助け、要素の混合を助け、混合物をユーザに、流動可能な発泡状態などで、たとえばサイホン弁のような制御弁またはノズルを介して送達するように構成され得る。さまざまな事例では、容器は、ユーザの左手または右手だけを介して、簡単に起動するように構成されてよい。さらに、具体的な事例では、たとえば、ノズル、通路、および／または弁などの送達機構は、供給機構および／または容器および／またはその中の空洞に関して構成されてよく、それにより、摂取可能な物質が送達されている間、入口開口は、地心に向かって最も近い容器の一部分の近位にあり、供給機構の入口開口から送達ノズルの出口開口までのベクトルと、供給機構の入口開口から地心までのベクトルとの間の角度は、約４５度を上回り、約６０度を上回り、または約９０度を上回るようになる。
【００７７】
特定の実施形態では、摂取可能な物質を提供するような装置が提供され、装置内には、摂取可能な物質を内部に保持するような少なくとも第１の空洞を有する容器などの容器を含む。さまざまな事例では、第１の空洞は、可動部分を有することができる。特定の事例では、容器は、容器を通るまたは容器からの経路を形成するように構成され得る送達ノズルを含むことができる。送達ノズルは、容器から離れるように延びることができる遠位部分と、ユーザ、たとえば摂取可能な物質の消費者の口に摂取可能な物質を直接送達するように適合された経路から延びる出口開口を有する近位部分とを含む。
【００７８】
特定の実施形態では、容器は、さらに、送達ノズルと結合され得る弁機構を含むことができる。容器はまた、第１の空洞に関連付けられて内部の摂取可能な物質にアクセスすることができる供給機構を有することもでき、たとえばこの場合、弁機構は、摂取可能な物質の、第１の空洞から、送達ノズルによって形成された経路を通る流れを調節するように構成された弁を含む。さらに、容器は、消費者操作可能な流れ制御装置を含むことができ、この消費者操作可能な流れ制御装置は、弁と機械的に結合され、消費者操作可能な流れ制御装置に消費者によって加えられた物理力の程度に比例して、たとえば流量無し及び最大流量の間で流れを変化させるように弁を制御するように構成される。特定の事例では、推進機構が、圧力を第１の空洞の可動部分に対して生成するために含まれ、第１の空洞に結合されてよく、たとえばこの圧力は、弁が消費者操作可能な流れ制御装置によって制御されたとき、摂取可能な物質をユーザおよび／または外部のものに送達するために、摂取可能な物質を第１の空洞から、供給機構などを通り、送達ノズルの遠位部分から出るように推進するのに十分なものである。
【００７９】
特定の事例では、容器は、複数の第１の空洞を含むことができ、たとえばこの場合、複数の第１の空洞の各々は、異なる摂取可能な物質を保持するように適合される。上記で示したように、複数の第１の空洞の１つまたは複数またはすべては、内部に可動部分を有することができる。そのような事例では、１つまたは複数の推進機構が含まれてよく、推進機構は、複数の第１の空洞の１つまたは複数の可動部分に対する圧力を生成するように複数の第１の空洞の１つまたは複数、たとえば、各々に結合されてよく、たとえばこの圧力は、摂取可能な物質を複数の第１の空洞の１つまたは複数から推進するのに十分なものである。そのような事例では、その力は、消費者操作可能な流れ制御装置が、弁を制御して放出をもたらすように作動されるなどのとき、摂取可能な物質を送達するために、摂取可能な物質を供給機構を通り、送達ノズルの遠位部分の外に押し出すのに十分なものである。
【００８０】
さまざまな事例では、推進機構は、少なくとも第１の空洞の可動部分を包囲する第２の空洞を含むことができ、たとえばこの場合、第２の空洞は、第１の空洞の可動部分に対して空気圧を及ぼす。たとえば、第２の空洞は、第１の空洞に対して圧力を及ぼすように動くピストンに関連付けられてよく、たとえばこの場合可動部分は、ピストンである。特定の事例では、ばね部材が含まれてよく、たとえばこの場合ばね部材は、第１の空洞の可動部分に対して圧力を及ぼす。一部の事例では、消費者操作式空気ポンプが含まれ、容器に剛性に取り付けられてよく、たとえばこの空気ポンプは、消費者操作式空気ポンプに力が及ぼされたとき、第１の空洞の可動部分に対して圧力を及ぼすためのものである。そのような事例では、消費者操作可能な流れ制御装置が含まれ、複数の第１の空洞の１つまたは複数の各々からの各摂取可能な物質の送達の割合を変えるように適合される。特定の事例では、可動ノズルが含まれてよく、たとえばこの場合、ノズルは、複数の第１の空洞のうちの１つから複数の第１の空洞のうちの別のものに回転または枢動し、たとえばこの場合、推進機構によって生成された圧力は、複数の第１の空洞の１つまたは複数に選択的に加えられてよい。
【００８１】
さらに、さまざまな実施形態では、容器は、発泡機構を含むことができ、たとえばこの場合、発泡機構は、容器またはこれに関連する送達ノズルの出口開口を発泡状態で退出する前などに、摂取可能な物質を非発泡状態から発泡状態に変換するように構成された発泡剤を含む。たとえば、関連する発泡部材を有する発泡機構が含まれてよく、たとえばこの場合、発泡部材は、これに関連する、加圧気体を摂取可能な物質と混合して摂取可能な物質を非発泡状態から発泡状態に変換し、送達ノズルの出口開口を発泡状態で退出させるための発泡チャンバを有する。推進機構も含まれてよく、この推進機構は、加圧された推進気体を含む第２の空洞などの第２の空洞に含まれていてもよく、または第２の空洞を含んでいてもよい。一部の事例では、発泡機構は、発泡チャンバに加圧気体を送達するために第２の空洞から発泡チャンバまでの導管を含むことができる。特定の事例では、発泡機構は、さらに、発泡チャンバまでの加圧気体の流れを調節するために第２の弁を含み、たとえばこの場合、導管は、第１の空洞の可動部分を通過し、および／または第２の空洞は、第１の空洞に対して圧力を及ぼすように動くピストンに関連付けられる。そのような事例では、導管は、ピストンの開口を通過するように構成され得る。特定の事例では、第１および／または第２の空洞は、圧力下で剛性である容器本体によって境界付けられてよく、第１の空洞は、より柔軟なおよび／または伸張可能な本体によって境界付けられてもよい。
【００８２】
したがって、さまざまな実施形態では、容器は、たとえば、飲用および／または発泡可能な飲料形態の液体または液体の混合物を含むことができ、および／または発泡および／または推進剤の一方または両方として構成され得る液体可溶性気体または気体の混合物を含むことができ、接触時に、上昇または低下した圧力および／または温度の下で、可溶性気体と混合した液体は、発泡可能および／または流動可能な溶液などの溶液を形成することができ、この溶液は、たとえば容器から直接的に、適切に形成された送達ノズルなどを通して飲むなどのためにユーザに送達され得る。示すように、液体および／または液体可溶性気体は、同じまたは異なる区画内の容器内に保持されてよく、同じ区画または異なる区画内で相互混合することができ、および／または１つまたは複数の適切に形成された並進要素、たとえば、フィーダチューブ、および／またはそれに関連する１つまたは複数の制御弁を通って、システムにわたっておよび／またはユーザまで並進することができる。一部の実施形態では、容器は、液体と気体の両方を保持するための第１の区画を含み、たとえばこの場合、液体および気体は、容器内で、この２つ間の圧力勾配などによって、たとえば圧力上昇下で互いに分離され；一部の実施形態では、容器は、液体を保持するための、可撓性または半可撓性でよい第１の区画と、気体を保持するための、剛性または半剛性であってよい第２の区画とを含み、たとえばこの場合液体および気体は、キャニスタ内で、可動であってよい仕切り壁によって互いに分離されるが、１つまたは複数の弁、たとえば供給、混合および／吐出弁、および／または１つまたは複数の並進要素、および／または１つまたは複数の通路、および／またはノズル要素などを介して、相互混合する目的などで互いに連通するように構成されてよい。
【００８３】
そのような事例では、液体は摂取可能な飲料または食品であってよく、気体は少なくとも部分的に液体可溶性気体であってよく、フィーダ要素および／または放出弁は、放出時、たとえば容器の放出機構、たとえば操作可能な制御機構の作動時、発泡したおよび／または流動可能な材料を生み出すなどのために、液体および液体可溶性気体を相互混合するように構成されてよい。たとえば、気体は、摂取可能な物質の溶液中に溶解した気体であってよい。特に、溶解した気体は、摂取可能な物質を、容器、たとえば、それに関連する供給機構を通り、送達ノズルの近位部分から出るように推進するのに十分な圧力を第１の空洞内に生成するように推進機構を作り出すことができる。図示するように、さまざまな実施形態では、容器は、摂取可能な物質を保持するための第１の区画、および発泡剤および／または推進剤を保持するための第２の区画などの複数の区画を含むことができる。さまざまな事例では、第２の区画は、内部に発泡および／または推進部材を含むカートリッジ、たとえば気体カートリッジなどの交換可能な気体リザーバを受け入れるように構成されてよく、このカートリッジは、排出のために容器に挿入されてよく、容器の放出機構または容器に関連する構成要素の起動などによってカートリッジが排出された後に交換可能とすることができる。さまざまな実施形態では、容器の内部空洞内への開口部を有する容器の一部分、たとえばノズルの近位部分、フィーダ機構、および／または容器をシールするキャップが、含まれてよい。そのような事例では、ノズル、供給機構、および／または容器に関連してキャップを保持するための保持機構が含められてよい。ノズル、フィーダ機構、および／または容器の空洞をシールするためにキャップと容器との間の界接面をシールするためなどのシール機構が、設けられてよい。
【００８４】
別の態様では、発泡可能および／または流動可能な材料を製造するための方法が提供され、たとえばこの場合、発泡可能および／または流動可能な材料は、飲料などの液体、またはたとえば吸収可能および／または摂取可能な形態で消費され得る他の食品またはトッピングまたは薬物から構成され、または発泡可能な材料は、少なくとも部分的に予備発泡されるが、保存および／または送達キャニスタからの送達の前などに、材料の泡立ち度を増減するように機能する条件にさらされる。この方法は、容器の送達機構を作動させることを含むステップなどの１つまたは複数のステップを含むことができ、その作動は、発泡可能および／または発泡した材料を互いに合わせておよび／または容器外に押し出すように機能する。
【００８５】
たとえば、消費者操作可能な制御装置を介した送達機構の作動は、発泡可能な材料を保持するように構成された容器に関連するノズル、弁、および／または並進要素の１つまたは複数の作動を含むことができ、たとえばこの場合、この作動は、ボタンを押し下げまたは引っ張る、ノズルまたはネジまたはノブを回す、トリガを引く、押し下げ可能な要素を絞る、スイッチをひっくり返す、弁を噛む、タブを引く、ピンまたはストッパを取り外す、差圧弁を操作する、電気入力センサまたは信号によって電気的に制御される弁を起動させるなどの制御要素を起動することを含むことができる。一部の事例では、容器内に含まれた成分の１つまたは複数は、圧力下であってよく、そのような作動は、含まれた成分を混合し、および／または含まれた成分の１つまたは複数を、これらが、非発泡のまたは少なくとも部分的に発泡した材料を生み出すなどのために互いに混合された後などに、放出するように機能することができる。さまざまな事例では、容器またはその一部分は、摂取可能な材料の送達の前に除去または開封、たとえば破かれまたは穿刺されるなどを行わなければならないキャップまたはシールを含むことができる。
【００８６】
特に、列挙した作動は、１つまたは複数の導管および／または並進要素を開くように機能する１つまたは複数の弁を作動させるなどによって、１つの流動可能な成分を容器内に含まれた別の流動可能な成分内に放出すること、および／または成分の１つまた複数を、これらが容器内の１つまたは複数のチャンバ、通路、弁および／または容器に関連するノズル内などで、たとえば送達機構の作動および／または容器からの放出の前、またはこれと同時に、互いに接触するように並進させることの１つまたは複数を含むことができる。一部の事例では、作動は、たとえば、マイクロチップ上のプロセッサの一部などの有線または無線構成でよい制御回路を含む電子制御機構を含むことができ、それにより、制御回路の電子的起動により、送達機構を起動することができ、容器の成分を、発泡可能および／または流動可能な材料をユーザに送達するなどのために混合および／または放出することができる。そのような制御は、集積回路を使用するなどによって有線構成で作動されてよく、またはブルートゥース（登録商標）または低エネルギーブルートゥース（登録商標）などの無線によって実行されてもよい。
【図面の簡単な説明】
【００８７】
本開示の上記で述べた特徴および目的は、同様の参照番号が同様の要素を示す添付の図面と併せて以下の説明を参照することにより、より明らかになるであろう。
【図１Ａ】従来技術において知られているような容器、たとえばソーダボトルの概略図である。
【図１Ｂ】従来技術で知られているような別の容器、たとえばソーダ缶の概略図である。
【図１Ｃ】図１Ａのボトルなどの容器のための変換器として構成された例示的な送達機構の概略図である。
【図１Ｄ】図１Ｂの缶などの容器のための変換器として構成された別の例示的な送達機構の概略図である。
【図１Ｅ】本開示の、たとえばソーダボトルとして構成された容器の例示的な実施形態の概略図である。
【図１Ｆ】本開示の、たとえばソーダ缶として構成された容器の別の例示的な実施形態の概略図である。
【図２Ａ】本開示の容器の追加の例示的な実施形態の概略図であり、容器は、伸張可能な膜として構成された推進機構を含む。
【図２Ｂ】図２Ａの容器のさらなる例示的実施形態の概略図であり、容器は、補助推進キャニスタとして構成された二次推進機構を含む。
【図２Ｃ】本開示の容器の別の例示的な実施形態の概略図であり、容器は、可動プラットフォームとして構成された推進機構を含む。
【図３】本開示の容器の別の例示的な実施形態の別の概略図であり、容器は、補助発泡および／または推進部材チャンバを含む。
【図４Ａ】本開示の容器の追加の例示的な実施形態の概略図であり、容器は、補助発泡および／または推進チャンバを含む送達機構を有する。
【図４Ｂ】本開示の例示的な容器の別の実施形態の概略図であり、容器は、空洞内の圧力を増大させるための補助圧送機構を含む。
【図５Ａ】本開示の容器の追加の例示的な実施形態の概略図であり、容器は、摂取可能な物質を含む複数の副区画を含む。
【図５Ｂ】本開示による図５Ａの別の実施形態の概略図である。
【図５Ｃ】本開示による図５Ａの別の実施形態の概略図である。
【発明を実施するための形態】
【００８８】
以下の段落において、本発明の装置、システム、およびそれらを使用する方法は、時に添付の図面を参照しながら、例として詳細に説明される。この説明を通して、図示するさまざまな態様、実施形態、事例、および／または例は、本発明の実施に対する限定としてではなく、例示的なものとして考慮されるべきである。さらに、本明細書において使用する場合、「実施形態」および「事例」という用語の使用は、本明細書に説明する開示の実施形態および／または事例のいずれか１つおよびそのいずれかの均等物を指す。さらに、本明細書全体を通じて、本開示のさまざまな特徴を参照することは、すべての特許請求される実施形態および／または事例が、参照された特徴および／または要素を含む必要があることを意味するものではなく、その理由は、これらの特徴は、使用されている特定の実施形態に応じたいずれの論理的表明においても混合されまたは合わせられてよいためである。
【００８９】
本開示は、その多くの態様において、飲む、食べる、および／または別の形で吸収するおよび／または消費するなどによって消費者に直接送達するなどによる摂取のための発泡可能および／または流動可能な材料などの消耗可能な材料の製造のための装置、システムおよびこれを使用する方法を開示する。１つの態様では、摂取可能な材料を発泡させ、および／またはユーザなどに送達するための装置などの装置および／またはこの装置を使用するシステムが、提供される。別の態様では、方法が提供され、この方法は、発泡可能な材料を第１の半発泡または非発泡状態から第２の発泡状態、および／または半流動可能または流動不能な状態から流動可能な状態に変換することを目的とする。加えて、一部の実施形態では、本開示の送達装置を製造し、および／または装置を使用して発泡可能および／または流動可能な材料などの材料を、材料を含む装置のチャンバから送達するための方法が提供される。さらなる態様では、発泡したおよび／または流動可能な消耗可能な製品が提供され、その発泡したおよび／または流動可能な材料は、本明細書に提示する方法で、発泡可能であるおよび／または流動可能であるとこれまで知られていなかった材料から導出され、および／またはプロセスによって製造される。したがって、別の態様では、流体および流動可能な材料などの材料を発泡させおよび／または送達するための新規な方法および装置が提供され、他の態様では、摂取などのための発泡したおよび／または流動可能な材料を製造するための方法が提供される。そのような材料、装置、および方法を含むシステムもまた提供される。
【００９０】
したがって、さまざまな態様では、たとえば第１の、たとえば非発泡状態から第２の発泡状態に、または発泡状態から超発泡状態に変換されることによって発泡することができる材料などの材料が、提供される。特定の事例では、発泡可能な材料は、少なくとも部分的にその中に溶解性気体などを吸収するなどによって、たとえばこれと共にコロイドを形成することによって、マトリックスを形成することができるいずれの材料であってもよい。より具体的には、材料は、材料のマトリックス内の気泡の部分的な吸収および／または脱着などによって発泡体に変換され得る。たとえば、さまざまな事例では、材料は、発泡剤との材料の接触などによって発泡する発泡可能な材料であり、たとえばこの場合、発泡剤は気体であり、または発泡剤は、発泡可能な材料と接触可能な気体を形成することができる機構であり、それにより、接触時、気泡は、発泡可能な材料とコロイドを形成するように、発泡可能な材料および／またはその中のマトリックス内に形成されおよび／または閉じ込められ得る。他の事例では、材料は、材料の溶液から離れる気泡などによって、および／または他の純粋な機械的機構によって、発泡体に変換されてよい。たとえば、発泡可能および／または流動可能なものは、気体などの発泡剤がそれと共に溶液を形成するように内部に保持され得るマトリックスを形成するように調合され得る。そのような場合、容器または通路またはその弁が開かれると、気体が膨張して溶液を離れ、それによってノズルを退出する前などに材料を発泡させる。
【００９１】
さまざまな態様では、たとえば第１の、たとえば流動不能なまたは半流動可能な状態から第２の流動可能な状態に、または流動可能状態から超流動可能状態に変換されることによって、流れることができる材料などの流動可能な材料が、生み出され得る。特定の事例では、流動可能な材料は、流れる形態に変換することができ、および／または流動性を増大または低下させるなどのために流動可能な特性の１つまたは複数に対して変調することができるいずれの材料であってもよい。より具体的には、材料は、多かれ少なかれ粘性になる、チキソトロピー性になるなどによって、多かれ少なかれ流動可能な状態に変換され得る。特定の事例では、流動可能な材料は発泡可能な材料であってよい。
【００９２】
したがって、さまざまな事例では、流動可能なおよび／または発泡可能な材料は、流れ、および／または発泡することができる、液体、溶液、半液体、エマルジョン、ゲル、固体、半固体、粉末などであってよい。たとえば、材料を発泡させてから、泡立ち度を保持するために圧力下で容器に置くことができる。そのような事例では、発泡した材料は、加圧下の液体などの、流体内に溶解された気体などの気体を含むことができる。したがって、圧力が低下すると、より揮発性の気体が溶液を離れ、それによって発泡したマトリックスを形成することができる。一部の事例では、流動可能な材料は、予備発泡材料であってよく、たとえばこの場合、液体および／または予備発泡材料は、発泡および／または送達される前に、本開示の容器内に保持される。たとえば、流動可能な液体および／または発泡した材料は、ユーザが流動可能な材料を飲む、または食べる、または別の形で摂取するなどによって、たとえば容器から直接吸収および／または消費することができるように適合された、飲料および／または食品および／または薬物であってよい。さまざまな事例では、流動可能な材料は、１つまたは複数の液体、半液体、ゲル、固体、半固体、懸濁液、粉末などであってよい。
【００９３】
一部の事例では、材料は発泡可能であり、したがって、材料と発泡剤との接触などによって発泡することができ、たとえばこの場合、発泡剤は、気体、液体、半液体、ゲル、固体、半固体、粉末などである。たとえば、特定の事例では、発泡剤は、流動可能な材料と接触し、それによって発泡可能な材料を発泡させるなどの場合に、別の形態に変換可能な１つの形態を有することができる。たとえば、発泡剤は、発泡可能な材料との接触前に１つの形態を有することができるが、発泡可能な材料との接触時、発泡剤は、発泡可能な材料とこのとき接触可能である気体を形成するなどによってその後別の形態に変換されてよく、それにより、発泡可能な材料との接触時、気泡を発泡材料および／またはその中のマトリックス内に形成しおよび／または閉じ込めて発泡可能な材料と共にコロイドを形成してこれを発泡させることができる。他の事例では、発泡剤は、たとえば、発泡可能な材料のマトリックス内に気体状形態で、たとえば、適切な状態にさらされたとき、発泡剤がマトリックスを離れ、それによって材料を発泡させる潜在的形態などで閉じ込められるように構成され得る。さまざまな実施形態では、発泡剤は、発泡可能な材料と接触可能な気体を生成することができる機構であってよく、それにより、発泡可能な材料と生成気体との接触時に、発泡可能な材料および／またはその中のマトリックス内に泡を発泡させおよび／または閉じ込めて発泡可能な材料内にコロイドを形成することができる。
【００９４】
したがって、さまざまな事例では、発泡剤は、液体、半液体、溶液、ゲル、気体、固体、半固体、粉末などである化学剤のような化学剤であってもよい。他の事例では、発泡剤は機械的機構であってもよく、一部の事例では、機械的機構は、化学剤を放出するように構成されてよい。たとえば、一部の事例では、発泡剤は、液体または半液体および／または溶液であってよい。
【００９５】
一部の事例では、材料は、容器の内側部分から容器の外側などに流動すべき材料であり、したがって、材料を推進剤と接触させるなどによって流動させることができ、たとえばこの場合、推進剤は、気体、液体、半液体、ゲル、固体、半固体、粉末などである。たとえば、推進剤は、流動すべき材料との接触前に１つの形態を有することができるが、流動可能な材料と接触したとき、推進剤はその後別の形態に変換され得る。したがって、さまざまな事例では、推進剤は、液体、半液体、溶液、ゲル、気体、固体、半固体、粉末などである、化学剤などの化学剤であってよい。他の事例では、推進剤は機械的機構であってよく、一部の事例では、機械的機構は、化学剤を放出するように構成されてよい。
【００９６】
別の態様では、本明細書に説明する材料などの材料を発泡させおよび／または流動させるための装置が提供される。さまざまな事例では、装置は、容器、器、収容部、キャニスタなどの含有機構の一部であってよい。一部の事例では圧力下で消耗可能なまたは別の形で摂取可能な材料などの材料を保持することができる限り、いずれかの適切な含有機構を使用することができる。たとえば、さまざまな実施形態では、材料は、キャニスタに挿入する前に発泡する発泡可能な材料であってよく、他の実施形態では、材料は、非発泡または予備発泡状態でキャニスタ内に挿入され、その後発泡される。そのような事例では、予備発泡材料は、たとえば適切に構成された挿入弁を介して、発泡剤および／または推進剤と共に、たとえば圧力下でキャニスタ内に挿入されてよく、たとえばこの場合、発泡可能な材料は液体であり、発泡剤および／または推進剤は気体状要素であり、たとえばこの場合、液体および気体は、キャニスタ内で相分離され、圧力下などでその中に保持される。特に、特定の事例では、発泡および／または推進剤は、発泡可能および／または流動可能な材料内に包含されているかまたは別の形で溶解しているか、または少なくとも部分的に溶解してこれと共に溶液を形成する、気体などの１つまたは複数の気体であってよい。そのような事例では、発泡および／または流動は、圧力の増減および／またはキャニスタ内の分圧のために起こり得る。
【００９７】
このような事例では、発泡可能および／または流動可能な材料および発泡および／または推進剤は組み合わさって、キャニスタからの圧力の解放時などに発泡体および／または流動可能な材料を形成することができ、たとえばこのとき、キャニスタは開かれ、空気はキャニスタおよび／またはこれに関連する混合チャンバに進入し、ならびに／またはこのとき、発泡および／または推進剤、たとえば気体、および／または発泡可能および／または流動可能な材料はキャニスタから退出し、たとえばこの場合、発泡可能な材料の摂取は、たとえば発泡したおよび／または流動可能な材料を吸収することを望むユーザによって消費されることになる。発泡材料がキャニスタに挿入される前に予備発泡されているか、または挿入後かつ放出前に発泡されている場合、発泡した材料はキャニスタを開いたときなどにキャニスタから直接吸収され得る。そのような事例では、たとえば発泡剤がキャニスタ内のチャンバ内の発泡可能な材料と混合する場合、発泡材料は、発泡剤が組み合わさってキャニスタ内の圧力上昇時などに発泡体を形成することによって発泡され得る。したがって、特定の実施形態では、発泡可能および／または流動可能な材料は、キャニスタ内に挿入され、発泡および／または推進剤から分離され、たとえば位相分離され、たとえばこの場合発泡および／または推進剤は気体であり、この気体は、圧力下に維持される。そのような事例では、発泡および／または推進剤と発泡可能および／または流動可能な材料との圧力下の接触は、発泡可能および／または流動可能な材料を第１の状態から第２の状態に変換する。
【００９８】
本発明の装置、システム、およびそれらを使用する方法が、次に、添付の図面を参照して例としてより詳細に説明される。
【００９９】
たとえば、図１Ａおよび１Ｂに関して分かるように、容器１が提供される。容器は、当技術分野で知られているような、たとえば典型的なソーダボトルまたはソーダ缶などのキャニスタまたはボトル１などのいずれかの適切な容器とすることができる。さまざまな事例では、そのような器は、最小限の圧力下などで、その内容物を保持するように構成され得る。本容器は、その内容物を従来技術よりもはるかに大きな圧力などのより大きな圧力下で含むように構成され得る。本開示の容器または他のキャニスタは、円形、三角形、正方形、長方形、丸形、球形、円筒形、角錐形、立方体、管状などいずれかの適切な形状およびいずれかの適切な大きさのものとすることができる。図１Ａおよび図１Ｂに例示するように、特定の事例では、容器１は、拡張した、たとえば中間の部分１５によって互いに分離された近位部分１２および遠位部分１６を有する拡張本体などの本体１０を有することができる。特定の事例では、拡張本体１０は管状であってよく、したがって湾曲構成を有することができる。
【０１００】
特定の事例では、拡張本体１０は、球形または半球形であってもよく、たとえば、拡張本体は、丸められた本体構成を有することができる。拡張本体１０は、材料１００を非発泡、非流動、および／または発泡および／または流動可能な状態の１つまたは複数で保持するように適合されたチャンバなどのチャンバ５０を少なくとも部分的に境界付けるように構成され得る。そのような事例では、チャンバ５０は、丸みのあるおよび／または湾曲した本体１０によって境界付けられてよく、さらに、キャニスタの遠位端部１７および／またはねじ山または他の結合機構１３を有する近位端部１１などの近位端部１１の１つまたは複数によって境界付けられてよい。一部の実施形態では、境界部材１０は、剛性、半剛性、半可撓性、可撓性などであってよい。
【０１０１】
図１Ｃおよび図１Ｄに関して分かるように、さまざまな実施形態では、送達機構２０が提供され得る。送達機構２０は、装置１に結合されるように適合させ得る吐出機構として構成され得る。送達機構２０は、容器１内から容器１の外部への流動可能および／または発泡可能な材料１００の移動をもたらすことができる限り、いずれかの適切な構成を有することができる。このような動作をもたらすために、送達機構２０は細長い中空および／または管状部材３０を含むことができ、管状部材は、フィーダまたはストロー要素として構成され得る。
【０１０２】
フィーダ要素３０は、ノズル６０などの容器１の出口に結合されるように構成され得る近位端部３２を有する近位部分３３を含み、このノズル６０は、流動可能な材料の速度および／または通路内の圧力を上昇させるように構成された通路６１を含むことができる。さらに、フィーダ要素３０は、遠位端部３７を有する遠位部分３６を含み、たとえばこの場合、遠位端部３７は、容器１内の材料１００と接触するように構成され、その材料１００を受け入れおよび／または容器１から外に並進させるように機能する。フィーダ要素３０はまた、近位部分３２を遠位部分３６から分離する中間部分３５も含む。さらに、送達機構２０は、送達機構２０を容器１の近位端部１１に結合させるなどにより、送達機構２０を容器１に関連付けるように構成され得る、容器界接面１３Ｂを含むことができる。この結合は、結合機構１３ｂを容器１にねじ込む、スナップする、スタンピングする、クランプする、圧着する、溶接する、および／または接着するなどによるいずれかの適切な手段によるものであってよく、したがって、容器界接面は、スナップおよび／またはねじ山、および／または接着剤、および／または変形可能な気体ケットなどを含むことができる。
【０１０３】
さらに、図１Ｃおよび図１Ｄに関して分かるように、装置１は、上述のように、上記で説明した送達または吐出機構２０を含むことができ、一部の実施形態では、送達機構２０はノズル６０に結合されてよく、このノズルは、剛性、半剛性、半可撓性、可撓性、可動性、および／または関節運動可能であるように構築され得る。ノズル６０は、近位端部６２を有する近位部分６３と、遠位端部６７を有する遠位部分６６とを含む。ノズルは、さらに、近位部分６３を遠位部分６６から分離する中間部分６５を含む。ノズル６０は、流動可能な材料を容器からユーザの口の中などに並進させるのに関与することができる限り、いずれの適切な構成も有することができ、この事例では、ノズル６０は、その中間部分６５内などに、湾曲部または曲がり部を含むように構成され、それによって流体がノズル６０内に引きあげられるとき、その流路６１は角弧を描く。ノズルの近位部分６３と遠位部分６６との間の角度は、約４５度から約１６０度などの０度から約１８０度、たとえば約９０度から約１２０度を含む、約６０度から約１６０度のいずれかの適切な角度であってよい。さまざまな事例では、ノズル６０は、複数の曲がり部または湾曲部を有することができ、および／またはその近位端部６２と遠位端部６７との間に複数の角度を含むことができる。さまざまな事例では、ノズル部分６０は、近づくおよび離れるポンプ作用などにおける送達および／または回転または枢動の動作などにおける使用の容易性を促進するために、容器本体１０に対して移動可能であるように構成され得る。
【０１０４】
さらなる事例では、容器１および／またはノズル６０は、１つまたは複数の弁機構４０を含むことができ、この弁は、制御機構４５および／またはトリガなどのアクチュエータ２７の１つまたは複数に動作可能に連結されてよく、弁４０、制御機構４５、およびアクチュエータ２７は一緒になって、フィーダ要素３０および／またはノズル６０などを通って容器１を出る材料１００の流れを制御するように適合され得る。したがって、さまざまな事例では、弁４０が提供され、たとえばこの場合、弁４０は、その長さを通る導管４１を有し、容器１の近位部分１２および／またはこれに関連する並進部材３０と界接するように構成され、それによって、流動可能な材料１００を、ユーザ、たとえば並進された流動可能な材料１００の消費者に送達するなどのために、容器１のチャンバ５０内からノズルの出口６１を通って容器の外側に放出することを促進する、たとえば制御する。
【０１０５】
図１Ｅおよび図１Ｆに関して分かるように、弁４０は、いずれの適切な構成も有することができ、いずれの適切なサイズおよび形状であってもよいが、さまざまな実施形態では、ノズル６６の遠位部分と界接するなどのための近位部分４２を有することができ、容器１の一部分、たとえば開口部または導管を内部に境界付ける容器の一部分、またはこれに関連する並進要素３０の近位部分３３と界接するなどのための遠位部分４６を有することができる。弁４０はまた、近位部分４２と遠位部分４６との間に中間部分４３を有することもでき、たとえばこの場合、中間部分４３は、その中に曲がり部、たとえばノズル６０内の曲がり部に対応する曲がり部を有する。さまざまな実施形態では、弁４０自体は、容器１のユーザと直接的に界接するように、および／または内部の流体をユーザに吐出するなどのために、この容器に関連する何らかの他の吐出機構２０と界接するように構成され得る。通常、弁４０は、容器１のチャンバ５０から出る発泡可能な材料の流れを吐出するのを制御するなどのために、流動可能および／または発泡可能な材料１００を弁を通して並進させるためのオリフィスなどの、弁４０の長さを延びるオリフィス４１を有する。
【０１０６】
そのような場合、弁４０は、制御放出弁４５などの制御弁であってよく、制御放出弁４５は、起動時、容器１の出口および／またはそれに関連する１つまたは複数の並進部材３０と界接するなどによって、容器１を出る、たとえば発泡状態の流動可能および／または発泡可能な材料１００の流れを可能におよび／または促進する。そのような起動は、図１Ｅの切欠部分に示すようなアクチュエータ２７の作動によるものでよく、この作動は、上向きの力（Ｆ）がアクチュエータ２７に加えられて制御弁４５をノズル部分６０に対して下降させ、それによって弁４０を開いた結果生じることができ、またはこの作動は、図１Ｆの切欠部分に示すように、容器１に対してノズル６０を押し下げることによって下方向の力（Ｆ）を押し出すなどによる、ノズル部分６０の作動によるものでよく、この押し下げは、ノズル部分６０を容器１に向かって下方向に移動させて、弁４０を、上に開くように作動させ、それによって通路４１および６１を連結して含まれた材料の放出を可能にする。本明細書で詳述する弁４０の構成は、例示目的のためのものすぎず、送達機構２０および／または弁４０の構成要素に対応する調整を施してさまざまな方向から及ぼす力の印加などによって、消費可能な材料１００の送達をもたらすように数多くの異なる方法で機能するように構成することができることを理解されたい。したがって、弁４０は、制御機構４５と動作可能に接続され得る。そのような制御機構４５は、たとえば流動可能な材料の流量、密度、圧力、温度、通気、気体と流動可能な材料との間の相互混合、泡立ち度、および／または輪郭の１つまたは複数に関して制御可能な方法などで、容器１を出る材料１００の移動および／または放出を促進し、および／または制御することができる限り、いずれの適切な構成も有することができる。
【０１０７】
たとえば、弁４０の制御機構４５は、単純なプッシュもしくはプル弁、または通路４１または通路を通る導管を開くまたは閉じるなどによって、流れをオンまたはオフにする他の制御要素として構成されてよい。通路４１の開放および／または閉鎖の動作は、フラップ弁構成などのヒンジまたは枢動点の周りで関節運動または他の形で回転または枢動するなどによって、いずれの適切な機構によってももたらされ得る。一部の事例では、弁４０は、たとえばフラップ部材、プランジャまたはボールなどの妨害部材４８を含むことができ、この妨害部材は、通路４１内の通過を少なくとも部分的に妨げるまたは妨げないなどによってその中で制御可能に関節運動することができる。そのような事例では、弁の制御機構４５は、ダイアフラムなどの妨害および／または閉塞部材４８に動作可能に連結された付勢要素、たとえばばね要素を含むことができ、ばね要素の状態に基づいて、たとえば、その圧縮されたまたは圧縮されていない（たとえば、付勢された）形態において、通路は、通路の直径に対するダイアフラムの配置などによって、開放または閉鎖されるか、部分的にその間にあることができ、この配置は、たとえば制御機構４５および／またはアクチュエータ２７を介して、ばね要素によって管理されてよい。さまざまな事例では、弁４０および／または通路４１および／または６１の寸法は、機械的および／または電子的に制御することができ、弁４０は、油圧、空気圧、ソレノイド（ピストン）、電動、電子、および／または手動で操作される弁として構成されてよい。
【０１０８】
特定の事例では、弁は、一方向（一方向）、二方向（双方向）、または三方またはそれ以上（多方向）の弁であってよく、それによって、通路内の流体が１つ、２つ、３つ、またはそれ以上の方向にシステム内を移動することを可能にすることができる。たとえば、弁は逆止弁であってよく、より大きな圧力または温度からより低い圧力または温度への材料の流れによって少なくとも部分的に開放されるが、そのような圧力および／または温度勾配がない場合には閉鎖する。そのような弁は、たとえば一方向の流れによって開放され、反対方向の流れによって閉じられ、および／またはさまざまな事例では、手動で、機械的に、電気的に、および／または吸引、真空、および／または装置１のユーザによってシステム上に及ぼされた吹き出し力によって開放または閉鎖されてよい。
【０１０９】
弁４０の制御機構４５は、制御要素４５ａによって作動されるように構成され得る。制御要素４５ａは、ハンドル、レバー、ツイスト弁、傾斜弁、バイト弁、クリンプ弁、押し下げ可能なボタン、スイッチ、回転ノブまたはホイール、ツイストスクリュー、真空または吸引作動弁、ダイアフラムなどの機械的要素でよく、一部の事例では、制御要素４５ａは電子アクチュエータであってよい。いずれの事例でも、制御要素４５ａは、弁４０および／またはそれに関連する通路４１、６１の開閉および／または直径をもたらすように構成され得る。たとえば、制御要素４５ａは、機械的作動を介して開閉をもたらすように構成されてよく、または、開閉は、電子信号またはインパルスの受信によってもたらされてよく、この電子信号またはインパルスは、その後、電子的に制御された機械的アクチュエータ、たとえばモータによって、弁の開放または閉鎖を自動的に制御する。
【０１１０】
特に、さまざまな実施形態では、弁機構４０および／または制御機構４５および／または制御要素４５ａ（または４５ｂ）は、弁アクチュエータ２７などの制御装置を介して制御されてよい。より詳細には、弁アクチュエータ２７は、材料１００が流れる弁４０の通路４１の開放および／または閉鎖および／または直径を制御するように適合された制御機構４５および／または制御要素４５ａ／４５ｂを制御するように構成されてよい。そのような弁アクチュエータ２７および／または制御装置４５は、制御機構を含むことができ、この制御機構は、これが受け取ったさまざまな入力に基づくなどして、システムの弁要素４０の１つまたは複数の状態を制御するように構成され、それによってシステムの１つまたは複数の弁４０を正確に配置することを可能にし、それによって、多様なシステム状態（たとえば、圧力、温度、泡立ち度、流量など）に基づいて、および／またはたとえば、どの弁を開くか、どの直径か、どのようにして、いつ、どのような状態下で開くかを選択することによってユーザ選択されたおよび／または制御された構成に基づいて、システムを通る流れの精密な制御を可能にする。したがって、弁４０は、容器１の通路４１および／または６１を通る流れを制御するように構成され得る。
【０１１１】
したがって、特定の事例では、送達機構２０は、フィーダ要素３０と関連付けられるように構成され得る。たとえば、送達機構２０は、フィーダ要素３０の近位部分３３、たとえば近位端３２をノズル６０の遠位端部６７に関連付けるように構成されてよい。この関連付けは、制御弁４０および／または制御機構４５などによってさらに媒介されてもよい。そのような事例では、フィーダチューブ３０の遠位部分３６は、流動可能な材料１００に接触し、たとえば制御アクチュエータ２７の起動に応答して、流動可能な材料が、その本体に入り、その遠位端部３７などの本体を通って並進することを促進するように構成され得る。
【０１１２】
さらに、図１Ｅおよび図１Ｆに関して分かるように、ノズル６０および／または送達機構２０、そこを通る通路４１、６１、ならびにフィーダ要素３０の形状および／または寸法は、これらの要素間またはその一部間に角度が存在するように互いに対して構成され得る。たとえば、容器は、容器１から経路４１、６１を一緒になって形成する近位部分６３および遠位部分６６を有する送達ノズル６０を含むことができる。そのような事例では、ノズル６０および／または送達機構２０の遠位部分６６は、流動可能な材料１００を受け入れるための入口開口、たとえば６１を含むことができる。さらに、これらの事例のうちの一部のものでは、入口開口４１は、フィーダ要素３０に、その近位部分３３などを介して関連付けられてよく、フィーダ要素３０は、対応する入口開口４１が通り抜ける遠位端部３７を有し、この入口開口は、送達される発泡可能および／または流動可能な材料１００と接触することができる。さらにまた、送達機構２０および／またはノズル６０の経路４１、６１は、出口開口６１を有する近位部分、たとえば、６３を通過することができ、たとえばこの場合、通路６１は、摂取可能な物質を消費者の口に送達するように適合されてよく、さまざまな事例では、ノズル６０の近位部分６３は、消費者の口によって直接受け取られるようにサイズ設定されおよび／または適合されてよく、および／または合わせられてよい。
【０１１３】
特定の事例では、フィーダチューブ３０および／または送達機構２０および／またはノズル６０、および／またはさまざまな入口／出口開口、および／またはその通路の間の角度は、正または負の方向の０度から１８０度の範囲とすることができる。たとえば、ノズル６０および／または送達機構２０は、互いにおよび／またはフィーダ要素３０に関連して、これらの間に角度が存在するように構成および／または配置されよく、その角度は、約２０または３０度から約１１０または１２０度の間などの約１０または約１５度から約１４０度または１６０度の間、たとえば約７５度を含む、約４５度または６０度から約９０度または約１００度の間であってよい。さらに、一部の事例では、これらの要素の間に湾曲部が存在してもよく、この湾曲部は本明細書で詳述する角度と同等のラジアンを有することができる。特に、フィーダ要素３０、送達機構２０、および／またはノズル６０間の構成は、摂取可能物質１００が送達されている間、フィーダ要素３０および／または送達および／または制御機構２０および／またはノズル６０の、またはそれらの構成要素部分の、たとえば入口開口が、地心に向かって最も近い容器１の一部分、たとえば１６または１７の近位にあり、供給機構３７の、たとえば入口開口から送達ノズル６０の、たとえば出口開口６１までのベクトル（Ｖ１）と、供給機構３７の、たとえば入口開口から地心までのベクトル（Ｖ２）間の角度が、約９０度を上回り、かつ約１８０度未満、たとえば約１２０度から約１６０度、またはその間であるようなものであってよい。
【０１１４】
さまざまな事例では、弁機構４０が含まれ、送達ノズル６０、送達機構２０、および供給機構３０のうち１つまたは複数に関連付けられてよく、この供給機構３０は、容器内の摂取可能な物質１００にアクセスするように容器１の第１の空洞５０に関連付けられてよい。したがって、特定の事例では、弁機構４０は、制御可能な弁４５を有することができ、この制御可能な弁は、摂取可能な材料１００の、チャンバ５０の第１の空洞５２ａ内の供給機構３７の入口開口から、経路４１などを通り、送達ノズル６０によって形成された送達機構２０および送達ノズルの出口開口６１までの流れを調節するように構成される。さまざまな事例では、ノズル６０の近位部分６３および／または出口開口６１は、可撓性であってよく、および／またはユーザの口に密接かつ快適に関連付けられるように適合された形状および／または構成を有することができる。
【０１１５】
そのような事例では、入口開口４１および／または６１は、容器１および送達される対象の材料１００に対して、入口、たとえば３７、４６、６７が地心に最も近くなるように配向され得る。さまざまな事例では、反対の場合であってもよく、たとえばこの場合、出口６１、４２、および／または３２が、容器１が使用されているとき、地心に最も近くなる。これは、送達のために使用されるときの容器１の配向にかかわらず、推進剤３００の実質的な損失なしに最大量の内容物１００を排出できることを確実にするために有用になり得る。特に、ある特定の実施形態では、容器１は、流動可能および／または発泡可能な材料１００の比重が発泡剤２００および／または推進剤３００のものより大きくなるように、送達を実行することを念頭において含まれ使用される材料の比重を有して構成されてよく、それにより、送達される材料１００は、送達中、地心の最も近くに配置されるように容器１内の重力によって自然にその中心になる。
【０１１６】
詳細には、送達される材料１００が液体または流動可能な材料であり、推進剤３００および／または発泡剤２００が気体、またはより低い比重を有する液体または流体である場合、より低い比重を有する成分は、より大きい比重を有する層の上部に１つまたは複数の層を形成し、したがって、送達される流体の特定の比重および互いに対する配向に応じて、容器１は、ノズル６０を地球の重心からさらに離して保持されるなどによって、１つの流体を他のものよりおよび／または１つの方向を他のものより優先的に送達するように構成することができ、この場合より大きい比重を有する流動可能な物質１００は、容器の底部１７に載置し、したがって、より小さい比重を有する流体より優先的に送達され、たとえばこの場合、フィーダチューブ３０は、容器の底部分１６の近位を延びる。あるいは容器１は、ノズル６０を重心に最も近づけて保持されることによって優先的に送達するように構成することができ、この場合より大きい比重を有する流動可能な物質１００は、容器１の上部１３に載置し、たとえばこの場合、フィーダチューブ３０は、容器１の上部分１２の近位を延びる。
【０１１７】
したがって、そのような事例では、たとえばフィーダチューブ３０または送達機構２０またはノズル６０の１つまたは複数の入口は、容器がその構成された使用配向に配置されたとき、送達される材料１００の近位に、たとえば材料のより低いまたは最も低い地点にあるように設計され得る。これは、発泡剤および／または推進剤の損失を防止するため、ならびに最大量の内容物を排出することができることを保証するために特に有用である。たとえば、容器は、意図された用途において、吐出中、供給点が意図された使用配向で重心に最も近くなるように配向されてよく、これには、長い供給チューブもしくは短い供給チューブを必要とし、または供給チューブは必要とせず、これはすべて、比重、所望の使用配向、ならびに容器およびその構成要素の結果として生じた構成に依存する。さまざまな事例では、空洞の内面８は、所望の流れ特性をもたらすように輪郭付けされてよく、たとえば、内部境界壁は、送達前に流体の漏斗状の流れをもたらすように構成されてよい。
【０１１８】
図２Ａ〜図２Ｃに関して分かるように、特定の事例では、容器１は、細長い本体１０を含む。細長い本体１０は、内面８と外面９とで形成されている。図示するように、細長い本体１０は、内面および／または外面がたとえば３６０度の円弧を描くように円筒状および管状になるように丸みを帯びまたは湾曲しており、それによってその境界部内にチャンバ５０を形成し、そのような事例では、内面８は、チャンバ５０の内部に面するように配置される。しかし、さまざまな事例（図示せず）では、容器の本体１０は、複数の壁、たとえばチャンバ５０を境界付けるようにして縁を一緒に形成する複数の対向する壁を含むように構成され得る。
【０１１９】
たとえば、容器は、１つまたは複数の側部部分によって、たとえば一対の対向する側面によって互いに分離された前面および後面を有する立方体として形成されてよい。しかし、図２Ａ〜図２Ｃに示すように、容器１の拡張本体１０は、管状形態で構成される１つまたは複数の表面から構成され、たとえばこの場合、拡張本体１０は、細長くおよび／または湾曲しており、空洞５０の内側をキャニスタの外側から分離する単一の境界部材を含み、したがって、内面部分および外面部分から構成される。さまざまな事例では、容器は、チャンバ５０の上部および底部をさらに境界付ける上面および底面を含むこともできる。
【０１２０】
容器の形状にかかわらず、拡張本体部材１０は、チャンバ５０を境界を付けるように構成され得る。境界部材１０は、剛性、半剛性、半可撓性、可撓性、またはそれらの組み合わせであってよい。さまざまな実施形態では、チャンバ５０は、複数の内部部分、たとえば副チャンバまたは空洞５２を含むことができ、拡張本体１０の内面８はチャンバ５０の境界部材を形成し、チャンバ５０内に１つまたは複数の管腔、たとえば５２ａ、５２ｂ、および／または５２ｃをさらに境界付けることができ、たとえばこの場合、各管腔は、境界部材１０によって少なくとも部分的に境界付けされ得る。そのような事例では、空洞の１つまたは複数および／または１つまたは複数の管腔は、流動可能および／または発泡される材料１００、ならびに／または発泡剤２００および／または推進剤３００の１つまたは複数を保持するように構成され得る。
【０１２１】
図示するように、容器５０のチャンバ５０または副チャンバまたは管腔５２ａ内に含まれ得る流動可能および／または発泡可能な材料１００は、第１の、非発泡および／または非流動状態から第２の発泡状態および／または流動可能な状態に変換するなどによって、発泡しおよび／または流動することができるいずれの材料であってもよい。たとえば、典型的な発泡可能および／または流動可能な材料１００は、容器内に含まれ得る気体、液体、半液体、溶液、ゲル、固体、粉末および／または触媒であってよく、一部の事例では、発泡剤と接触および／または混合されたときに非発泡状態から発泡状態に変換されるようなものでよい。
【０１２２】
さらに、図示するように、容器１の１つまたは複数の管腔、たとえば５２ｂ内に含まれ得る適切な発泡剤２００は、非発泡材料に施与されたき、接触したとき、または別の形で中に混合されたとき、非発泡材料を発泡した材料に変換することができるいずれの活性剤であってもよい。たとえば、発泡剤は、発泡可能な材料に導入されたときおよび／または発泡可能な材料と混合されたときに、発泡可能な材料を実質的に非発泡の状態から発泡された状態に変換する、気体、液体、半液体、溶液、ゲル、固体、粉末および／または触媒などでよい。さまざまな事例では、発泡は、混合すると瞬間的であってもよく、または活性化事象に応じて活性化するときであってよい。
【０１２３】
図２Ｂなどに示すようなさまざまな事例では、容器１の１つまたは複数の管腔、たとえば５２ｂおよび／または５２ｃ内に含まれ得る適切な推進剤３００は、流動可能および／または発泡可能な材料１００および／または発泡剤２００と関連付けすることができ、また、容器１が開放されたときなどに、材料１００および／または発泡剤２００を容器１のチャンバ５０から排出させるなどのために、材料１００および／または発泡剤２００の１つまたは複数を１つの位置から別の位置に、たとえば容器の内外に移動させることができる、いずれの活性剤であってもよい。たとえば、推進剤３００は、流動可能および／または発泡可能な材料１００および／または発泡剤２００に導入されおよび／または混合されたときに、一方を他方に対して移動させ、および／またはその両方を、容器１から容器１の外側などに、たとえば１つまたは複数のノズル６０および／または弁４０および／または並進要素３０またはその中の通路４１、６１を通して移動させる、気体、液体、半液体、溶液、ゲル、固体、粉末、機械的要素、および／または触媒であってよい。
【０１２４】
したがって、図２Ａ〜図２Ｃに関して、さまざまな事例では、容器１が提供され、容器はチャンバ５０を含み、このチャンバは、たとえば１つまたは複数のパーティションまたは仕切り５１によって副区画または副チャンバ、たとえば２ａ、２ｂ、および／または２ｃなどに細分化することができ、たとえばこの場合、各副区画は、それ独自の管腔または空洞、たとえば５２ａ、５２ｂおよび／または５２ｃなどを有する。たとえば、容器１は、仕切り、たとえば５１ａ、５１ｂおよび／または５１ｃなどによって分離されるなどにより、第１、第２、第３、第４、第５などの管腔にさらに分割されるチャンバ５０を有することができる。たとえば、図２Ａに関して分かるように、一部の事例では、容器１が提供され、容器１は、少なくとも第１の管腔５２ａおよび第２の管腔５２ｂを有する少なくともチャンバ５０を含み、たとえばこの場合、管腔５２ａは、流動可能および／または発泡可能な材料１００を保持するように構成され、第２の管腔５２ｂは、発泡剤２００および／または推進剤３００を保持するように構成され、たとえばこの場合、第１の管腔５２ａおよび第２の管腔５２ｂは、仕切り５１などによって互いに分離され、この仕切り５１は、発泡可能および／または流動可能な材料１００を内部に受け入れるなどのために膨張することができる、膨張可能な、可撓性のまたは他の伸張可能な膜であってよい。したがって、一部の実施形態では、容器５０が提供され、容器は、少なくともチャンバ５０を形成するように、第１の容器部分２ａおよび第２の容器部分２ｂを含むように構成され、チャンバ５０は、第１の管腔５２ａおよび第２の管腔５２ｂを含み、この２つの管腔は、仕切り５１によって分離される。
【０１２５】
しかし、図２Ｂに関して分かるように、さまざまな実施形態では、容器１は、第３の容器部分２ｃを含むように構成されてよく、したがって、第３の管腔５２ｃを追加的に含むことができる。たとえば、第１の容器部分２ａは、流動可能および／または発泡可能な材料１００を含む管腔５２ａを含むことができ、第２の容器部分２ｂは、発泡剤２００および／または推進剤３００の１つまたは複数を含む管腔５２ｂを含み、たとえばこの場合、発泡可能な材料１００および発泡剤２００および／または推進剤３００は、仕切り５１ａによって互いに分離される。さらに、容器１は、第３の管腔５２ｃを含む第３の容器部分２ｃを含むことができ、この第３の管腔５２ｃは、発泡剤２００および／または推進剤３００の１つまたは複数を含むことができ、たとえばこの場合、管腔５２ｂ内に含まれる内容物は、仕切り５１ｂによって管腔５２ｃ内に収容される内容物から分離される。特定の事例では、発泡剤２００および／または推進剤３００は、補助チャンバユニット３１０内に保持され得る。
【０１２６】
さらに、図２Ａおよび図２Ｂに構成されるように、流動可能な材料１００は、第１の容器部分２ａ内の第１の管腔５２ａ内に保持されてよく、発泡剤および／または推進剤２００／３００は、第２の容器部分２ｂ内の第２の管腔５２ｂ内に保持されてよく、それによってこの２つの材料は相互混合せず、たとえばこの場合、この２つの管腔は、仕切り５１として機能する膨張可能で、弾性のある非透過性膜によって分離され、この膜はまた、たとえば、機械的推進剤の役割を果たすこともでき、これは、その膨張性および／または弾力性によるものでよい。さまざまな事例では、膜５１は透過性または半透過性であってよい。さらに、図示するように、送達される材料１００は、区画２ａ内に保持され、発泡剤２００および／または推進剤３００は、区画２ｂ内に保持される。図２Ａに示すように、管腔５２ｂは発泡剤２００を含み、図２Ｂに示すように、管腔５２ｂは推進剤３００を含む。
【０１２７】
しかし、さまざまな他の事例では、送達される材料１００は、区画２ｂ内に保持されてよく、発泡剤２００および／または推進剤３００は、区画２ａ、および／または細長い本体１０に関連して、そのような構成の変更に対応するように構成されたノズル６０内に保持され得る。さらに、これらのおよび他のそのような実施形態では、弾性仕切り部分５１および区画２ａは、容器１の遠位部分１６に、その中に配置された入口に関連するなどして結合するように図示するように逆配向にあってよく、それによって、その入口は、送達される材料、発泡剤、および／または推進剤の１つまたは複数でチャンバ２ａを満たすように使用され得る。そのような事例では、チャンバ２ａ内の内容物の充填または放出は、発泡可能および／または流動可能な材料１００の送達をもたらすことができる。
【０１２８】
特定の事例では、図２Ｂおよび図３に示すように、容器１は、少なくとも２つのチャンバを含むように構成されてよく、たとえばこの場合、これらのチャンバの１つまたは複数は、挿入可能および／または取り外し可能なチャンバユニット３１０、たとえばカートリッジまたはシリンダ、たとえば、推進剤３００の１つまたは複数を含むためのカートリッジ３１０を受け入れるように構成されてよく、一部の事例では、発泡剤２００および／または発泡可能な材料１００を含むことができる。たとえば、図２Ｂに示すように、容器１は、第１のチャンバ部分２ａおよび第２のチャンバ部分を有する第１のチャンバ５０を含むように構成されてよく、たとえば第１のチャンバ部分２ａは、送達される流動可能および／発泡可能な材料を含むためのものであり、容器１は、この事例では推進剤である発泡剤２００および／または推進剤３００を含むための第２のチャンバ部分２ｂを含むこともできる。さらに、容器１は、追加の推進剤３００を含むためなどの追加の補助チャンバユニット３１０を含むためなどの第２のチャンバ２ｃを含むことができる。詳細には、図２Ｂに関して分かるように、チャンバ部分２ｃは、推進剤３００を含む挿入可能および／または取り外し可能なチャンバユニット３１０を受け入れるように適合され得る空洞５２ｃを有することができる。
【０１２９】
さらに、図３に関して分かるように、容器１は、送達される材料１００および発泡剤２００および／または推進剤３００の両方を保持するための第１のチャンバ部分２ａを有する第１のチャンバ５０を有することができ、たとえばこの場合、これらの構成要素は、同じ空洞５２ａを共有する。容器はまた、発泡剤２００および／または推進剤３００を含む挿入可能および／または取り外し可能なチャンバユニット３１０を受け入れるように適合され得る空洞５２ｃを有することができる第２のチャンバ２ｃを含むこともできる。図２Ｂおよび図３に示すそのような事例では、カートリッジ３１０は、発泡部材２００として構成されてよく、この場合発泡剤は、容器１のチャンバ５２ｃ内に嵌め込まれ得るカートリッジ３１０内の圧力下に保持される、亜酸化窒素、二酸化炭素、酸素、不活性気体などの気体である。また、示すように、他の事例では、カートリッジ３１０は、推進剤３００として構成されてよく、たとえばこの場合、推進剤は、カートリッジ３１０内の圧力下で保持される気体である。
【０１３０】
さらに、そのような事例では、容器１は、チャンバおよび／または空洞の２つ以上を互いに連通させることができる通路を形成する導管４８などの１つまたは複数の導管を含むことができる。特定の事例では、導管４８は、さまざまなチャンバ間の連通を調節するように構成され得る流れ制御機構４９によって制御され得る。そのような制御機構４９は、起動イベント時などに、通路、たとえば４８を通る流れを制御するように適合されたいずれの構成も有することができる。たとえば、制御機構４９は、制御可能な弁のような複数の用途に合わせて構成されてよく、または単回使用のシールでよく、このシールはシールされて連通を妨げるが、開かれた後はそのような連通を可能にする。そのようなシールは、せん断力などの力を、穿刺、破裂、穿孔、はぎ取り、破砕、並進、曲げ、変形、変位、溶解、燃焼（火薬溶融性）、針およびシート弁などによって加えることによって開かれ得る。
【０１３１】
図示するように、さまざまな事例では、導管４８の通路は、さらに、制御弁などの弁４９を含むことができ、この制御弁は、発泡剤２００および／または推進剤３００の、カートリッジ３１０を出て、および／またはチャンバ２ｃを出て、導管４８を通って、流動可能および／または発泡可能な材料１００および／または発泡剤２００および／または推進剤３００の１つまたは複数を含む空洞などの空洞５２ａまたは５２に、相互混合などのために入る流れを制御するように構成される。したがって、発泡剤および／または推進剤を含むカートリッジ３１０は、容器１に結合され、たとえば容器１に挿入され、制御弁４９が開かれると、発泡剤および／または推進剤は、制御弁４９に動作可能に連結されたアクチュエータ２７の作動などによって、空洞５２ｃから放出され、導管４８を通り、空洞５２ａまたは５２ｂに入り、それによって、発泡可能な材料１００と発泡剤２００を相互混合し、および／または材料１００を非発泡状態から発泡状態に変換することができ、および／または流動可能な材料１００と推進剤３００を相互混合することができ、および／または材料１００を容器から外に推進することができる。したがって、さまざまな事例では、さまざまなチャンバ部分２ａおよび／または２ｂおよび／または２ｃおよび／または２ｄ（後述）の間の連通は、アクチュエータ２７によって制御されてよく、または個別にまたは集合的に制御可能なアクチュエータなどによって別個に制御されてよい。
【０１３２】
上記で留意したように、本明細書に説明するこのおよび他の事例では、発泡剤および／または推進剤は、混合されたときに、発熱または吸熱、または温度の上昇または低下などの、混合前とその後の温度間などに温度差を作り出すように熱エネルギーを伝達する他の反応をキャニスタのチャンバ内などに引き起こす、１つまたは複数の要素を含むことができる。たとえば、固形から液体および／または気体、またはその逆のような物理的変化を受け、その結果、形態の変化後にチャンバ内のスペースをより多くまたはより少なく占有することによって温度の上昇または低下などの温度変化を伴う、いずれの消耗可能な化学剤も、このようにして使用されてよい。したがって、さまざまな実施形態では、温度変化は、圧力変化を伴うことができ、たとえばこの場合、圧力の変化が存在し、結果として生じる圧力の変化が、発泡可能および／または流動可能な材料などの上下の温度変化を生み出すことができ、またはその逆の形でもよく、この圧力の変化は、吐出などの前に、発泡可能な材料を発泡させる目的で生み出され得る。特定の事例では、温度の変化は、吐出前などに、発泡可能な材料を加熱または冷却する目的で生み出され得る。
【０１３３】
加えて、さまざまな事例では、発泡剤および／または推進剤は、たとえば互いにまたは発泡可能な材料と混合したとき、発熱または吸熱、または圧力の上昇または低下などの、混合前と混合後の圧力間などに圧力差を生み出すようにしてエネルギーをシステム内で伝達する他の反応をキャニスタのチャンバ内などに引き起こす、１つまたは複数の要素を含むことができる。さまざまな実施形態では、圧力変化が存在する場合、圧力の結果として生じる変化は、発泡可能な材料などの温度の上下の変化を伴うことができる。たとえば、固形から液体および／または気体、またはその逆のような物理的変化を受け、その結果、形態の変化後にチャンバ内のスペースをより多くまたはより少なく占有することによって、圧力の上昇または低下などの圧力変化を伴う、いずれの消耗可能な化学剤も、このようにして使用されてよい。そのような事例では、圧力および／または温度の変化は、発泡可能な材料を非発泡および／または流動可能な材料から発泡したおよび／または流動可能な材料に変換するものでよく、ならびに／または温度および／または圧力の変化は、流動可能なおよび／または発泡した材料の温度を加熱または冷却するためのものであってもよい。
【０１３４】
したがって、上記で記載したように、発泡可能な材料に発泡剤および／または推進剤を添加すると、キャニスタ内の温度変化をもたらす可能性のある圧力の変化を伴うことができる。たとえば、より大きな空間に移動することによって溶液を離れる気体によって引き起こされるような圧力の低下は、残りの溶液の温度の低下を同時にもたらす可能性がある。特に、気体が増大した体積にわたって膨張すると、チャンバ内の温度は、低下し得る。
【０１３５】
同様に、気体がより小さい空間に圧縮されることによって引き起こされるような圧力の上昇は、温度の上昇を同時にもたらし得る。特に、より多くの気体が溶液中に入るなどのように、増加した気体が閉じ込められた空間内に移動すると、気体によって引き起こされる熱エネルギーの増加などのために、チャンバおよび／またはその結果得られる溶液の温度が上昇し得る。より具体的には、さまざまな事例では、発泡剤および／または推進剤は、二酸化炭素、亜酸化窒素、水素、ヘリウム、アルゴン、他の希気体、圧縮空気などの気体状の形態であってよく、気体は、取り外し可能なキャニスタなどのキャニスタ内に含まれ、制御放出導管は、発泡可能および／または流動可能な材料を含むチャンバへの気体の流れを制御し、それにより、気体を発泡可能および／または流動可能な材料と混合したとき、圧力勾配および／または温度勾配の１つまたは複数が形成され、ならびに／または発泡剤および／推進剤と発泡可能および／または流動可能な材料との混合などにより、結果として得られた流動可能および／または発泡した材料の温度の上昇または低下をもたらしてももたらさなくてもよい圧力および／または温度勾配の存在下などで、発泡可能および／または流動可能な材料が生み出される。さまざまな事例では、発泡剤は、推進剤であってもよく、または推進剤を含んでいてもよい。したがって、１つの態様では、本開示は、たとえば、所望の量の泡立ち度を有する消費可能な発泡した材料の最終品を生み出すために、発泡剤および／または推進剤を発泡可能な材料に導入するなどによって、発泡可能な材料を第１の非発泡状態から第２の発泡状態に変換することを目的とする。
【０１３６】
たとえば、発泡可能な材料および発泡剤および／または推進剤は、混合されたときに、発泡可能な材料が非発泡状態から発泡状態に変換されるように選択され、発泡状態では、発泡可能な材料は、コロイド内に閉じ込められた発泡剤の量によって特徴付けられるコロイド構造を有する。さまざまな事例では、発泡組成物は、９８％の発泡可能な材料と２％の発泡剤、９５％の発泡可能な材料と５％の発泡剤、９３％の発泡可能な材料と７％の発泡剤、９０％の発泡可能な材料と１０％の発泡剤、８７％の発泡可能な材料と１３％の発泡剤、８５％の発泡可能な材料と１５％の発泡剤、８３％の発泡可能な材料と１７％の発泡剤、８０％の発泡可能な材料と２０％の発泡剤、７７％の発泡可能な材料と２３％の発泡剤、７５％の発泡可能な材料と２５％の発泡剤、７３％の発泡可能な材料と２７％の発泡剤、７０％の発泡可能な材料と３０％の発泡剤、６７％の発泡可能な材料と３３％の発泡剤、６５％の発泡可能な材料と３５％の発泡剤、６３％の発泡可能な材料と３７％の発泡剤、６０％の発泡可能な材料と４０％の発泡剤、５７％の発泡可能な材料と４３％の発泡剤、５５％の発泡可能な材料と４５％の発泡剤、５３％の発泡可能な材料と４７％の発泡剤、５０％の発泡可能な材料と５０％の発泡剤、４５％の発泡可能な材料と５０％の発泡剤、または４０％の発泡可能な材料と６０％の発泡剤を含む。そのような事例では、発泡可能な材料は、発泡剤によって変更され、たとえば、液体または半液体または溶液またはゲルまたは固体または粉末状態から、発泡状態などの、その組成物が発泡剤を含む状態に変換される。
【０１３７】
たとえば、さまざまな事例では、発泡可能な材料は、発泡剤および／または推進剤の少なくとも一部分をその調合物中に吸収および／または別の形で保持することができる材料である。たとえば、特定の実施形態では、発泡可能な材料は液体などであり、発泡剤および／または推進剤は、可溶性気体などの気体、液体、半液体、溶液、溶質、固体、ゲル、溶解性粉末、懸濁液などの１つまたは複数である。他の実施形態では、発泡可能な材料は、可溶性気体などの気体、液体、半液体、溶液、溶質、固体、ゲル、溶解性粉末、懸濁液などの１つまたは複数であってもよく、発泡剤は液体などであってもよい。
【０１３８】
したがって、さまざまな実施形態では、組成物が提供され、この組成物は、発泡した組成物を生み出すなどのために発泡剤および／または推進剤を発泡可能な材料に導入することによって生み出された調合物を含み、たとえばこの場合、発泡可能な材料は、発泡剤および／または推進剤と混合するなどによって、第１の非発泡状態から第２の発泡状態に進む。より具体的には、特定の実施形態では、提供される組成物は、発泡飲料のような飲料などの消費可能品である。さらなる事例では、発泡可能な材料は、その調合物中に推進剤の少なくとも一部分を吸収および／または別の形で保持することができる材料である。たとえば、特定の実施形態では、推進剤が含まれてもよく、推進剤は、可溶性気体などの気体、液体、半液体、溶液、溶質、固体、ゲル、溶解性粉末、懸濁液などの１つまたは複数である。さらに、１つの態様では、本開示は、たとえば所望の量の流動性を有する消費可能な流動可能な材料最終品を生み出すために、推進剤を材料に導入するなどによって、材料を、第１の、流動不能なまたは部分的に流動可能な状態から第２の、より流動可能な状態に変換することを目的とする。
【０１３９】
たとえば、材料および推進剤は、混合されたとき、材料が流動不能な状態または半流動可能な状態からより流動可能な状態に変換されように選択されてよく、流動可能な状態では、流動可能な材料は、構造内に閉じ込められた推進剤および／または他の添加剤の量によって特徴付けられる粘度および／またはチキソトロピー構造を有する。さまざまな事例では、流動可能な組成物は、９８％の流動可能な材料と２％の推進剤、９５％の流動可能な材料と５％の推進剤、９３％の流動可能な材料と７％推進剤、９０％の流動可能な材料と１０％の推進剤、８７％の流動可能な材料と１３％の推進剤、８５％の流動可能な材料と１５％の推進剤、８３％の流動可能な材料と１７％の推進剤、８０％の流動可能な材料と２０％の推進剤、７７％の流動可能な材料と２３％の推進剤、７５％の流動可能な材料と２５％の推進剤、７３％の流動可能な材料と２７％の推進剤、７０％の流動可能な材料と３０％の推進剤、６７％の流動可能な材料と３３％の推進剤、６５％の流動可能な材料と３５％の推進剤、６３％の流動可能な材料と３７％の推進剤、６０％の流動可能な材料と４０％の推進剤、５７％の流動可能な材料と４３％の推進剤、５５％の流動可能な材料と４５％の推進剤、５３％の流動可能な材料と４７％の推進剤、５０％の流動可能な材料と５０％の推進剤、４５％の流動可能な材料と５０％の推進剤または４０％の流動可能な材料と６０％の推進剤を含む。そのような事例では、流動可能な材料は、推進剤および／または追加の添加剤によって変更され、たとえば、液体または半液体または溶液またはゲルまたは固体または粉末状態から、流動可能な状態などの、その組成物が推進剤を含む状態に変換される。
【０１４０】
たとえば、さまざまな事例では、流動可能な材料は、推進剤の少なくとも一部分をその調合物内に吸収および／または別で保持することができる材料である。たとえば、特定の実施形態では、流動可能な材料は液体などであり、推進剤（ｐｒｏｐｅｌｌｉｎｇａｇｅｎｔ）および／または推進剤（ｐｒｏｐｅｌｌａｎｔ）は、可溶性気体などの、液体、半液体、溶液、溶質、固体、ゲル、溶解性粉末、懸濁液などの１つまたは複数である。他の実施形態では、流動可能な材料は、可溶性気体などの気体、液体、半液体、溶液、溶質、固体、ゲル、溶解性粉末、懸濁液などの１つまたは複数であってもよく、推進剤は液体などであってよい。
【０１４１】
したがって、さまざまな実施形態では、組成物が提供され、この組成物は、決定された流れ特性を有する流動可能な組成物を生み出すなどのために、推進剤および／または添加剤を送達される物質に導入することによって生み出された調合物を含み、たとえばこの場合、送達可能な材料は、推進剤および／または添加剤と相互混合するなどによって、第１の流動不能または部分的に流動可能な状態から第２の流動可能な状態に進む。より具体的には、特定の実施形態では、提供される組成物は、流動可能な飲料などの飲料または他の食品などの消費可能な製品である。さらなる例では、送達可能な材料は、上記で説明したような発泡剤の少なくとも一部分、および／または上記に列挙したような添加剤を、その調合物内に吸収および／または別の形で保持することができる材料である。たとえば、特定の実施形態では、発泡剤および／または添加剤は、発泡可能な材料に含まれるか、または発泡可能な材料に添加されてもよく、たとえばこのとき発泡剤および／または添加剤は、可溶性気体などの気体、液体、半液体、溶液、溶質、固体、半固体、ゲル、溶解可能な粉末、懸濁液などの１つまたは複数である。
【０１４２】
したがって、さまざまな事例では、図２Ａおよび図２Ｃに示すように、容器１は、チャンバ２ｄを含むことができ、このチャンバは、混合ダクトとして、たとえば１つの空洞、たとえば５２ａの内容物が、容器内のさまざまな異なる物質の相互混合などのための第３の空洞、たとえば５２ｄ内で相互混合するなどのために別の空洞、たとえば５２ｂの内容物と連通することを可能にするように構成されたダクトとして構成される。たとえば、相互混合ダクト２ｄは、第１の弁４０ａが関連付けられた第１の通路４１ａを通して、第１のフィーダ要素３０ａによって第１の空洞５２ａに連結されてよい。さらに、相互混合ダクト２ｄは、第２の弁４０ｂが関連付けられた第２の通路４１ｂを通して、第２のフィーダ要素３０ｂによって第２の空洞５２ｂに連結されてもよい。
【０１４３】
さまざまな事例では、弁４０ａおよび４０ｂは、それぞれ制御要素４５ａおよび４０ｂを含むことができる。したがって、容器１は、発泡されるおよび／または流動される材料１００を含む第１の空洞、たとえば５２ａを連結するように構成されてよく、さらに、発泡剤２００および／または推進剤３００を含む第２の空洞、たとえば５２ｂを相互混合ダクト５２ｄに連結してもよく、たとえばこの場合、相互混合チャンバ２ｄは、吐出機構２０の一部となるように構成されてよい。そのような場合、流動可能かつ発泡可能な材料１００は、並進要素３７ａの遠位部分、たとえば、１つまたは複数の弁４０ａを通して吐出機構２０内の混合チャンバ２ｄ内に並進され、発泡剤および／または推進剤２００／３００は、並進要素３７ｂの遠位部分、たとえば１つまたは複数の弁４０ｂを介して混合チャンバ２ｄ内に並進され、発泡剤２００および／推進剤３００が発泡可能な材料１００と混合したとき、発泡可能な材料は、発泡剤２００および／または推進剤３００と相互混合するなどによって、非発泡状態から発泡状態に変換されてよく、この相互混合は、消費者操作可能な制御アクチュエータ２７の作動によって開始することができる。そのような事例では、図示するような２つ以上の制御弁が使用されて、発泡および／または推進剤が、たとえばシステム内を一様にしようとして、混合ダクトなどのさまざまなチャンバ内に直接逃げないようにおよび／または通路４１および／または６１から逃げないようにすることができる。
【０１４４】
そのような相互混合は、発泡した材料を容器内に挿入する前に、挿入後は容器内、たとえば容器内の単一の、たとえば主チャンバ内および／または容器内の混合チャンバなどの１つまたは複数の補助チャンバ内および／または容器に関連する吐出機構内で行われ得る。上記で示したように、発泡プロセスが容器内で行われる場合、発泡可能な材料は、位相シフトまたは物理的仕切りなどによって発泡剤および／または添加剤または香味剤から、ただし所望の泡立ち度および／または流動特性を有する発泡した材料を生み出すために、２つ以上の材料を制御された形などで相互混合できるようにして分離され得る。同様に、流動不能な材料または半流動可能な材料を流動可能な材料に変換するプロセスが容器内で行われる場合、流動される材料は、位相シフトまたは物理的パーティションによって推進剤および／または添加剤および／または香味剤から、ただし、所望の流動特性を有する流動可能な材料を生み出すために、２つ以上の材料を制御された形などで相互混合できるようにして分離され得る。
【０１４５】
したがって、図２Ａ〜図２Ｃに示すように、パーティションまたは仕切り５１などによって物理的に分離される場合、制御式放出導管４１および／または４８が、流動可能かつ発泡可能な材料１００、発泡剤２００、および／または推進剤３００、および／または推進剤３００および／または添加剤または香味剤の１つまたは複数間の相互混合の速度および程度を調節するために、仕切りおよび／または混合ダクト２ｄに含まれてよく、制御式放出導管４１および／または４８は、使用される発泡可能な材料、発泡剤、および／または推進剤、および／または添加剤、および／または香味剤の物理的特性ならびにそのような相互混合によるこれらの変化に対応するようにして構成され得る。そのような事例では、発泡剤２００および／または推進剤３００および／または添加剤および／または香味剤の属性に応じて、制御式放出導管４１および／または４８は、容器１の内側と容器の外側との間および／または容器１内のさまざまな異なる空洞５２間、たとえば発泡可能および／または流動可能な材料１００を含む空洞５２ａと、発泡剤２００を含む空洞５２ｂおよび／または推進剤３００を含む空洞５２ｃおよび／または１つまたは複数の添加剤および／または添加剤をその中に有する１つまたは複数の追加の空洞との間などに圧力および／または温度差を作り出すのに適したいずれの構成も有することができる。
【０１４６】
たとえば、さまざまな実施形態では、容器のさまざまな異なるチャンバおよび／または空洞の間の連通を可能にする容器の１つまたは複数の制御放出導管は、機械的に作動するように機械的構成を有することができる。たとえば、制御放出導管は、導管または弁がさまざまな制御可能な直径寸法を有する低速または急速放出弁、ハンドまたはスクリューポンプ；スクリューおよびプレート、ばね解放プレート、レバー、または少なくとも１つのチャンバ内で、（たとえば、発泡剤のそのチャンバからの放出前などに）そのチャンバのサイズを低減する、または気体をより多く中に受け入れることによって圧力および／または温度を上昇させることができる他の機械的要素、ファンなどとして、またはこれらを含むようにして構成され得る。さまざまな事例では、発泡剤および／または推進剤および／または制御放出導管は、同じものでもよい。
【０１４７】
さまざまな実施形態では、そのような制御放出導管は、少なくとも部分的に電子的に作動するように、機械的、電気的、および／または電気機械的構成を有することができる。そのような事例では、制御放出導管は、電子の低速または急速放出弁、電子ポンプ、電子スクリュープレート、電子的に作動されるばね解放プレート、電子レバーまたはファン、電子ＭＥＭ装置などとして構成されてよく、または含むことができる。さまざまな事例では、導管が電子的に制御される場合、導管は、導管を制御し、それによってチャンバ間の連通の程度および速度を制御するマイクロプロセッサなどの制御回路を有することができる。そのような事例では、マイクロプロセッサは、ＣＰＵ、メモリ、送信機、受信機、ＧＰＳロケータ、圧力センサ、温度センサ、および／または発泡可能および／または流動可能な材料全体の生成されたマトリックス、コロイドおよび／または溶液内に捕捉された空気または発泡剤または推進剤または添加剤または香味剤の量を決定するなどのための１つまたは複数のセンサまたはゲージの１つまたは複数を含むことができる。そのような場合、特定の実施形態では、発泡剤、推進剤、添加剤など、および制御式放出導管は同じものでよく、たとえばこの場合、導管の開口部の開閉および直径は、たとえば機械的にまたは電子的に制御される。
【０１４８】
特有の実施形態では、発泡および／または推進剤は化学組成物であってよく、制御式放出導管は、化学的発泡および／または推進剤および／または添加剤および／または香味剤と発泡可能な材料との混合を促進するように構成されてよく、たとえばこの場合、発泡剤および／または添加剤および／または香味剤は、気体状、液体、半液体、ゲル、固体、および／または粉末の形態などである。たとえば、発泡剤および／または推進剤は、互いにおよび／または発泡可能および／または流動可能な材料および／または添加剤および／または香味剤と相互混合されたとき、容器のチャンバの１つまたは複数内に圧力および／または温度の上昇を引き起こす１つまたは複数の成分であってよく、この圧力および／または温度の上昇を、制御放出導管によって使用して、発泡可能な材料を発泡させ、および／または吐出機構の起動に応答して、この材料を容器から排出するのを促進することができる。当然ながら、示すように、流動可能および／または発泡可能な材料１００、発泡剤２００および／または推進剤３００は、１つにしてよく、または２つ以上、たとえば容器１の３つ以上の別個の区画２ａ、２ｂ、２ｃおよび／または２ｄ内の３つ以上の別個の管腔などの３つの異なる管腔内にあってよく、この１つまたは複数の区画は、１つまたは複数の導管４１および／または４８および／または弁４０、制御機構４５、および／または混合ダクト２ｄ、および／または混合チャンバ５２ｄなどを介して互いに連通するように構成することができる。
【０１４９】
したがって、図１Ｅおよび図１Ｆに示すように、発泡材料１００は、発泡剤２００と同じチャンバ５０内にあってよい。しかし、図２Ａおよび図２Ｃに示すように、発泡可能な材料１００は、発泡剤２００が存在する管腔５２ｂとは別個の管腔５２ａ内にあってよく、たとえばこの場合、２つの管腔５２ａおよび５２ｂは、仕切り５１によって分離され、この仕切りは、伸張可能な膜として、または可動のプラットフォームまたはダイアフラムとして構成されてよい。さらに、図２Ｂに示すように、追加のまたは代替の区画２ｃが、たとえばチャンバ５０内に含まれてよく、たとえばこの場合、区画２ｃは、この事例では補助キャニスタ３１０内に収容される推進剤３００を収容するなどのための管腔５２ｃを形成する。さらに、図２Ａおよび２Ｃに示すように、容器１は、１つまたは複数の混合ダクト２ｄを含むことができ、このダクトは、１つの容器部分、たとえば２ａ内の内容物が、吐出機構２０の混合チャンバ５２ｄ内などの異なる容器部分、たとえば２ｂ内の内容物まで流れ、これと相互混合することを可能にするように適合され得る。
【０１５０】
さらに、図２Ｃに関して分かるように、さまざまな実施形態では、容器１のような器が提供され、容器１はチャンバ５０を含み、たとえばこの場合、チャンバ５０は、発泡可能な材料１００を保持するなどのための少なくとも第１の容器部分２ａを含むことができ、さらに、発泡剤２００および／または推進剤３００を保持するなどのための第２の容器部分２ｂを含むことができ、第１の容器部分および第２の容器部分は、１つまたは複数の仕切り部分５１、たとえばチャンバ５０の内部領域を増減できるように可変の容積のものにすることができるようにして容器１のチャンバ５０内で移動することができる関節運動可能な仕切り部分によって互いから分離される。このようなやり方で、第２の容器部分２ｂ内の発泡剤および／または推進剤２００／３００は、それが仕切り部分５１に対して圧力を及ぼすようなものであってよい。そのような事例では、アクチュエータ２７は、押し下げられたときに、たとえば制御機構４５ａ、４５ｂのそれぞれの起動によって弁４０ａおよび４０ｂを同時にまたは順次的に開くことができ、それによって通路４１ａおよび４１ｂを開き、空洞５２ａおよび５２ｂから混合チャンバ５２ｄ内に至る退出ルートを可能にするように構成されてよく、それにより、推進剤３００が関節運動可能な仕切り部分５１に圧力を及ぼすとき、仕切り部分が容器１の遠位部分１６から離れて近位部分１２に向かって上向きに移動して、発泡可能かつ流動可能な材料１００を並進要素３０ａを通して並進させ、チャンバ５２ｄに送達するように構成され得る。また、弁４０ｂは、たとえば、アクチュエータ２７の最初の押し下げまたはその後の押し下げ作用によって開かれ、それによって発泡剤２００／３００の進入を可能にして遠位部分３７ｂを介してフィーダ要素３０ｂ内に受け入れて混合チャンバ５２ｄに送達し、それによって混合ダクト２ｄ内などにおける、流動可能および／または発泡可能な材料１００と発泡剤および／または推進剤２００／３００との混合を可能にすることができる。そのような事例では、アクチュエータ２７のさらなる作動は、制御機構４５ｃを介して弁４０ｃの開放をもたらして、混合されたおよび／または発泡した材料をユーザに吐出するために、ノズル６０の通路６１へのアクセスを開くことができる。
【０１５１】
さらに、図２Ｃの切断図に示すように、さまざまな事例では、仕切り５１は、軸ユニット２９の周りを回転するなどしてチャンバ５０内で関節運動するように構成されてよく、この回転は、アクチュエータ２８によって作動されてよく、このアクチュエータは、ねじられたまたは回されたとき、仕切り５１を軸ユニット２９に沿って上向きに移動させ、それによって空洞５０内の内容物１００を圧縮し、これらをノズル６０の外に出るように強制する。そのような事例では、チャンバ壁８および／または軸ユニット２９の内部の１つまたは複数は、回転運動を軸に沿った直線運動、たとえば上向きまたは下向きに変換するなどによって移動を促進するねじ山などを含むことができる。軸ユニット２９は、チャンバ５０内の中心軸などに沿って中心に配置されてよく、または中心から外れて配置されてよい。仕切り５１は、円形、ドーナツ形状、正方形などのいずれかの適切な形状を有することができる。さまざまな事例では、中心軸ユニット２９は、そこを通る通路を有することができ、たとえば、これは、管状であってよく、その長さに沿って開口部を有し、この開口部を通って流動可能な材料１００、発泡剤２００、および／または推進剤３００の１つまたは複数が並進することができ、したがってさまざまな例では、軸ユニット２９は、本明細書で説明するようにフィーダチューブとして機能することができる。さらに、図示されるように、容器１はチャンバ５０を含むことができ、このチャンバは、さらに、チャンバ５０と交差する仕切り５１によって形成された副チャンバ２ａおよび２ｂなどの複数の副チャンバを含む。示すように、さまざまな事例では、プラットフォーム５１は、軸２９がそこに挿入され得るようにトーラスであってよく、この軸２９は、膜で覆われてチャンバ２ａ内の内容物から分離することができる。
【０１５２】
さまざまな事例では、別の仕切り５１ａが存在してもよく、この仕切り５１ａは、膜などの圧縮可能な部材であってよく、回転部材２８の関節運動などによって圧縮されるようにアコーディオンのようにそれ自体の上に折り畳まれるように構成される。したがって、一部の実施形態では、ねじ様部材２８を回転させることによって、仕切り５１は、チャンバ５０の近位部分に向かって軸方向に上向きに移動して、膜５１をそれ自体上に折り曲げ、チャンバ２ａを圧縮し、それによってその中の内容物を、送達機構２０を通って排出する。一部の実施形態では、仕切り５１および膜５１ａは、軸２９および制御レバー２８の１つまたは複数の動きによって制御可能なベローズとして構成されてもよく、そのような事例では、圧縮作用は、ねじる、押す、および／または引いたりすることによって実施され得る。一部の事例では、膜５１ａに圧縮力をもたらす１つまたは複数のローラーまたは他の圧縮要素が含まれてよく、それによってチャンバ２ａの崩壊なとによって、チャンバ２ａの圧縮および／または材料１００の排出をもたらす。そのような排出は、ラチェット式構成および／または機構によるものとすることもできる。特定の事例では、仕切り５１および／または軸２９および／またはチャンバ５０の他の内部境界部材は、１つまたは複数の弾性部材、ばね要素、またはチャンバ２ａの崩壊を促進するようにこれに結合された他の付勢要素を含むことができ、この場合、プラットフォーム５１および軸２９は、ピストンタイプおよび／またはプランジャ機構を形成する。そのような事例では、化学剤を主成分とする推進剤を使用してもしなくてもよい。そうではなく、送達される材料は、副チャンバ２ａ内に挿入されて、これを膨張させ、弁４０によっておよび通路４１を介して、チャンバが開かれたときに放出される位置エネルギーを作り出す。
【０１５３】
さらに、一部の実施形態では、中心軸ユニット２９は、仕切り５１をチャンバ内で関節運動させるのを助けるために容器１の上部または底部の部分を仕切り５１に結合するように構成された１つまたは複数のばねまたは付勢要素などの、チャンバ５０内に正圧を作り出すように適合された内部要素を備えることができる。したがって、さまざまな事例では、容器１は、その内容物１００の排出のためにチャンバ５０内に正圧を作り出すように構成された要素を含むことができ、この要素は、ばね、たとえばばね負荷弁、伸張可能な膜またはブラダ、またはチャンバ５０もしくはその関連する空洞５２の１つまたは複数内に位置エネルギーを保存するための他の供給源を含むことができる。
【０１５４】
図２Ａ、２Ｃおよび３に示すように、容器１は、１つまたは複数の通路４１によって、たとえば１つまたは複数の制御弁４５を介して主チャンバ５０から分離された混合チャンバ５２ｄを含み、さらに混合チャンバ５２ｄに関連する相互混合空洞２ｄを含む。具体的には、チャンバ５０は、発泡可能な材料１００を保持する第１の容器部分２ａを含み、発泡剤２００および／または推進剤３００を保持する第２の容器部分２ｂ／２ｃを含む。第１の容器部分２ａおよび第２の容器部分２ｂ／２ｃは、仕切り部分５１によって互いに分離され、１つまたは複数の制御機構４５を含むことができる１つまたは複数の可動弁４０などを介して容器部分２ｄに供給することができる。
【０１５５】
したがって、さまざまな事例では、容器１は、正確に内部で相互混合されるように混合チャンバ２ｄ内に受け取られる材料の正確な割合を計量するように構成された、１つまたは複数の計量弁４０／４５を含むことができる。計量弁は、チャンバ２ｄに流入する材料の量、流入時間、そこに流入する材料の割合などを制御するなどによって、正確な体積を計量するように構成され得る。特に、チャンバ２ｄに流入する材料の割合は、最終的な送達可能な組成物が泡立ちすぎず、かつ発泡不足にならないことを確実にするように決定され得る。より具体的には、計量弁は、供給される第１の部分が、供給される最後の部分と同じ濃度を維持することを確実にするように構成することができる。そのような事例では、システムは、最後の量の実質的な材料を送達する前に、発泡剤および／または推進剤を使い切らないように構成することができる。さらに、弁および／またはその制御機構は、順次作動させ、続いて混合チャンバ２ｄおよび／または消費者に順次送達するように構成され得る。本明細書に示すように、そのような起動は、たとえば、スイッチ、トグル、および／またはモータを介して機械的に、および／またはマイクロプロセッサのさまざまな設定の制御などによって電子的に制御され得る。さまざまな事例では、容器１は、１つまたは複数のセンサを含むことができ、および／またはマイクロプロセッサは、ユーザが送達のパラメータおよび味覚体験を選択できるように、１つまたは複数の香味および／または発泡および／または突出のプロファイルを含むメモリを含むことができる。
【０１５６】
たとえば、容器部分２ａは、通路４１ａを介して弁４０ａによって容器部分２ｄに連結され、容器部分２ｂは、通路４１ｂを介して弁４０ｂによって容器部分２ｄに連結される。通路４１ａおよび４１ｂを通り混合ダクト２ｄに入る流れは、アクチュエータ２７の１つまたは複数の作動に応答して、弁４０ａおよび４０ｂの作動を制御する制御機構４５ａおよび４５ｂそれぞれを介して制御され得る。したがって、適切な起動時、通路４１ａおよび４１ｂは、同時にまたは順次に開放され、それによって容器部分２ａおよび２ｂの内容物が容器部分２ｄ内で相互混合することを可能にする。
【０１５７】
そのような事例では、アクチュエータ２７は、押下されたとき、一方の弁４０ａが開放され、それによって放出される発泡可能な材料１００を混合ダクト２ｄに放出するように構成され得る。そして、２回目に押下されたとき、弁４０ｂが開放され、それによって通路４１ｂを開き、発泡剤２００も混合ダクト２ｄに放出することを可能にし、それによって容器１からの放出の前などに、発泡可能な材料１００を発泡剤２００と相互混合し、それによって発泡させる。さらに、アクチュエータ２７をさらに作動させることにより、制御機構４５ｃを介して弁４０ｃの開放をもたらし、それによって混合されたおよび／または発泡した材料をユーザに吐出するためにノズル６０の通路６１へのアクセスを開くことができる。
【０１５８】
したがって、相互混合空洞５２ｄは、吐出機構２０の一部として構成され、チャンバ部分２ａの内容物およびチャンバ部分２ｂの内容物が、物質の混合などのためにチャンバ２ｄ内で連通することができるように適合され得る。たとえば、相互混合空洞５２ｄは、流動可能な材料１００を含むチャンバ２ａに、並進要素３０ａによって連結され、この並進要素は、通路４１ａを形成し、流動可能な物質を弁４０ａを通してチャンバ２ｄに流入させる。さらに、相互混合空洞５２ｄは、発泡剤２００を含むチャンバ２ｂに、並進要素３０ｂによってさらに連結され、この並進要素は、通路４１ｂを形成し、発泡剤が弁４０ｂを通してチャンバ２ｄに流入することを可能にする。そのような事例では、チャンバ部分２ｄは、気体状要素などの発泡剤が、アクチュエータ２７が押し下げられ、それによって弁機構４５ａおよび４５ｂを開いたとき、食品または飲料品と、その発泡などのために相互混合することを可能にするように発泡チャンバとして構成され得る。推進剤３００が発泡剤２００でもある場合、これがチャンバ２ｄ内などで流動可能な材料１００と相互混合するとき、これは、ノズル６０を通っておよび／または消費者に直接放出される前などに、材料１００を発泡させる。したがって、作動されたとき、流動可能かつ発泡可能な材料１００は、発泡剤２００／３００と混合するために、並進要素３０ａを通り、弁４５ａを通り、吐出機構２０内の混合チャンバ２ｄに並進されてよく、混合時、発泡可能な材料１００は、発泡剤２００および／または推進剤３００との相互混合などによって非発泡状態から発泡状態に変換される。
【０１５９】
図３に関して分かるように、さまざまな実施形態では、容器１などの器が提供され、容器１は、発泡可能な材料１００を保持するなどのための第１の空洞５２ａを含む主チャンバ５０を有する少なくとも第１の容器部分２ａを含み、さらに、発泡剤２００および／または推進剤３００を保持するなどのための副チャンバ５２ｃを有する第２の容器部分２ｃを含むことができ、第１および第２の容器部分は、１つまたは複数の仕切り部分５１によって、たとえば第１の容器部分２ａと第２の容器部分２ｃとの間の連通を可能にするようにそこを通る導管４８を有する仕切り部分５１などによって互いから分離される。さまざまな実施形態では、発泡剤２００はまた、第１の容器部分２ａ内などに含まれてもよく、一部の実施形態では、第２の容器部分２ｂ内にさらに含まれてもよい。発泡剤２００および／または推進剤３００は、液体から固体、粉末などのさまざまな形態であってもよく、示すように、発泡可能な材料を含む区画と同じ、または１つまたは複数の別個の区画にさらに含まれてもよい。
【０１６０】
したがって、図３に関して分かるように、容器１は、流動可能および／または発泡可能な材料１００を含む副チャンバ２ａを有する主チャンバ５０を含む。主チャンバ５０は、さらに、推進剤３００を含む副チャンバ２ｃを含む。したがって、この特定の事例では、発泡剤２００は、区画２ａ内などの流動可能かつ発泡可能な材料１００と同じチャンバ５０内に含まれ、保持され、推進剤３００は、別個の区画２ｃ内に保持される。発泡可能な材料１００は、導管４８による流動および／または発泡および／推進剤３００との相互混合に関して促進することができ、この導管４８は、制御放出弁４９を備えることができる。
【０１６１】
この事例では、推進剤３００は、推進剤／発泡部材３１０、たとえば、推進剤３００を含むキャニスタ内に含まれ、このキャニスタは、容器１内に挿入可能であるか、または別の形で容器１に結合される。しかし、他の事例では、キャニスタ３１０は、たとえば、ねじ付けまたはカム式の界接面などによって、容器１の境界の外側に関連するように構成されてもよい。たとえば、特定の事例では、発泡剤２００および／または推進剤３００を含む発泡および／または推進部材３１０は、挿入可能および／または押し出し可能なキャニスタまたは容器３１０内に含まれてよく、このキャニスタまたは容器は、発泡部材収容部５２ｃを内部に有するように構成された副チャンバ２ｃを有する容器１などの容器１に結合されるように構成される。
【０１６２】
図３に関して分かるように、容器１は、１つまたは複数の管腔または空洞５２ａおよび５２ｃを含むことができ、容器の１つまたは複数の空洞、たとえば１つ、２つまたは３つの空洞は、１つまたは複数の導管４８などを介して互いに連通することができ、これらの導管は、制御機構４９などによって制御され得る。さらに、さまざまな実施形態では、容器１は、ノズル６０に結合され得る吐出機構２０を含むことができる。ノズル６０は、流動可能な材料の容器１外への並進に関与することができ、さまざまな事例では、ノズル６０は、一連の弁機構４０ａ、４０ｂ、４０ｃおよび／または４９に動作可能に連結されてよく、これらの弁機構４０は、材料１００、２００および／または３００の、容器１全体にわたる、たとえばさまざまなフィーダ要素３０および３０ｂを通り、ノズル６０を通って容器１を出る流れを制御するように、一斉にまたは独立的に機能するように適合され得る。一部の実施形態では、吐出機構２０は、流動可能および／または発泡可能な材料１００および／または発泡剤２００および／または推進剤３００および／または添加剤などの１つまたは複数が相互混合することを可能にするための管腔５２ｄを有する混合チャンバ２ｄを含むことができる。
【０１６３】
一部の事例では、弁４０が含まれてよく、弁４０は、複数の弁要素４０ａ、４０ｂ、４０ｃ、および／または４９で構成されてよい。たとえば、第１の弁要素４０ａは第１の導管４１ａを含むことができ、この第１の導管は、混合チャンバ２ｄへおよび／またはユーザへおよび／または並進した材料１００の消費者への送達などのために、チャンバ５０内からの流動可能な材料１００の放出を促進し、および／または制御するために一次並進要素３０ａと界接するように構成される。たとえば、容器１は、弁制御装置および／またはアクチュエータ２７などの他の制御機構を含み、さまざまな弁機構４０、４５、４８、４９および／またはチャンバ間の連通を制御し、および／または容器の混合空洞領域５２ｄまたは２０関連する吐出機構２０内などでの発泡可能な材料１００と発泡剤２００との相互混合の程度および／または速度を可能にしおよび／または調節し、それによって発泡剤および／または推進剤および／または添加剤、香味剤などに対する適切な割合の発泡可能な材料を有する消費可能なおよび／または別の形で摂取可能な最終品を生み出すことを確実にすることができ、それにより、その結果となる発泡したおよび／または流動可能な材料は、所望の泡立ち度の量および／または流量、たとえば容器および／またはキャニスタからの退出速度などを有するようになる。
【０１６４】
さらに、特定の事例では、送達機構２０は、二次導管４１ｂを含むことができ、またはこれに別の形で関連付けられてよく、この二次導管４１ｂは、二次並進部材３０ｂならびに混合チャンバ２ｄと、追加の弁要素４０ｂなどを介して連結され得る。そのような事例では、主並進部材３０ａは、比較的長く、チャンバ５０の遠位部分１６の近位になるように延び、容器１が第１の配向で配置されるなどのとき、たとえば近位部分１２を上向きにして、遠位部分１６の上方に、ユーザの口に向かって配置されたとき、流動可能な材料１００を吐出機構２０に、混合空洞５２ｄなどを通るなどによって送達するように構成され得る。さらに、二次並進部材３０ｂは、より短くてもよく、チャンバ５０内ではあるが近位部分１２の近位を延び、容器１が第２の配向に配置されるなどのとき、たとえば、遠位部分１６を上向きにして保持され、近位部分１２の上方にユーザの口に向かって配置されたとき、流動可能な材料１００を吐出機構２０に送達するように構成され得る。弁制御装置４０は、弁要素４０ｃをさらに備えていてよく、この弁要素４０ｃは、混合された物質を、ノズル６０を出て、通路６１などを通ってユーザに放出することを制御するように構成され得る。
【０１６５】
図４Ａに関して分かるように、摂取可能な組成物１００を含む容器１が提供され、摂取可能な組成物は、特定の実施形態では、飲料である。そのような事例では、摂取可能な飲料１００は、発泡することができる流動可能な材料などの発泡可能な材料であってもよく、したがって、第１の容器部分２ａ内のチャンバ５０の空洞５２ａ内に非発泡状態で保持される発泡可能な材料であってよい。さまざまな事例では、材料は流すべき材料であってよく、したがって、発泡剤２００および／または推進剤３００が含まれてもよい。特定の事例では、推進剤および／または発泡剤２００／３００は、発泡可能な材料１００と同じ容器部分２ａ内に保持され得る。さらに、さまざまな事例では、図４Ａに示すように、（付加的な）発泡剤２００および／または推進剤が、第２の空洞５２ｅを有する第２の容器部分２ｅに含まれ保持されてもよい。
【０１６６】
たとえば、さまざまな事例では、容器１は、補助容器部分２ｅを含むことができ、この容器部分は、容器１の近位部分１２に配置された吐出機構２０の一部であってよく、または別の形で関連付けられてよい。そのような事例では、補助空洞５２ｅは、たとえばアクチュエータ２７によって開くことができる導管４１ｅなどによって、第１の空洞５２ａに連結されてよく、このアクチュエータもまた、並進要素３０などを通り、デマンド弁４５を通って導管４１ａに入り、ノズル６０の遠位開口部６１を通って出るような発泡可能材料１００の放出をもたらすように構成され得る。そのような事例では、発泡剤２００および／または推進剤３００が含まれてもよく、たとえば推進剤は、第１の容器部分２ａ内に保持されてよく、または一部の事例では、推進剤を含まなくてもよい。さまざまな実施形態では、推進剤が含まれる場合、推進剤３００は、図２Ｂおよび３などに示されるように、容器１の第２の容器部分または第３の容器部分にも保持され得る。第３または第４の容器部分が存在する場合、第３および／または第４の容器部分は、たとえばアクチュエータ２７によって開放可能な１つまたは複数の導管などによって、第１および／または第２の容器部分に連結されてよい。
【０１６７】
さまざまな実施形態では、発泡剤２００および／または推進剤３００が、導管４１ｅなどを通して第１の空洞部５２ａに連結された補助空洞部５２ｅ内に保持される場合、発泡剤２００および／または推進剤３００は、発泡可能な材料１００と接触および／または混合されたときに発泡可能および／または流動可能な材料を第１の非発泡状態から第２の発泡および／または流動可能な状態に変換する材料から構成され得る。そのような事例では、発泡剤２００は、タブレットとして構成された泡立ち材料などの発泡可能な材料と接触したときに発泡体を生み出すことができるいずれの材料であってもよい。特定の事例では、発泡可能な材料および／または発泡剤の１つまたは複数は、添加剤および／または香味剤を含むことができる。他の事例では、空洞５２ｅは、空洞５２ｅ内に推進剤３００および／または添加剤、香味剤などを保持することができ、アクチュエータ２７などの起動時などに空洞５２ｅから放出可能になり得る。
【０１６８】
したがって、容器１のそのような空洞５２ｅは、香味剤、増粘剤、および／または他の食品または飲料のトッピングを含むことができる。たとえば、１つまたは複数の粉末は、さまざまな予め選択された流れ特性を達成するために予め選択されたサイズのさまざまな半径を有する。たとえば、粉末が存在してよく、粉末の各成分は、均一な体積および／またはサイズのものであってよく、組成物全体の密度を増減させるために使用することができ、たとえばこの場合、粉末は、特定のサイズにしたがって分散されてよく、組成物の流れ特性を強化するために、たとえば組成物をより流動可能にするために、組成物内に空気を閉じるために選択的に使用されてよい。一部の事例では、空気は、その流動性または味を強化するために、通気プロセスなどによって、組成物に直接添加されてよい。特に、組成物中に余分な空気が含まれていない場合、これは、より圧縮性があり、より高密度でよりゆっくりと流れ得る。しかし、空気が添加された場合、組成物はより密度が低くなり、より急速および／または円滑に流れることができる。
【０１６９】
したがって、特定の事例では、吐出機構２０は、アクチュエータ２７が作動され、それによって導管４１ｅを少なくとも部分的に開くとき、発泡、推進および／または香味剤が、発泡可能および／または香味料と接触するために放出されるように構成されてよく、それにより、アクチュエータ２７が、たとえば押し下げることによって作動されたとき、発泡剤および／または推進剤および／または添加剤および／または香味剤が放出され、適切に構成された導管４１ｅを横断して、主要空洞５２ａに入ることができ、それによって発泡可能な材料１００と混合されて、発泡可能な材料を非発泡および／または流動不能な状態から発泡および／または流動可能な状態に変換する。さまざまな事例では、容器１は、推進剤を収容する追加の容器部分を含むことができ、この推進剤は、吐出機構２０のアクチュエータ２７を作動させることによってまたは何らかの他の制御機構によって制御され得る追加の導管などを通して、相互混合するために主要容器部分２ａに放出され得る。
【０１７０】
上記で示したように、容器は、第１（および／または第２）の容器部分に結合された出口などの出口４１ａを含むことができ、それにより、発泡したおよび／または流動可能な材料は、生み出された後、消費者に送達するために、たとえば消費のためにおよび／または別の食品または飲料品に加えるために、たとえば並進部材３０を介して、第１の容器部分２ａ内から容器１の外部に、たとえば制御弁４５などを通って、ノズル６１の出口を通るように並進され得る。図４Ａに示すようなさまざまな事例では、流動可能なおよび／または発泡した材料１００の並進は、上記で説明したような推進剤３００を含むことによって容易にされてよく、この推進剤は、主チャンバ５０内（および／または第３の容器部分内）に、発泡可能な材料１００との部分的な混合状態であってよく、たとえばこの場合、推進剤３００は、発泡可能な材料内に少なくとも部分的に可溶性である。
【０１７１】
そのような事例では、発泡剤２００がアクチュエータ２７の起動などによって発泡可能な材料１００と接触したとき、および／または導管４１ａが開かれそれによって容器１内の圧力、たとえば気体圧力が容器の外側の空気圧と均等になり始めることを可能にしたとき、発泡可能な材料１００は、発泡状態に変換されてよく、並進要素３０および／または弁４０および／またはノズル６０を通って容器１の外に推進されてよい。たとえば、発泡可能な材料が発泡剤２００および／または推進剤３００の１つまたは複数と混合されるとき、これらの活性剤は、結果として生じた組成物を容器１の内部５０から、並進要素３０などを通って排出するように作用することができる。香味料などの添加剤が含まれるとき、香味料は、発泡した風味が付けられた飲料形態などで発泡した材料によって送達され得る。
【０１７２】
図４Ｂに関して分かるように、さまざまな例において、容器１が提供される。容器は、第１の空洞５２ａおよび／または第２の空洞５２ｂを有するチャンバ５０を含み、たとえばこの場合、第１の空洞は、発泡可能および／または流動可能な材料１００を含み、第２の空洞は、推進剤３００を含む。この事例では、第１の空洞５２ａは、発泡可能および／または流動可能な材料１００で充填されたとき、その体積容量を膨張させまたは別の形で変更する可撓性および／または伸張可能な部材などの仕切り５１によって第２の空洞５２ｂから分割される。そのような事例では、アクチュエータ２７が押し下げられたとき、制御放出弁４５のような弁４０を関節運動させて通路４１ａを開くことができ、それによって第１の空洞５２ａの内容物をノズル６０を通り出口６１から出るように流すなどによって容器１から排出することができる。
【０１７３】
さまざまな事例では、示すように、内部容器部分５０は、そのような排出を促進するために推進剤３００を含むことができる。特定の事例では、仕切り５１は含まれず、推進剤３００は、内容物１００上に直接作用する。さらに、図４Ｂに関して分かるように、特定の実施形態では、吐出機構２０の近位などに圧送機構２８が含まれてよく、この圧送機構は、プランジャ、また他の圧送要素２９を含むことができ、このプランジャまたは他の圧送要素は、導管４１ｆ内を移動するように適合され、それによってチャンバ５０内の圧力および／または温度を上昇させ、その結果、アクチュエータ２７が押し下げられ、弁４５が開かれたときなどに材料１００をチャンバ５０からさらに排出するようにさらに構成される。そのような事例では、プランジャ２９は、容器１の近位端部１３と、気体ケット、たとえばプランジャ２９の周りかつ導管４１ｆ内に配置されたＯリングなどを介して気密シーリング状態にあり、それによって導管４１ｆをシールする。さまざまな事例では、チャンバ５０、またはその副部分の１つまたは複数は、自己加圧型であってよい。したがって、圧送機構２８を起動させることにより、チャンバ５０内の圧力および／または温度を、プランジャ２９を上下に押し引きすることによって上昇させ、それによってチャンバ５０内の圧力を上昇させ、および／または食品または飲料品、またはこれに対するトッピングまたは調味料などの添加剤または香味料であってよい内容物１００を通路６１を通して排出することを促進する。
【０１７４】
たとえば、さまざまな実施形態では、図５Ａ、図５Ｂ、および図５Ｃに見られるように、本開示の容器１が提供され、この容器は、空洞５０を有することができる。空洞５０は、食品および／または飲料品および／またはこれに対する補助食品、調味料、またはトッピングなどの流動可能および／または発泡可能な材料を含むように各々が適合された１つまたは複数の副チャンバなどの複数のチャンバ５２ａおよび５２ｂとして構成されてもよく、または別の形で含むことができ、または関連付けられてよい。たとえば、本開示の容器１は、よく対にされるか、またはまれに対にされる材料の組み合わせを保持および吐出するように構成されてよい。たとえば、１つのチャンバ、たとえば５２ａは、乳または豆乳またはアーモンドミルクまたは調合乳、第１のジュース成分、第１のソーダ、アルコールなどのような飲用可能な液体を含むことができ、他のチャンバ、たとえば５２は、流動可能なチョコレート、第２のジュース成分、第２のソーダ、別のアルコールまたはトニックまたはソーダ水または水、または他の混合物、たとえばフルーツジュースなどの混合物を含むことができる。
【０１７５】
同様に、さまざまな事例では、チャンバの１つまたは複数は、たとえば食品または飲料品と組み合わせておよび／または順次送達するための、ケチャップ、マスタード、レリッシュ、または玉ねぎ、唐辛子などの野菜製品、ランチまたはブルーチーズまたはサウザンドアイランド、またはハニーマスタード、またはイタリアンドレッシングなどのドレッシングまたはスプレッド、オイル、ビネガー、野菜スプレッド、パテなどの流動可能な食品補助品または調味料を含むことができる。他の事例では、１つまたは複数のチャンバは、ピーナッツまたはアーモンドまたは他のナッツベースのスプレッド、たとえば、ヌテラ、ゼリー、またはジャム、果物などの１つまたは複数の流動可能な食品を含むことができる。さまざまな事例では、含まれる材料は、混和性と一般に考えられていないもの、たとえば油および水、アセトン（たとえば、ワイン）および酸素などであってもよく、および／または油が空気と混合されたときに引き起こされるものなどの汚染または酸敗を防止するようにして保持され送達されてもよい。一部の事例では、含まれる材料は、薬物、薬剤などの流動可能な材料であってよい。
【０１７６】
したがって、そのような順次的および／または結合的送達をもたらすために、容器１は、２つ以上の別個のリザーバ５２ａおよび５２ｂを中に有する空洞５０を含むことができ、たとえばこの場合、１つのリザーバ、たとえば５２ａは、吐出の前または後のいずれかに、第２の材料１００ｂを含む第２のリザーバ、たとえば５２ｂの内容物と混合するよう意図された１つの流動可能な材料１００ａを含む。そのような事例では、容器１は、推進機構３００を含むことができ、この推進機構３００は、流動可能および／または混合可能な材料１００ａおよび／または１００ｂを、リザーバ５２ａおよび５２ｂから、それぞれの並進要素３０ａおよび３０ｂを通り、ノズル６０から外に送達することを促進するように構成され得る。たとえば、容器１は、並進要素３０ａおよび３０ｂをノズル６０の出口に連結する導管６１を有する吐出機構２０を含むことができ、１つまたは複数の制御可能な放出弁４０ａ、４０ｂおよび４０ｃをさらに含むことができ、この放出弁は、それらの開閉の構成、表面積、および／または直径に関して、適切に構成された制御要素４５ａ、４５ｂおよび４５ｃを介して制御され得る。
【０１７７】
そのような制御要素は、たとえば、制御可能な放出弁４０ａ、４０ｂおよび／または４０ｃの１つまたは複数を、結合的にまたは順次に開放および／または閉鎖し、および／またはこれらの間を選択的に選択するように適合される限り、いずれの適切な構成も有することができる。たとえば、弁４０は、トグル機構を有することができ、このトグル機構は、両方の空洞５２ａおよび５２ｂおよび／またはいずれかの他の含まれる空洞の内容物が混合チャンバ２ｄ内に自由に流れることを可能にすることができ、または回転、膨張、または別の形で移動して、フィーダ要素３０または通路４１もしくは６１内を侵害して空洞の１つまたは複数を出る流れを限定しまたは別の形で制御することができ、それにより、１つの空洞の大なり小なりの内容物をより急速にまたは完全に通路を通って流れさせ、その一方で他の内容物は、限定されおよび／または妨げられる。
【０１７８】
そのような構成は、各空洞５２内の内容物に関係なく機能するように適合されてよく、たとえばこの場合、１つの空洞は気体を含み、他の１つが液体であり、両方が気体を含み、両方が液体を含み、チャンバの１つまたは両方が固体を含む。さらに、システムの動力学のために、容器１は、油および酢などの２つの成分が容易に混和しない場合であっても、典型的に混和性であるか否かにかかわらず、混合室２ｄなどで内容物を混合できるように構成することができる。したがって、そのような方法で、弁機構４５は、放出前などに、混合動力学ならびに空洞５２のさまざまな内容物間の混合割合および／または混合比を制御および／または決定することができる。さまざまな事例では、弁４０および／または制御要素４５自体は、アクチュエータ２７などによって制御されてよく、このアクチュエータ２７は、材料１００ａおよび１００ｂを、並進要素３０ａおよび３０ｂを通って、１つまたは複数の通路４１および／または６１を通るなどしてノズル６０から出るように推進することをもたらすことに関して、推進機構３００を制御するようにさらに構成され得る。
【０１７９】
特に、一部の実施形態では、図５Ａに示すように、容器１は、２つの部分５２ａおよび５２ｂに分割することができる副区画５２を含むことができる空洞５０を含むことができる。たとえば、容器１は、力、圧力、または熱に対する膨張に抵抗する剛性、非弾性、および／または他の境界部材１０を含んでも含まなくてもよい。そのような事例では、剛性の境界部材は、含まれる場合には、可撓性および／または膨張性部材５１ａおよび５１ｂによって境界付けられた複数の可撓性の副区画５２ａおよび５２ｂを含むことができる空洞５０を境界付けることができ、複数の可撓性の副区画５２ａおよび５２ｂは、流動可能な材料１００ａおよび１００ｂをそれぞれ保持するためのリザーバとして構成される。空洞５０は、推進剤３００をさらに含むことができ、たとえばこの場合、推進剤３００は、リザーバ５２ａおよび５２ｂを囲む。
【０１８０】
このような方法で、第１および第２のリザーバ５２ａおよび５２ｂの１つまたは複数は、流動可能な材料の挿入を、たとえば内部に受け入れることに応答して、充填および／または伸張および／または膨張するように構成された弾性の、可撓性の、膨張可能な、または別の形で容積適合可能なブラダから構成され得る。この膨張は、空洞５０内の推進剤３００（含まれる場合）と共に、空洞５０の管腔内およびブラダ５１ａおよび５１ｂに対して正圧を作り出す。混合および／または送達のための２つ以上の食品を含む２つのチャンバのみが存在するが、３、４、５、６、７またはそれ以上のチャンバが含まれてよく、その各々は、さまざまな内容物の送達の量、割合、および／またはタイミングを変えるために、本明細書に説明するような消費者操作可能な制御機構２７によるその保持された内容物の送達に関して、個々にまたは集合的に操作され得る。
【０１８１】
したがって、リザーバ材料（機械的推進剤のように作用し得る）および／または推進剤３００の弾性および／または膨張作用は、流動可能な材料１００ａおよび／または１００ｂに対して一定の圧力を及ぼすことができ、それにより、制御機構２７が作動され、制御弁４０ａおよび／または４０ｂの１つまたは複数が開かれたとき、流動可能な材料１００ａおよび／または１００ｂは、食品への送達などのために、またはユーザの口に直接送達するなどのために、そのそれぞれのリザーバ５２ａおよび５２ｂからそれぞれ通路４１ａおよび４１ｂ内に押し出され、そしてノズル６０の通路６１から出る。この場合、送達機構２０は、並進要素３０ａおよび３０ｂに結合され、通路６１を通って出る前に混合のために流動可能な材料１００ａおよび１００ｂを受け入れるように構成された混合チャンバ２ｄを含む。しかし、他の事例では、通路４１は、流動可能な材料１００ａおよび１００ｂが送達前に混合しないようにする２つの副部分４１ａおよび４１ｂを含むことができ、および／またはトグル機構を含むことができ、これによってユーザがさまざまな食品または飲料品のうちどれをいつ送達するかを選択することが可能になる。さらに、容器１は、空洞５０内に推進剤３００を挿入するなどのための入口４８を含むことができる。
【０１８２】
さらに、一部の実施形態では、図５Ｂに示すように、容器１は、２つの部分５０ａおよび５０ｂに分割することができる本体１０を含むことができ、各部分は、２つ以上の副区画またはリザーバ、たとえば５２ａおよび５２ｃ、ならびに５２ｂおよび５２ｄそれぞれに、可動仕切り５１ａおよび５１ｂなどによってさらに分割され得る。このようにして、第１の空洞部分５０ａは、空洞５０の第１の部材または部分を形成することができる２つ以上の副区画、たとえば５２ａおよび５２ｃを含むことができ、この場合第１の副区画５２ａは、送達リザーバのように作用し、流動可能な材料１００ａを含み、第２の副区画５２ｃは、推進剤リザーバのように作用し、推進剤３００ａを含む。同様に、第２の空洞部分５０ｂは、空洞５０の第２の部材または部分を形成することができる２つ以上の副区画、たとえば５２ｂおよび５２ｄを含むことができ、たとえばこの場合、第３の区画５２ｂは、送達リザーバのように作用し、流動可能な材料１００ｂを含み、第４の副区画５２ｄは、推進剤リザーバのように作用し、推進剤３００ｂを含む。
【０１８３】
そのような場合、推進剤３００ａおよび３００ｂは、仕切り５１ａおよび５１ｂに対して一定の圧力を及ぼすように構成されてよく、それにより、制御機構２７が作動され、制御弁４５ａおよび／または４５ｂの１つまたは複数が開かれたとき、流動可能な材料１００ａおよび／または１００ｂは、食品または飲料品への送達のために、またはユーザの口に直接送達するなどのために、そのそれぞれのリザーバ５２ａおよび５２ｂから通路４１ａおよび４１ｂに押し出され、そしてノズル６０の通路６１を出る。さまざまな事例では、送達機構２０は、ノズル６０内でさまざまな物質を組み合わせるなどのための混合チャンバ２ｄを含むことができ、たとえばこの場合、チャンバ２ｄは、並進要素３０ａおよび３０ｂに結合され、材料１００ａおよび１００ｂがノズル６０を通って送達される前に混合および／または発泡することを可能にするなどのために、通路４１ａおよび／または４１ｂを出る前に流動可能な材料１００ａおよび１００ｂを受け入れるように構成され得る。特定の事例では、そのような混合は、結果として得られる組み合わされた材料のさまざまな特性を変調することに関して制御されてよく、それによって流動可能な材料のその流量、量などに関連してノズルを通るその材料の流れを制御するようにし、および／または他の態様では、そのチキソトロピー特性および／または粘性特性などに関して、流れを制御するように構成されてもよい。
【０１８４】
たとえば、図５Ｃに関して分かるように、容器１の実施形態が提供される。この場合、容器１が提供され、この容器は、チャンバ部分５０を含み、このチャンバ部分は、たとえばユーザの口に直接送達される１つまたは複数の発泡可能な材料および／または流動可能な材料を含むためなどの、複数の内部空洞５２ａ、５２ｂ、５２ｃおよび５２ｄを含む。これらの目的のために、容器１は、通路６１を有するノズル６０を含み、この通路６１は、対応する通路４１と連結し、この通路４１は、導管４１ａ、４１ｂ、４１ｃおよび４１ｄなどを介して空洞５２ａ、５２ｂ、５２ｃ、および５２ｄに連結し、それによって消費可能な材料１００ａ、１００ｂ、１００ｃ、および／または１００ｄが流れ、発泡および／または混合され、それぞれの通路を通って容器１のユーザに送達されることを可能にする。
【０１８５】
そのような場合、各空洞５２は、通路４１ａ、４１ｂ、４１ｃ、４１ｄなどを介して出口４１に連結されてよく、この出口４１は、空洞５２の内部を混合チャンバ２ｄおよび／またはノズル６０の通路６１に連結するために、混合チャンバ２ｄに本明細書に記載するように結合され得る。通路４１を通る流れは、弁４５ａ、４５ｂ、４５ｃおよび／または４５ｄの閉鎖および／または開放のために構成された機構４５によってそれぞれ制御されてよく、それによって容器１を出る流動可能および／または発泡可能な材料の流れを制御する。そのような流れは、各々個々の弁４５の開放およびその程度を別々に制御するなどによって個別に制御されてよく、または流れは、弁４５ａ、ｂ、ｃおよび／またはｄを一斉に開放および／または閉鎖することによって集合的に制御されてもよく、それによって材料１００ａ、ｂ、ｃおよび／またはｄの混合およびその程度をさまざまなそれぞれの容器部分内で可能にする。そのような事例では、通路４１ａ、ｂ、ｃ、および／またはｄは、それぞれ、混合チャンバ２ｅに導かれてよく、そのチャンバ内では、送達可能な材料１００は、通路６１を通ってノズル６０から出る送達の前などに混合されてよく、その送達は、弁４５ｅの開放および／または閉鎖を介したものになり得る。特定の事例では、容器１の弁４５の断面図に示すように、制御機構は、通路４１に入りこれを通る材料１００ａ、ｂ、ｃおよび／またはｄの流れを制御することができ、この制御機構は、１つまたは複数の回転要素、フライホイール、ピボット要素、フラップ、クロージャ、ダイアフラム、透過性膜、または他の弁部材、たとえばチャンバ５０内の開口を開放および／または閉鎖するように開放および閉鎖してそこを通る流れを制御することができる、個々の弁４５ａ、４５ｂ、４５ｃ、４５ｄであってよい。
【０１８６】
したがって、容器１は、弁制御機構４５を含むことができ、この弁制御機構は、弁４０を通る流れの１つまたは複数の特性を制御するために、その開放、閉鎖、および／または程度を制御するための１つまたは複数の、たとえば、複数のアクチュエータおよび／またはモータを含むことがでる。したがって、弁４０ａ、４０ｂ、４０ｃおよび／または４０ｄは、１つまたは複数の空洞５２ａ、５２ｂ、５２ｃおよび／５２ｄから１つまたは複数の通路４１ａ、４１ｂ、４１ｃ、および／または４１ｄを通って混合チャンバ２ｅに入るおよび／または弁４５ｅなどを通って通路４１から出る流れを制御するために、個々にまたは集合的に、または何らかの組み合わせで作動することができるそれぞれのアクチュエータ４５ａ、４５ｂ、４５ｃ、および／または４５ｄを含むことができ、それによって、その程度および特性、たとえばさまざまな、異なる含まれた材料間の混合割合を正確に制御することができる。
【０１８７】
たとえば、さまざまな事例では、弁４０は、傾動モジュレータなどの制御機構４５を含むことができ、このモジュレータは、回転しおよび／または傾斜するように適合され、それによって、静止時にモジュレータの中心を長手方向に通過する軸と、これに対して垂直に通り、弁４０およびまたは空洞５２に位置合わせされた１つまたは複数の軸との間の角度などのモジュレータ４５の配向、たとえば傾斜などによって、弁要素４５ａ、４５ｂ、４５ｃおよび／または４５ｄの１つまたは複数を開放し、部分的に開放し、部分的に閉鎖し、閉鎖するように構成されてよく、それにより、モジュレータが傾斜し、および／または回転するとき、弁４０ａ、ｂ、ｃ、および／またはｄの１つまたは複数は、たとえば個々にまたは一斉に開かれておよび／閉じられ、それによってそれぞれの空洞５２へのアクセスを開くことができる。一部の事例では、さまざまな弁４０および通路、たとえば４１は、スイッチ選択可能な制御要素によって、それらの開放および／または閉鎖に関して制御され得る。したがって、容器１の弁制御機構４５の断面図に関して分かるように、制御装置４５の配向に応じて、個々のチャンバＳ１、Ｓ２、Ｓ３および／またはＳ４から出る流れがもたらされてよく、または流動可能な材料の混合がもたらされてよく、たとえばこの場合、さまざまなチャンバ内の材料は、相互混合され、それにより、容器およびそれぞれの弁４０および制御装置４５の構成に応じて、Ｓ１およびＳ２が相互混合することができ、Ｓ２およびＳ３が相互混合することができ、Ｓ３およびＳ４が相互混合することができ、および／またはＳ４およびＳ１が相互混合することができ、または他の組み合わせで混合することができる。さらに、トグル４５を容器１の遠位部分１６に向かって下向きに押し下げることによって、すべての弁要素４５ａ、ｂ、ｃ、およびｄを開放することができ、それによって、ノズル６０からユーザの口に送達する前などに、流動可能な材料１００ａ、ｂ、ｃおよびｄのすべてをチャンバ２ｅ内などで相互混合することを可能にする。
【０１８８】
さまざまな事例では、空洞５２ａ、５２ｂ、５２ｃ、および／または５２ｄの１つまたは複数は、５２ａ１、５２ｂ１、５２ｃ１、および／または５２ｄ１などの副チャンバを有することができ、これらの副チャンバは、それぞれのチャンバ内のそれぞれの材料１００を発泡させるため、および／またはそれらのそれぞれのチャンバ５２からそれらの材料１００を推進させるなどのために、発泡剤２００および／または推進剤３００を内部に含むように構成され得る。特定の事例では、発泡剤２００および／または推進剤３００は、それぞれのチャンバ５２ａ、５２ｂ、５２ｃおよび／または５２ｄに、それぞれの導管４８ａ、４８ｂ、４８ｃおよび／または４８ｄなどによって、さまざまな制御機構および／または弁要素４９ａ、４９ｂ、４９ｃ、４９ｄの制御などを介して通信可能に連結され得るキャニスタ３１０、たとえば３１０ａ、３１０ｂ、３１０ｃおよび／または３１０ｄ内に保持されてよく、それにより、それぞれのチャンバ内の材料１００を、ユーザへの送達前に発泡させおよび／または流すことができる。
【０１８９】
したがって、上記を鑑みて、特定の事例では、システムが提供され、流動可能および／または発泡可能な食品および／または飲料材料は、キャニスタ内に１つの物理的状態で保存されてよく、ユーザへの送達、たとえば直接的送達の前またはそのときなどに物理的変化をその中で受けることができ、それによって物理的変化により、流動可能および／または発泡可能な材料を少なくとも部分的に別の物理的状態に、たとえば非発泡から少なくとも部分的に発泡状態に変換することができる。たとえば、さまざまな事例では、発泡可能な材料は、液体形態の飲料であってよく、さまざまな事例では気体あってよい発泡可能な材料の添加または相互混合時、液体は、発泡可能な材料を形成するなどのために、液体から少なくとも部分的なコロイドに変更され、たとえば変換される。特に、発泡可能な材料は、発泡剤および／または推進剤が発泡可能な材料と共に導入されおよび／または容器内などで発泡可能な材料と混合されたときなどに、コロイドを形成するように、発泡剤および／または推進剤の１つまたは複数の成分とマトリックスを形成することができるようなものでよい。
【０１９０】
たとえば、流動可能かつ送達可能な材料および発泡剤および／または推進剤は、２つの材料が少なくとも部分的に互いに可溶であるようなものであってよく、たとえばこの場合、発泡剤および／または推進剤は、少なくとも部分的に発泡可能な材料内に溶解可能であり、それによってそのマトリックス内に捕捉されてよく、またはその別の形でもよく、さまざまな事例では、一緒になって発泡可能なコロイドを形成することができる。特に、流動可能な材料および推進剤および／または発泡剤は、たとえば化学的に互いに結合することができるように選択されてよく、それにより、より揮発性の成分が溶液中に入り、かつ／または溶液から出るにつれて、気泡をマトリックス内に形成することができ、その結果、成分および制御機構の構成に応じて、小、中、大、および特大などの所定のサイズの気泡を形成することができる。溶液内の気泡の数もまた、消費者操作可能な制御機構の作動などを介して、容器の制御機構の１つまたは複数を介して制御され得る。そのような制御は、ユーザの味を高める目的のため、送達可能物質の流量特性、たとえば流量、粘度および／またはチキソトロープ効果を変化させるため、および／またはユーザの生体系などの吸収を促進するためであってよい。
【０１９１】
たとえば、容器の内部は、せん断の増加および／または減少などに関して輪郭付けすることができ、それにより、容器の境界部材の近位の材料の流れに影響を与え、それによって材料のさまざまな部分の流れを増大または低減する。たとえば、せん断は、流体材料の中心の流れの速度が、容器の境界の近位の材料の流れに対して増大するように増大されてよく、またはせん断は、より均一な流れを生み出すように低減されてよい。増粘剤および／または希釈剤および／または他の添加剤および／または香味剤もまた、材料の粘度および／または（）を変化させるなどによって、このような方法で使用されてよい。特に、組成物をより粘性にするためにゲルを使用することができる。
【０１９２】
さらに、他の化学的および／または機械的要素が容器の一部内にまたは一部として含まれてよく、その目的は、たとえば、流動性、たとえば容易に流動可能ではないより濃い、半固体および／またはゲル様物質に影響を与えて流れさせるためのものであり、これは、内部粘性を増大または低減することによって、そのチキソトロープ特性を低減することによって、および／または材料の内部撹拌を増大させるなどによって、たとえば振動、振とう、撹拌、または圧力を増大させるなどによって機械的に、または温度を上昇させる、材料内の空気の保持を増大または低減するなどによって化学的に、または送達される化学的組成物内の応力を増大させるように構成された他の機構によって、たとえば物質および／または容器もしくはその構成要素部分の表面積または容積を低減および／または増大させることによって、たとえば通路の半径をその長さに沿って低減するおよび／またはその中にせん断要素を含むなどによって行われる。示すように、加熱を適用して撹拌を生じさせ、流動可性を増大させ、および／または冷却を適用して所望の量まで流動性を低下させることができ、たとえばこの場合、流れが開始すると、これは早く進みすぎることがあるため、流れを開始した後減速させる必要がある。さらに、摩擦および／または付着を減少させ、流れを増加させるために、粉末、摂取可能なビーズ、または他の容積付与剤などの添加剤が含まれてよい。特に、材料を薄くしおよび／またはその粘度を減少させ、流れを増加させるために、増大したせん断が使用されてよい。そのようなせん断の増大は、時間の経過と共に一定であり、増大する、または低減する速度であってよく、その期間にわたってそれぞれ粘性を減少または増大させる。したがって、流れの増大および／または低減は、ユーザのニーズおよび／または所望などに基づいて、時間依存のものであるように構成され得る。さらに、１つまたは複数のストレッサーを実装して、歩留まりを高め、および／または流れを開始することができる。
【０１９３】
懸濁液または液体中の泡はまた、ユーザの所望に応じて、数秒から何秒もの間、および／または何分もの間などの、短時間、中程度の時間、またはより長い時間であってよいポッピング前の持続時間または持続性に関して制御されてもよい。より具体的には、一部の事例では、圧力および／または温度差のために、より多くの揮発性の気体が溶液から急速に離れ、それによって多数のより小さい泡を形成することができ、他の事例では、揮発性気体は、より遅く溶液を離れ、それによってより少ない数のより大きな泡を形成することができる。たとえば、加熱されたとき、溶液はより乱流になり、ここではより揮発性の成分は、容器および／または組成物内の温度の上昇により、より高速で容器を離れることができ、同様に溶液が冷却されるにつれて、流動性は低減し得る。
【０１９４】
一部の事例では、泡は溶液内で固まらず、むしろポップまたは別の形で溶解して消泡する。したがって、容器および／またはそこに使用される材料の構成に基づいて、泡はほんの数秒から数秒、数分、数分、１時間、数時間などまで持続することができる。その結果、一部の事例では、発泡体は静的ではなく、マトリックスが崩壊するにつれて変化し、発泡体を破裂させ、その破裂は、送達の後などに、ユーザの口内で生じるように構成されてよく、その感覚は楽しいものとして経験され得る。特定の事例では、マトリックス内の泡の持続性および／またはサイズを確実にするように構成された活性剤を追加することができる。さらに、いくつかの実施形態では、活性剤は泡を生成せず、むしろマトリックスおよび／またはコロイド内の持続性および／または時間の延長を増大させるなどによって、容器内の発泡体の構造を維持するのに役立つ。
【０１９５】
したがって、物質の泡立ち度は、物質の中に導入される発泡剤、たとえば気体の量などにより、送達可能な物質に導入される発泡剤および／または推進剤の放出および／または流れを制御し、または流れ通路から出る量を制御して相互混合の量および／または速度を制御する弁を制御するなどによって、または通路のサイズ、形状、および／または輪郭を制御して流量特性を制御することによって十分に制御される。たとえば、泡立ち度は、ブラダ、ピストン、および／または他の加圧および／または温度制御機構の構成によって制御されてよく、また、容器および／またはその機能が、組成物の泡立ちを、泡のサイズまたは容積、泡の均一性、泡の数、溶液内に保持された泡の長さまたは持続時間などに関して制御することができる。さまざまな事例では、相互混合を制御せず、容器から出る流れを制御することができる。流動可能な材料は、流れさせる飲料および／または他の食品などの液体であってよいことに留意されたい。さまざまな事例では、送達可能な材料は、薬物、薬剤などの流動可能な材料であってよい。
【０１９６】
特定の事例では、容器内の材料の１つまたは複数の流れ特性を制御する目的などのために、送達される材料は、増粘剤および／または安定剤、乳化剤、ゲル化剤、界面活性剤、食品またはうまみ調味料、および／または他の添加剤を、送達される物質に添加することができる。たとえば、多糖類（たとえば、デンプン、炭水化物、植物ガムおよび／またはペクチン、たとえばグレープフルーツペクチンなど）に基づくもの、糖類（たとえば、単糖、複合糖、オリゴ糖、寒天、カラギーナン、および／またはガラクトース）、および／またはコラーゲン、卵白、他のアミノ酸、フルセララン、およびゼラチンなどを含むさまざまなタンパク質が挙げられる。増粘剤は、香味剤であってもよく、またはアブラナ、コーンスターチ、カタクワ−デンプン、ジャガイモデンプン、サゴ、タピオカおよび／またはそれらのデンプン誘導体の１つまたは複数などのフケラなどの風味の無い粉末デンプンを含んでいてもよい。植物性ゴムも増粘剤として使用することができ、アルギニン、グアーガム、ローカストビーンガム、グルコマンナン多糖類ガム、および／またはキサンタンガムを含むことができる。１つまたは複数のプレまたはプロバイオティクスおよび／またはエステルが提供されてもよい。
【０１９７】
保存料、芳香剤、香水、香料、甘味料、ゼラチン、大豆レシチン、リン酸ナトリウム、ステアロイル乳酸ナトリウム、ポリソルベート８０、カルボカルボキシメチルセルロース、ポリグリセロールエステル、ソルビタンエステル、ポリグリコールエステル、モノグリセリド、アセチル化モノグリセリド、ラクトロール化モノグリセリド、凍結防止成分、等が挙げられる。他の着色剤、香味剤、および／またはビタミンＡ、Ｂ、Ｃ、Ｄ、Ｅおよび／またはＫなどのビタミンまたは他の食品補助剤を含めることができる。一部の事例では、懸濁液、エマルジョン、および／または発泡体の分離を阻害するように構成されたマトリックス安定剤のような安定剤を含めることができる。他の容積付与剤を使用することもできる。特定の事例では、容器内などで気体を生成することができる発泡性の材料または他の材料を使用することができる。たとえば、送達可能な物質内に気体および塩を生み出すなどのために、酸および／または塩基対またはアルコールを使用してもよい。
【０１９８】
したがって、少なくとも第１の空洞またはリザーバと、これに関連する出口通路および／または弁を有する、本明細書に説明する容器が、提供され得る。さまざまな事例では、空洞の一部分は、たとえば飲料などの液体のような流動可能および／または発泡可能な材料を保持することができ、一部の事例では、空洞は、気体、たとえば液体可溶性気体または気体の混合物などの発泡剤を保持することができる第２の部分を含むことができる。特定の事例では、容器は、流動可能および／または発泡可能な材料を保存するためのものと、発泡剤を保存するためのものとの２つの別個のリザーバを含むことができる。特定の事例では、容器は、流動可能および／または発泡可能な材料を保存するためのもの、発泡剤を保存するためのもの、および／または推進剤を保存するためのものなど、３つ以上の別個のリザーバを含むことができる。
【０１９９】
吐出前の何らかの時点において、たとえば流動可能および／または発泡可能な材料が液体飲料である場合、材料は、発泡体を形成できるようにして液体可溶性気体と相互混合されてよく、この発泡体は、その後、飲むなどの消費のためにユーザの口に直接送達され得る。したがって、さまざまな事例では、容器は、液体飲料、ならびに気体または気体の混合物などの発泡剤を含む飲料容器であってよく、それにより、容器の開放前または開放時、たとえば制御弁などによる弁の作動前または作動時、たとえば発泡状態にある液体および気体の溶液は、容器に結合されたノズルなどを介して、ユーザが飲料を直接飲むことを可能にするようにして、消費者の口などに直接放出されるか、または別の形で吐出される。
【０２００】
たとえば、特定の実施形態では、たとえば気体状の形態などの発泡剤および／または推進剤と組み合わせて発泡可能な物質、たとえば液体飲料を有する容器は、容器内の２つ以上の内容物間、および／または容器の外側の大気圧などとの間に圧力勾配を形成する。そのような事例では、弁が作動されると、外部環境とリザーバとを連結する通路が開放され、発泡可能な液体および気体状発泡剤および／または推進剤が、たとえば通路、弁および／またはノズルを通って容器を退出する。このようにして、正または負の圧力勾配は、気体を溶液中に入れおよび／またはすでに溶液中にある気体を容器から離れさせ、気体の溶液中および／溶液外へのこの出入りは、泡立ちを生じさせ、この泡立ちは、たとえば気泡が液体のマトリックス内に作り出され、および／または捕捉されてマトリックスおよび／またはコロイドを形成することによって、液体飲料を発泡させるような量および速度である。発泡した飲料は、直接的消費のために、たとえば、発泡した溶液を飲むまたは別の形で吸収するなどのためのユーザによる摂取のために、ノズルなどを介して、ユーザに送達され得る。
【０２０１】
他の事例では、キャニスタは、発泡可能であってもなくてもよい流動可能な材料を含むことができ、この材料は、気体状、液体、粉末状、および／または半固体の吸収可能な飲料、食品、食品添加剤、補充剤、および／または化学剤および／または機械的機構でよい推進剤の作用などによって推進されて容器のリザーバから出ることができる、他の添加剤であってよい。たとえば、推進剤が化学剤である場合、これは、可動プラットフォームなどの中間剤に正圧などの力を及ぼすようなものでよく、それによって弁が作動され、通路が開かれたとき、プラットフォームは、プラットフォーム上の化学的推進剤の正圧によって開放の方に動いて、流動可能な材料を容器のリザーバから排出させる。同様に、推進剤が膨張可能なブラダなどの機械的機構である場合、流動可能な材料が中に挿入されたことなどによるブラダの膨張によって作り出された位置エネルギーは、正圧のように作用し、それによって、たとえば作動機構が作動され、弁および隣接する通路が開かれたとき、ブラダ内に含まれた材料の排出を引き起こす。
【０２０２】
したがって、本明細書で詳述するように、飲料または食品または食品添加剤製品を含むための容器が提供されてよく、容器は、上部分、底部部分、および上部分と底部分の間の側壁などの側壁部分の１つまたは複数を含む。側壁は、１つの部品から構成されてよく、円形であってもよく、または１つまたは複数の角を有し、三角形、正方形、または他のそのような形状を有することができる。容器は、たとえば上部分、底部部分、および側壁部分内に、またはこれらによって別の形で画定された第１の空洞を含むことができ、第１の空洞は、さまざまな事例では予備発泡状態、発泡中状態、または発泡後状態などの発泡可能な液体でよい摂取可能な飲料または食品を保持するようにサイズ設定され、または別の形でそのように構成される。
【０２０３】
上記で説明したように、システムの容器は、弁を含むことができる。弁は、開閉可能であるいずれの装置であってもよく、容器の出口部分および／またはそれに関連する通路に結合されてよく、および／または別の形で関連付けられてよい。さまざまな事例では、弁は、フィーダチューブなどの並進機構、および／または混合チャンバおよび／またはノズルを通過して開口する通路などの通路に動作可能に連結されてよい。弁は、たとえば流体または流動化形態で、システムの１つまたは複数の要素を通り、および／または容器から出る、流動可能な材料の流れを調節、制御、および／または方向付けるように設計され得る。
【０２０４】
たとえば、弁は、本明細書で開示するチャンバおよび／または通路の１つまたは複数を通る流動可能な材料の通過を調節するように構成された、機械的および／または電子的要素などのいずれかの弁要素であってよい。したがって、さまざまな事例では、弁は、流動可能な材料および／または推進剤が並進または他の形で通過する通路の開放、閉鎖、および／またはサイズを調節する目的で機能する要素であってよい。たとえば、適切な弁は、流動可能な材料などの、器または通路の１つの部分から別の部分に入る、および／または器内から出る流れの流入を可能にしまたは妨げるように開放し、閉鎖し、および／または部分的に開放および／または閉鎖するように適合されてよい。一部の事例では、弁は、通路の直径を部分的に閉塞または拡張することによって、および／またはシステムのさまざまな流体成分を相互混合し、それによってシステムおよび／またはその構成要素を通る流れの力学に影響を与えるなどによって、システムを通る材料、たとえば流体の流れの１つまたは複数の特性を変更するように適合され得る。より具体的には、弁が開かれたとき、流動可能な材料は、システム内のより高い圧力または温度である含まれた部分から、システムの内または外部などのより低い圧力温度の部分に流れることが可能になる。
【０２０５】
典型的な弁は、近位部分および遠位部分を有することができ、たとえばこの場合、弁の近位部分は、容器の上部から外方向に延び、弁の遠位部分は、容器の１つまたは複数の空洞に向かって内方向に延びる。そのような事例では、弁は、弁の遠位部分から近位部分を通って出る摂取可能な材料の流れを調節するなどのための、消費者によって制御可能な制御弁であってよい。たとえば、弁は、そこを通って延びる可変寸法のオリフィスを含むデマンド弁であってよく、オリフィスは、容器の外部から内部への連通をもたらす。
【０２０６】
特定の事例では、オリフィスは、その中に、（大気圧、大気圧以上、または大気圧以下であってよい）高圧チャンバ、および低圧および／または中間圧チャンバが存在するように構成されてよく、このチャンバは、ダイアフラムによって分離され得る。一定の事例では、ダイアフラムは、ピストンに動作可能に連結されてよく、このピストンは、次に、付勢された要素、たとえば、圧縮された閉方向に付勢された、ばねなどの付勢されたばね要素に動作可能に連結されてよい（一部の事例では、ばねは拡張された開方向に不勢されてよい）。そのような事例では、高圧チャンバと低圧チャンバとの間の圧力の降下または上昇などの圧力差が増大するとき、たとえば容器のユーザが、付属するノズルまたはそれに関連する弁の近位部分などから吸入する場合、下側および／または中間チャンバ内の圧力が降下し、それによって付勢されたばねを付勢された位置から付勢されない位置まで、またはその逆の形で、たとえば圧縮された状態から拡張された状態（一部の事例では、拡張された状態から圧縮された状態）に移行させ、それによってピストンおよび／またはダイアフラムを変位させてオリフィスを開き、容器内に圧力下で含まれた流動可能な材料をそこから排出させ、飲むなどのためにユーザの口に送達する。一部の事例では、ピストンは、ばねまたはラチェット機構などを介して調節可能であってよい。さらに、一部の事例では、弁は、ピンまたはニードル弁であってよく、他の事例では、弁は、バタフライ弁、ボール弁、デュプレックスボール弁、ゲート弁、チョーク弁、ダイアフラム弁、ピンチ弁、ピストン弁、ポペット弁、熱膨張弁、プラグ弁など、またはそれらの組合せであってよい。
【０２０７】
示すように、さまざまな事例では、弁は、容器および／または関連する弁の近位部分と連結されるように構成された遠位部分と、摂取可能な材料を直接ユーザに、たとえばユーザの口に、たとえばユーザが直接的に摂取するためにおよび／またはさらなる食品に施与するなどのためのために送達するように構成された近位部分とを有するノズルなどのノズルと結合され得る。したがって、ノズルは、ノズルを通って外に出る材料の流れを調節する部分、および消費者またはさらなる食品への直接的送達に携わる部分などの１つまたは複数の部片または部分から構成され得る。たとえば、ノズルの１つの部分は、流れおよび／または圧力調節装置を含むことができ、ノズルの他の部分は、ダックビル部分などのユーザインターフェース部分を含むことができる。たとえば、本明細書に開示する装置によって使用するためのノズルは、流動可能な材料をユーザに送達するなどために、容器および／または弁の一部分および／または関連する供給機構の一部分、たとえばその送達部分に結合することができ、ならびに／または別の形で関連付けることができるいずれの装置であってもよい。特定の事例では、ノズルは、たとえば流体形態の流動可能な材料の、容器、通路、弁、および／または供給機構から出る流れなどの、流れの１つまたは複数の特性に影響を与えるようにさらに設計されて得る。したがって、特定の事例では、ノズルは、弁および／または並進要素、たとえば、フィーダチューブなどの供給機構の一方または両方に動作可能に結合され得る。
【０２０８】
示すように、典型的なノズルおよび／またはそれを通る通路は、いずれの形状またはサイズも有することができ、さまざまな実施形態では、弁などを通ってキャニスタから出る流動可能な材料の方向、速度、質量、圧力、流れ、形状および／または特性を制御するように適合された簡単な、または複雑なオリフィスまたは通路を含むように構成され得る。さまざまな事例では、ノズルは、流体を液滴に分割して流動可能な材料の表面積を増大させ、および／または低減した衝撃力を作り出すなどのために、流動可能な材料、たとえば液体または気体または懸濁液または半固体などを増大した領域上に分散させるように構成され得る。他の事例では、ノズルは、流体を１つのストリームまたは他の流れに集めて流動可能な材料の表面積を減少させ、および／または増大した衝撃力を作り出すなどのために、流動可能な材料を低減した領域上に分散させるように構成され得る。そのような事例では、ノズルは１つまたは複数の出口を有することができ、平たいオリフィス、成形オリフィス、表面衝突、圧力渦巻き、固体コーンなどとすることができ、たとえばこの場合、吐出される流体は単一の流体である。
【０２０９】
したがって、特定の事例では、ノズルは、単一流体または複数流体のノズルであってよく、たとえばこの場合、２つ以上の流体は、内部または外部で混合されてよく、またはノズルがツイン流体ノズルである場合、たとえばこの場合ノズルは、発泡剤および／または推進剤などの気体を、ノズルからの押し出す前またはそのときなどに流動可能および／または発泡可能な材料と混合することを可能にする。特定の事例では、この接触は、せん断、したがって流体の蒸発を引き起こすことができ、たとえばこの場合、より高速の流体が、システム内を移動する低速の流体と接触し、また他の事例では、この接触は発泡を引き起こすことができ、たとえばこの場合、２つの材料は、低速またはより低速で横断しており、および／またはこのときノズルから押し出す前などに、圧力変化、たとえば圧力上昇または低下が存在する。特定の事例では、ノズルは、弁が開かれるときに、流動可能な材料全体にわたって圧力が均等化され、それにより、含まれた発泡剤が溶液から離れることを可能にし、それによって流動可能な材料を発泡させるように構成され得る。したがって、特定の事例では、ノズルは、流動可能な材料の運動エネルギー、圧力、および／または内部エネルギーの１つまたは複数を増大させるように構成され得る。ノズルは、流れの速度または量を加速するように収束する（たとえば流れの方向に、幅広直径からより小さい直径に狭まる）ことができ；流れを減速するように末広がりとする（たとえば流れの方向により小さい直径からより大きい直径に拡張する）ことができ、または収束セクションおよび分岐セクションを、たとえば順次、交互に有する２つの混合であることができる。さまざまな実施形態では、ノズルは詰まる可能性がある。
【０２１０】
特定の事例では、ノズルは、（流動可能な材料を噴霧などになるように分散させるための）単純な噴霧ノズルであってもよく、または噴流、たとえば流体または層状ジェットノズルなどの推進ノズルであってよく、一部の事例では、ノズルは磁気ノズルであってよい。さまざまな事例では、ノズルは、噴霧器および／または吸引器部分を含むことができ、したがって噴霧および／または吸引、たとえば空気吸引ノズルであってよい。たとえば、特定の実施形態では、ノズルは円錐形状を有することができ、および／またはサイホンノズルであってよく、および／または一部の事例では、流動可能な材料を発泡または消泡させるために使用され得る空気、別の気体、液体または固体などを流動可能な材料のストリームに、これがノズルを退出するときに噴射するように構成されてよい。
【０２１１】
一部の事例では、流動可能および／または発泡可能な材料が、溶質または固体成分を含むなどの場合、ノズルは、推進剤および／または流動および／または発泡剤が、混合時、より高い、たとえば噴霧圧力ゾーンから、より低い圧力ゾーンに移動し、流動可能な材料がノズルを退出するときに真空を引き起こすように構成されてよく、この真空は、次いで、追加の材料を通路を通して引っ張る。そのような事例では、ノズルは、ノズルから出るときに流体、たとえばストリーム、スプレ、または流れの形状を制御するように構成されてよく、１つの事例では、渦巻きノズルであってよく、たとえばこの場合、ノズルは、流れをノズルを通って接線方向に方向付けるように構成され、それによって流れがノズルを円錐形状などで退出するとき、これを渦動させる。他の事例では、流れは、分散、凝縮、発泡、丸みを帯びた、または平坦なパターンを有することができ、たとえばこの場合断面排出は、流動可能な材料の流れの１つまたは複数の成分を再成形するために使用される。一部の事例では、ノズルは、容器から放出されるときに流動可能な材料の中空円錐形スプレを形成するように回転式出口を有する回転ノズルであってよく、たとえばこの場合、回転速度は、発泡体、スプレ、および／またはその中の液滴のサイズを決定する。さまざまな事例では、ノズルおよび／または弁はネブライザとして形成され得る。
【０２１２】
さまざまな実施形態では、容器、流動可能および／または発泡可能な材料、発泡剤、推進剤、フィーダ要素、弁、および／またはノズルの１つまたは複数は、容器から押し出される流れおよび／または泡の特性を制御するように構成され得る。たとえば、これらの構成要素の１つまたは複数は、流動可能な材料の液体特性、温度、比重、粘度、表面張力などを変調し、それによって、容器を退出するときの発泡可能および／または流動可能な材料の流れ特性を変調するように構成され得る。
【０２１３】
さまざまな実施形態では、容器は、並進機構、たとえば、弁の遠位部分または容器の他の出口に連結された近位端部と、容器の内部部分、またはその中の材料内に連通する遠位端部とを有する、供給部材、たとえばフィーダチューブを含むことができる。たとえば、供給機構は、容器内の１つまたは複数の管腔と連通することができ、たとえばこの場合、管腔は、流動可能および／または発泡材料、および／または発泡剤、および／または推進剤の１つまたは複数を含む。そのような事例では、そのような管腔はリザーバであってよい。さまざまな事例では、供給機構は、流動可能な材料、発泡剤、および／または推進剤の１つまたは複数を、空洞および／または容器の１つの部分内から、容器の第２の部分に、または追加の管腔、通路、弁および／またはノズルなどのシステムの他の構成要素に並進させるように構成される。
【０２１４】
したがって、１つの実施形態では、並進要素は、第１の空洞内に配置されるように構成されてよく、この場合並進要素は、含まれた材料の放出を促進するなどのために、容器の境界部材に関連する１つの部分を含み、さらに、容器または管腔の底部の近位などの容器の空洞または管腔内に配置された第２の部分を含む。したがって、フィーダ要素は、近位界接面および遠位界接面を有する細長い本体を含むことができ、たとえばこの場合、近位界接面は、たとえば、通路および／または弁の遠位部分などを介して容器の近位または上部分と連通するように構成され、また遠位界接面は、空洞内、たとえば空洞内の第１および／または第２の管腔内の、摂取可能な食品または飲料または薬物、たとえば発泡可能な材料と連通するように構成される。
【０２１５】
さまざまな実施形態では、フィーダおよび／または並進要素は、流動可能な材料、たとえば、摂取可能な飲料を、第１の空洞の管腔から容器の弁へ、摂取可能な材料をユーザまたは食品補助食品に送達するなどのために、たとえば、飲料の発泡前または発泡後に移送するように構成されるか、または別の形で適合されてよい。そのような事例では、並進要素は、流動可能な材料をその中に受け入れ、これを容器内の１つの部分から、容器内または容器の外の第２の部分まで、たとえば放出弁および／または送達ノズルまで並進させることができる限り、いずれの形状および／またはサイズおよび／または構成も有することができる。たとえば、並進要素は、たとえば端から端まで、直線状であっても湾曲していても、または曲がっていても（または曲げることができても）または蛇行していてもよい拡張した管状本体を有することができる。並進要素の管腔の直径は、いずれの適切な寸法のものであってもよく、所望の流動および／または発泡特性を達成するように選択され得る。
【０２１６】
上記で示したように、容器は、第１の空洞、第２の空洞および／または第３の空洞、たとえば容器の弁または吐出弁内の二次または三次空洞などに連結され得る発泡剤および／または推進機構の一方または両方を含むことができる。さまざまな事例では、発泡および／または推進機構は、摂取可能な飲料を非発泡状態から発泡状態に変換するように適合させるか、または別の形で構成されてよく、たとえば、制御可能な吐出機構の消費者の制御時、たとえば発泡状態の摂取可能な食品または飲料を、供給機構を通って制御可能な吐出弁へ、そして容器および／または弁の近位部分を出るように、たとえば含まれる場合はノズルを通って出るように流すようにさらに構成されてよい。特定の実施形態では、発泡および推進機構は発泡剤を含み、たとえば、発泡および推進機構は発泡剤と同じであってよく、他の実施形態では、これらは容器内および／または容器外などで飲料を発泡および／または推進するのに一斉に作用することができる別個の要素である。
【０２１７】
したがって、さまざまな実施形態では、容器は、たとえば、発泡可能な材料を含む第１の空洞を含むことができ、たとえば、制御可能な供給弁、またはフィーダ要素などの二次弁によって第１の空洞に動作的にまたは別の形で連結され得る第２の空洞を含むことができる。そのような事例では、第１の空洞は、発泡可能な飲料を保持し、保存するように構成されてよく、第２の空洞は、たとえば発泡剤でよい発泡および／または推進機構を、たとえば消費者が吐出および／またはフィーダ制御弁の一方または両方を起動させるまで保持しおよび／または保存するように構成されてよい。そのような事例では、フィーダ弁は、供給機構の作動、たとえば第１または第２またはさらには第３の空洞内などで、発泡可能材料と接触する発泡剤の供給を制御するために含まれ、構成されてよい。たとえば、特定の実施形態では、第３の空洞、たとえば混合空洞が存在してもよく、たとえばこの場合、第３の空洞は、第１および／または第２の空洞の一方または両方と動作的または他の形で結合され、たとえばこの場合、第１および第２の空洞は、たとえば三次混合弁などの三次制御弁を介して第３の空洞に直接供給し、または第１および／または第２の空洞は、フィーダ要素の作動によって、発泡可能な材料と発泡剤とを混合する目的などのために、第３の空洞に供給してよい。
【０２１８】
上記に示したように、さまざまな事例では、そのような第３の空洞は、容器の一部、たとえばその境界内にあってよく、および／または制御装置、たとえば吐出弁の一部であってよく、および／または吐出ノズルの一部であってよい。本明細に開示する弁および／またはノズルのいずれのものも、本明細書に開示する流動可能および／または混合可能な材料の流れ、混合、および／または泡立ち度を、たとえば流動可能および／または混合可能な材料の流れ、混合、泡立ちの速度、量、品質および／または他の特性を制御するか、または別の形で調節することに関して、調節するように構成されてよいことを理解されたい。たとえば、さまざまな実施形態では、送達される材料の泡立ち度は、送達チャンバに導入される推進剤、たとえば気体の量によって制御され得る。そのような弁は、容器またはその構成要素の境界部内、たとえばさまざまな区画の境界間、または並進要素および／またはノズルの１つまたは複数の範囲内のいずれかの場所に配置されてよい。
【０２１９】
容器および／またはその中の空洞の異なる構成を鑑みて、並進部材、たとえばフィーダ要素は、システムの１つまたは複数の構成要素内に保持されたさまざまな流動可能な材料の流れを方向付ける導管として作用するように構成されてよい。たとえば、並進要素またはフィーダチューブは、容器の１つまたは複数の空洞内に保持されるか、または別の形で保存された、流動可能な材料、たとえば１つまたは複数の発泡可能な材料および／または１つまたは複数の発泡剤および／または推進剤の１つまたは複数の流れを方向付けるように構成可能であるか、または別の形で適合された１つまたは複数の要素から構成されてよい。１つまたは複数の制御弁が、フィーダ要素の一部として含まれて、フィーダ要素を通る流動可能な材料の流れをさらに制御し、方向付けることができる。したがって、並進要素は、流動可能および／または発泡可能な材料と接触する一部分を含むことができ、および／または流動可能な発泡剤および／または推進剤と接触する一部分を含むことができ、そして容器の上部分と、吐出弁および／または吐出ノズルなどを介して接触する別の部分を含むことができ、それによって容器内および／または容器外の流動可能な材料の流れおよび／または混合を促進する。
【０２２０】
さまざまな実施形態では、並進部材は、推進剤の作用、本明細書に詳述する制御弁の１つまたは複数の作動、および／または真空の生成、たとえばユーザが吐出ノズル、吐出弁、および／またはフィーダ要素の近位部分のユーザが接触可能な部分の１つまたは複数に直接吸引または吹き込むことによって作り出されたものなどによって、１つまたは複数の流動可能な材料をその構成要素を介して並進させる。したがって、本開示の並進部材は、混合し、および／またはユーザに直接吐出する、たとえば吸収しまたは摂取するなどのための摂取のためにユーザの口に直接に吐出するか、または栄養補助食品に直接吐出するなどのために、流動可能な材料をシステムを通って並進させるのに有用になり得るいずれの適した構成も有することができる。さまざまな事例では、並進部材は、キャニスタの配向に関係なく、たとえば装置が、その中に保存された発泡可能な材料を摂取する、たとえば飲む際に消費者によってどのように操作されるかおよび／または使用されるかに関係なく機能するように構成される。したがって、並進部材は、本明細書に開示する１つまたは複数のフィーダチューブから構成されてよく、このフィーダチューブは、混合可能な要素の流れを方向付けるのを助け、要素の混合を助け、混合物をユーザに、流動可能な発泡状態などで、たとえばサイホン弁などの制御弁またはノズルを通して送達するように構成され得る。
【０２２１】
したがって、さまざまな実施形態では、容器は、たとえば、飲用および／または発泡可能な飲料形態の液体または液体の混合物を含むことができ、および／または発泡および／または推進剤の一方または両方として構成され得る液体可溶性気体または気体の混合物を含むことができ、液体と可溶性気体の接触時、発泡可能な溶液などの溶液を形成することができ、この溶液は、たとえば容器から直接的に飲むか、または別の形で摂取するために、適切に形成された送達ノズルなどを通してユーザに送達され得る。示すように、液体および／または液体可溶性気体は、容器内の同じまたは異なる区画内に保持されてよく、同じ区画または異なる区画内で相互混合することができ、および／または１つまたは複数の適切に形成された並進要素、たとえば、フィーダチューブ、および／またはそれに関連する１つまたは複数の制御弁などを通って、システムにわたっておよび／またはユーザまで並進することができる。
【０２２２】
一部の実施形態では、容器は、食品または飲料品および気体の両方を保持するための第１の区画を含み、たとえばこの場合、食品および／または飲料は、液体または半液体またはスラリーであり、気体は、キャニスタ内で、この２つの間の圧力勾配などによって、たとえば圧力上昇下で分離され、一部の実施形態では、容器は、食品または飲料品を保持するための第１の区画と、気体を保持するための第２の区画とを含み、たとえばこの場合、流動可能な材料および気体は、容器内で、仕切り壁によって互いに分離されるが、１つまたは複数の弁、たとえば供給、混合および／吐出弁、および／または１つまたは複数の並進要素、および／または１つまたは複数のノズル要素などによって相互混合する目的などで、互いに連通するように構成されてよい。
【０２２３】
そのような事例では、食品または飲料品は摂取可能品であってよく、気体は少なくとも部分的に液体可溶性気体であってよく、フィーダ要素および／または放出弁は、放出時、たとえば容器の放出機構の作動時、発泡した材料を生み出すなどのために、摂取可能な材料および可溶性気体を相互混合するように構成されてよい。示すように、さまざまな実施形態では、参照された第２の区画は、内部に発泡部材を含むカートリッジ、たとえば気体カートリッジなどの交換可能な気体リザーバを受け入れるように構成されてよく、このカートリッジは、排出のために容器に挿入されてよく、容器の放出機構または容器に関連する構成要素の起動などによってカートリッジが排出された後に交換可能とすることができる。
【０２２４】
別の態様では、流動可能および／または発泡可能な材料を生み出しおよび／または送達するための方法が提供され、たとえばこの場合、発泡可能な材料は、たとえば飲むことができ、飲み込むことができ、または食べることができる形態で消費され得る流体、たとえば液体または半液体飲料、または食品または薬物から構成され、または発泡可能な材料は、少なくとも部分的に予備発泡されるが、保存および／または送達キャニスタからの送達の前などに、材料の泡立ち度を増大または低減するように機能する条件にさらされる。この方法は、キャニスタの送達機構を作動させることを含むステップなどの１つまたは複数のステップを含むことができ、その作動は、流動可能な、発泡可能な、および／または発泡した材料をキャニスタから押し出すように機能する。たとえば、送達機構の作動は、ノズル、弁、および／または流動可能および／または発泡可能な材料を保持するように構成されたキャニスタに関連する並進要素の１つまたは複数の作動を含むことができ、たとえばこの場合、この作動は、ボタンを押し下げまたは引っ張る、ノズルまたはネジまたはノブを回す、トリガを引く、押し下げ可能な要素を絞る、スイッチをひっくり返すなどによって制御要素を作動させることを含むことができる。一部の事例では、容器内に含まれた構成要素の１つまたは複数は、圧力下にあってよく、そのような作動は、含まれた成分を混合し、および／または含まれた成分の１つまたは複数を、少なくとも部分的に発泡した材料を生み出すなどのために、一緒に混合された後などに、放出するように機能することができる。
【０２２５】
特に、列挙された作動は、１つまたは複数の弁を開放するなどによって、１つの流動可能な成分を容器内に含まれた別の流動可能な成分内に放出することを作動させること、および／または成分の１つまた複数を、容器内の１つまたは複数のチャンバ、弁および／または容器に関連するノズル内などで、送達機構の作動および／または容器からの放出の前、またはこれと同時に、互いに接触するように並進させることの１つまたは複数を含むことができる。一部の事例では、作動は、たとえば、マイクロチップ上のプロセッサの一部などの有線または無線構成でよい制御回路を含む電子制御機構を含むことができ、それにより、制御回路の電子的起動により、送達機構を起動することができ、容器の成分を、たとえば発泡可能な材料をユーザに送達するなどのために、混合および／または放出することができる。
【０２２６】
上記を鑑みて、さまざまな実施形態では、容器は、境界部材を含むことができ、この境界部材は、流動可能および／または発泡可能な材料を保持するのに適した空洞を境界付け、方法は、第１の充填弁などによって、流動可能および／または発泡可能な材料を容器の空洞内に挿入することを含む。たとえば、境界部材は、近位部分および遠位部分を含むことができ、近位部分および遠位部分は、拡張部分によって分離され、たとえばこの場合、近位部分、拡張部分、および遠位部分は一緒になって、空洞を境界付けるように構成され、特定の実施形態では、境界部材は、少なくとも第１の充填弁を含む。空洞は、容器の制御機構の起動などによって、容器からの材料の発泡および／または推進を促進するように構成され得る流動可能な材料をいずれも保持するように構成され得る。したがって、容器は、放出または送達弁および／または注入または充填弁などの１つまたは複数の弁を含むことができ、たとえばこの場合、流動可能な材料は、注入または充填弁によって容器に加えられ、放出または送達弁によって容器から放出され得る。特定の実施形態では、容器１は、包装中および運送中などに、含まれた材料の望ましくない混合および／または送達を防止するために、容器および／またはその構成要素の意図しない起動を防止するための安全機構を含むことができる。たとえば、容器は、不正開封防止シール、ロックリングなどを含むことができる。
【０２２７】
さらに、さまざまな事例では、容器は、一部の実施形態では複数の異なる要素であってよく、他の事例では同じ要素であってもよい発泡および／または推進機構を含むことができる。たとえば、特定の事例では、発泡剤および／または推進剤は化学剤であってよい。したがって、そのような事例では、本方法は、発泡および／または推進剤を、１つまたは複数の補助充填または注入弁を通して、たとえば第１または第２の充填弁を通して、容器に挿入することを含むことができる。一部の事例では、発泡可能な材料および発泡および／または推進剤は、容器の同じ区画内に挿入され保持されてよく、たとえばこの場合、２つの成分は、容器の同じチャンバ内で位相分離される。
【０２２８】
一部の事例では、発泡剤および／または推進剤は、電気要素または電気機械要素であってよく、方法は、遠隔制御機構を作動させるなどによって電気信号および／またはインパルスを生成することなどにより、要素を活性化することを含むことができ、この電子信号および／またはインパルスは、電気的または機械的要素によって受け取られ、その受け取り時、電気的または機械的要素は、容器内で発泡させおよび／または圧力を上昇させるように機能する発泡および／または推進機構を起動させ、その後、この圧力の上昇を使用して、放出弁などを通して流動可能な材料を容器から排出することができる。さまざまな事例では、電気要素は、バッテリなどの電源を含む。
【０２２９】
さまざまな実施形態では、発泡および／または推進機構は、付勢および／またはばね要素などの機械的要素であってよく、方法は、保存されたエネルギーを放出して発泡させ、および／または発泡した材料を容器外に並進させることを含むことができる。たとえば、特定の実施形態では、容器は、ブラダのような弾性部材を含むことができ、このブラダは、伸張性または膨張性の部材であってよく、自己回復性であってもよく、それにより、流動可能な材料が、上記で説明したように容器内へと、および／またはブラダ内へと挿入されたとき、ブラダは、流動可能な材料を収容するように膨張するが、そのようにするために、ブラダは位置エネルギーの蓄えを作り出しながら膨張する。このようなブラダは、材料を内部に受け取ることができ、それに応答して、第１の非膨張状態から第２の膨張状態に変形され、それによってその中に位置エネルギーを貯蔵するなどによって可逆式に膨張することができる、いずれの適切な材料からも作製されてよい。そのような材料は、たとえば、弾性材料であってよい。
【０２３０】
ブラダは、放出弁に連結されてよく、方法は、弁が開かれると、ブラダの膨張によって貯蔵された位置エネルギーが放出され、それによって流動可能な材料を排出するように放出弁を起動することを含むことができる。そのような事例では、発泡可能な材料を発泡状態または予備発泡状態で容器に挿入することができ、放出弁の起動は、発泡した材料を放出するように作用するだけもよく、または予備発泡材料を発泡した材料に変換するようにさらに作用してもよい。たとえば、そのような事例では、放出弁および／または容器は、ノズル要素に関連付けられてよく、このノズル要素は、容器を通って出る物質の流れを制御するように適合されてよく、ならびに／またはその材料を、これが放出弁および／またはノズルを通ってユーザに送達されるときに発泡させるように構成されてよい。特定の事例では、放出弁および／またはノズルは、発泡および／または推進剤を含むリザーバなどのリザーバとそれ自体連通する並進要素に関連付けられてよく、それにより、放出弁の開放および／またはノズルの起動時、発泡および推進剤は、並進要素を通って弁および／またはノズルまで並進し、それによって発泡可能な材料と混合して、流動可能な材料を、これが容器を出るときに発泡させおよび／または推進する。
【０２３１】
特定の実施形態では、容器は、本明細書に開示するように、容器の１つまたは複数の構成要素の作動を制御するように構成されたコンピューティングデバイスなどのコンピューティングデバイスを含むことができる。そのような事例では、容器は、コンピューティングデバイスに結合された１つまたは複数の感知要素を含むことができ、方法は、コンピューティングデバイスの内部または外部の環境から感知されおよび／または集められたデータなどのセンサデータを生成することを含むことができ、さらに、コンピューティングデバイスに結合された少なくとも１つのセンサまたは他の関連する電子データ入力デバイスなどによって、そのようなデータを受け取ることをさらに含むことができる。受け取られたデータは、発泡可能および／または流動可能な材料、発泡剤、推進剤、発泡した材料、内部環境条件および／または外部環境条件（温度、圧力、ユーザの特性など）に関連する１つまたは複数の属性を表すことができる。特定の事例では、コンピューティングデバイス、たとえばマイクロプロセッサは、無線ネットワークおよび／または無線制御デバイスと通信するための少なくとも１つの無線受信機および／または送信機の１つまたは複数をさらに含むことができる。さまざまな事例では、容器は、内部プロセッサに電子的に結合された対話式ディスプレイ、たとえば、対話式タッチスクリーンディスプレイを含むことができる。
【０２３２】
したがって、この方法は、たとえば、内部または外部の制御装置によって、１つまたは複数の内部または外部の特性を表すデータなどの感知されたデータを受信すること、および／または発泡した材料の所望の泡立ち度および／または流量などにしたがって、たとえばコンピューティングデバイスの内部プロセッサによって処理することを含むことができる。いくつかの特定の実施形態では、方法はまた、ユーザが、ユーザによって摂取される材料の泡立ち度の流量または量に関連するオプションのようなオプションを選択できるように、コンピューティングデバイスの対話式ディスプレイ上に表示するためのグラフィカルユーザインターフェースなどのユーザインターフェースを生成することを含むこともできる。
【０２３３】
上記において、本発明のさまざまな実施形態を説明してきたが、それらは限定的ではなく例としてのみ提示されたものであることを理解されたい。当業者であれば、本発明の精神および範囲から逸脱することなく、形態および詳細におけるさまざまな変更を行うことができることは明らかであろう。したがって、本発明の広範性および範囲は、上記で説明した例示的な実施形態のいずれによっても限定されるべきではなく、特許請求の範囲およびそれらの等価物によってのみ規定されるべきである。
【図１Ａ】
2018525289.tif 000003
【図１Ｂ】
2018525289.tif 000004
【図１Ｃ】
2018525289.tif 000005
【図１Ｄ】
2018525289.tif 000006
【図１Ｅ】
2018525289.tif 000007
【図１Ｆ】
2018525289.tif 000008
【図２Ａ】
2018525289.tif 000009
【図２Ｂ】
2018525289.tif 000010
【図２Ｃ】
2018525289.tif 000011
【図３】
2018525289.tif 000012
【図４Ａ】
2018525289.tif 000013
【図４Ｂ】
2018525289.tif 000014
【図５Ａ】
2018525289.tif 000015
【図５Ｂ】
2018525289.tif 000016
【図５Ｃ】
2018525289.tif 000017
【国際調査報告】
2018525289.tif 000018
2018525289.tif 000019